(57)【要約】  本発明は無線リソース制御接続を確立するための方法及び装置を提供する。該方法は、中継端末装置が遠隔端末装置から送信された第一のアクセス層データパケットを受信することと、中継端末装置が第一のアクセス層データパケットに基づき、第二のアクセス層データパケットを生成することと、中継端末装置がネットワーク装置へ第二のアクセス層データパケットを送信することと、中継端末装置がネットワーク装置から送信された第三のアクセス層データパケットを受信することと、中継端末装置が第三のアクセス層データパケットに基づき、第四のアクセス層データパケットを生成することと、中継端末装置が遠隔端末装置へ第四のアクセス層データパケットを送信することとを含み、第一のアクセス層データパケットに遠隔端末装置の装置識別子と無線リソース制御（ＲＲＣ）接続確立リクエストメッセージが含まれ、第三のアクセス層データパケットが遠隔端末装置の装置識別子とＲＲＣ接続確立メッセージを含む。これにより、ネットワーク装置のカバレッジ範囲外にある端末装置に対してＲＲＣ接続を確立することができる。
2019515517.tif 000002
【特許請求の範囲】
【請求項１】
無線リソース制御接続（ＲＲＣ）を確立するための方法であって、遠隔端末装置、中継端末装置、及びネットワーク装置を備える通信システムで実行され、前記遠隔端末装置と前記中継端末装置が第一の通信プロトコルに基づいて通信し、前記中継端末装置と前記ネットワーク装置が第二の通信プロトコルに基づいて通信し、前記方法は、
前記中継端末装置が前記第一の通信プロトコルに基づき、遠隔端末装置から送信された第一のアクセス層データパケットを受信することと、
前記中継端末装置が前記第一のアクセス層データパケットに基づき、第二のアクセス層データパケットを生成することと、
前記中継端末装置が前記第二の通信プロトコルに基づき、前記ネットワーク装置へ前記第二のアクセス層データパケットを送信することと、
前記中継端末装置が前記第二の通信プロトコルに基づき、前記ネットワーク装置から送信された第三のアクセス層データパケットを受信することと、
前記中継端末装置が前記第三のアクセス層データパケットに基づき、第四のアクセス層データパケットを生成することと、
前記中継端末装置が前記第一の通信プロトコルに基づき、前記遠隔端末装置へ前記第四のアクセス層データパケットを送信することと、を含み、
前記第一のアクセス層データパケットが前記遠隔端末装置によって前記ネットワーク装置への送信を必要とする無線リソース制御接続確立リクエストメッセージをカプセル化して生成されるものであり、前記第一のアクセス層データパケットに前記遠隔端末装置の装置識別子が含まれ、
前記第二のアクセス層データパケットに前記遠隔端末装置の装置識別子が含まれ、
前記第三のアクセス層データパケットが前記ネットワーク装置によって前記遠隔端末装置への送信を必要とするＲＲＣ接続確立メッセージをカプセル化して生成されるものであり、前記ＲＲＣ接続確立メッセージが前記ネットワーク装置によって前記遠隔端末装置の装置識別子と前記ＲＲＣ接続確立リクエストメッセージに基づいて生成されるものであり、前記第三のアクセス層データパケットに前記遠隔端末装置の装置識別子が含まれ、
前記第四のアクセス層データパケットに前記遠隔端末装置の装置識別子が含まれる、
ことを特徴とする方法。
【請求項２】
前記遠隔端末装置の装置識別子が前記遠隔端末装置によってＬ２層で前記第一のアクセス層データパケットにカプセル化されるものであり、前記遠隔端末装置の装置識別子が前記ネットワーク装置によってＬ２層で前記第三のアクセス層データパケットにカプセル化されるものであり、また、
前記方法はさらに、
前記中継端末装置がＬ２層で前記第一のアクセス層データパケットから前記遠隔端末装置の装置識別子を取得することと、
前記中継端末装置がＬ２層で前記遠隔端末装置の装置識別子を前記第二のアクセス層データパケットにカプセル化することと、
前記中継端末装置がＬ２層で前記第三のアクセス層データパケットから前記遠隔端末装置の装置識別子を取得することと、
前記中継端末装置がＬ２層で前記遠隔端末装置の装置識別子を前記第四のアクセス層データパケットにカプセル化することとを含むことを特徴とする
請求項１に記載の方法。
【請求項３】
前記遠隔端末装置の装置識別子が前記遠隔端末装置によってアダプテーション層で前記第一のアクセス層データパケットにカプセル化されるものであり、前記遠隔端末装置の装置識別子が前記ネットワーク装置によってアダプテーション層で前記第三のアクセス層データパケットにカプセル化されるものであることを特徴とする
請求項１に記載の方法。
【請求項４】
前記遠隔端末装置の装置識別子が前記遠隔端末装置によってアダプテーション層で前記第一のアクセス層データパケットにカプセル化されるものであり、前記遠隔端末装置の装置識別子が前記ネットワーク装置によってＬ２層で前記第三のアクセス層データパケットにカプセル化されるものであり、また、
前記方法はさらに、
前記中継端末装置がアダプテーション層で前記第一のアクセス層データパケットから前記遠隔端末装置の装置識別子を取得することと、
前記中継端末装置がＬ２層で前記遠隔端末装置の装置識別子を前記第二のアクセス層データパケットにカプセル化することと、
前記中継端末装置がＬ２層で前記第三のアクセス層データパケットから前記遠隔端末装置の装置識別子を取得することと、
前記中継端末装置がアダプテーション層で前記遠隔端末装置の装置識別子を前記第四のアクセス層データパケットにカプセル化することとを含むことを特徴とする
請求項１に記載の方法。
【請求項５】
前記遠隔端末装置の装置識別子が前記遠隔端末装置によってＲＲＣ層で前記第一のアクセス層データパケットにカプセル化されるものであり、前記遠隔端末装置の装置識別子が前記ネットワーク装置によってＲＲＣ層で前記第三のアクセス層データパケットにカプセル化されるものであることを特徴とする
請求項１に記載の方法。
【請求項６】
前記方法はさらに、
前記中継端末装置が前記第一のアクセス層データパケットから第一の論理チャネル識別子を取得することと、
前記中継端末装置が前記第一の論理チャネル識別子に基づき、第二の論理チャネル識別子を確定することと、
前記中継端末装置が前記第二の論理チャネル識別子を前記第二のアクセス層データパケットにカプセル化することと、を含み、
前記第一の論理チャネル識別子が前記遠隔端末装置によって第一のベアラに基づいて確定されるものであり、
前記ネットワーク装置が前記第二の論理チャネル識別子に基づいて前記第一のベアラを確定することができることを特徴とする
請求項１乃至５のいずれか一項に記載の方法。
【請求項７】
前記中継端末装置が前記第一の論理チャネル識別子に基づき、第二の論理チャネル識別子を確定することは、
前記第一の論理チャネル識別子が前記ネットワーク装置により前記遠隔端末装置に割り当てられるものである場合、前記中継端末装置が前記第一の論理チャネル識別子を前記第二の論理チャネル識別子として確定することと、
前記第一の論理チャネル識別子が前記遠隔端末装置によって前記遠隔端末装置に記憶された第一のプリセットルール情報に基づいて確定されるものである場合、前記中継端末装置が第二のプリセットルールの下での前記第一のベアラに対応する論理チャネル識別子を前記第二の論理チャネル識別子として確定することと、を含み、
ここで、第一のプリセットルールの下で、前記第一の論理チャネル識別子が前記第一のベアラに対応し、前記第二のプリセットルール情報が前記ネットワーク装置に記憶されることを特徴とする
請求項６に記載の方法。
【請求項８】
前記ネットワーク装置と前記遠隔端末装置の間にアダプテーション層が構成され、前記第一のアクセス層データパケットに第三の論理チャネル識別子が含まれ、前記第三の論理チャネル識別子が前記ネットワーク装置により前記遠隔端末装置に割り当てられるものであり、又は前記第三の論理チャネル識別子が前記遠隔端末装置によって前記遠隔端末装置と前記ネットワーク装置に記憶された第三のプリセットルール情報に基づいて確定されるものであり、前記第三の論理チャネル識別子が前記遠隔端末装置によって前記アダプテーション層で前記第一のアクセス層データパケットにカプセル化されるものであり、また、
前記方法はさらに、
前記中継端末装置がプリセット論理チャネル識別子を前記第二のアクセス層データパケットにカプセル化することを含み、ここで、前記ネットワーク装置が前記プリセット論理チャネル識別子に基づき、前記アダプテーション層で前記第三の論理チャネル識別子を取得することができるように、前記プリセット論理チャネル識別子が前記第二のアクセス層データパケットが中継データであることを示すことに用いられることを特徴とする
請求項１乃至５のいずれか一項に記載の方法。
【請求項９】
前記方法はさらに、
前記中継端末装置が前記第三のアクセス層データパケットから第四の論理チャネル識別子を取得することと、
前記中継端末装置が前記第四の論理チャネル識別子に基づき、第五の論理チャネル識別子を確定することと、
前記中継端末装置が前記第五の論理チャネル識別子を前記第四のアクセス層データパケットにカプセル化することと、を含み、
前記第四の論理チャネル識別子が前記ネットワーク装置によって第二のベアラに基づいて確定されるものであり、
ここで、前記遠隔端末装置が前記第五の論理チャネル識別子に基づいて前記第二のベアラを確定することができることを特徴とする
請求項１乃至８のいずれか一項に記載の方法。
【請求項１０】
前記中継端末装置が前記第四の論理チャネル識別子に基づき、第五の論理チャネル識別子を確定することは、
前記第四の論理チャネル識別子が前記ネットワーク装置により前記遠隔端末装置に割り当てられるものである場合、前記中継端末装置が前記第四の論理チャネル識別子を前記第五の論理チャネル識別子として確定することと、
前記第四の論理チャネル識別子が前記ネットワーク装置によって前記ネットワーク装置に記憶された第四のプリセットルール情報に基づいて確定されるものである場合、前記中継端末装置が第五のプリセットルールの下での前記第二のベアラに対応する論理チャネル識別子を前記第五の論理チャネル識別子として確定することと、を含み、
ここで、第四のプリセットルールの下で、前記第四の論理チャネル識別子が前記第二のベアラに対応し、前記第五のプリセットルール情報が前記遠隔端末装置に記憶されることを特徴とする
請求項９に記載の方法。
【請求項１１】
前記ネットワーク装置と前記遠隔端末装置の間にアダプテーション層が構成され、前記第三のアクセス層データパケットに第六の論理チャネル識別子が含まれ、前記第六の論理チャネル識別子が前記ネットワーク装置により前記遠隔端末装置に割り当てられるものであり、又は第六の論理チャネル識別子が前記遠隔端末装置によって前記遠隔端末装置と前記ネットワーク装置に記憶された第六のプリセットルールに基づいて確定されるものであり、前記第六の論理チャネル識別子が前記ネットワーク装置によって前記アダプテーション層で前記第三のアクセス層データパケットにカプセル化されるものであり、また、
前記方法はさらに、
前記中継端末装置がプリセット論理チャネル識別子を前記第四のアクセス層データパケットにカプセル化することを含み、ここで、前記遠隔端末装置が前記プリセット論理チャネル識別子に基づき、前記アダプテーション層で前記第六の論理チャネル識別子を取得することができるように、前記プリセット論理チャネル識別子が前記第四のアクセス層データパケットが中継データであることを示すことに用いられることを特徴とする
請求項１乃至８のいずれか一項に記載の方法。
【請求項１２】
前記中継端末装置が前記第二の通信プロトコルに基づき、前記ネットワーク装置へ前記第二のアクセス層データパケットを送信することは、
前記中継端末装置が第一のマッピング関係情報を取得することと、
前記中継端末装置が前記第二のアクセス層データパケットのデータ量の属するデータ量区間と前記第一のマッピング関係情報に基づき、第一のアップリンクチャネルを確定することと、
前記中継端末装置が前記第一のアップリンクチャネルを介して前記ネットワーク装置へリソースリクエストメッセージを送信することと、
前記中継端末装置が前記ネットワーク装置から送信された第一のスケジューリング情報を受信することと、
前記中継端末装置が前記第二の通信プロトコルに基づき、前記第一の伝送リソースを介し、前記ネットワーク装置へ前記第二のアクセス層データパケットを送信することと、を含み、
前記第一のマッピング関係情報が複数のデータ量区間と複数のアップリンクチャネルとの１対１マッピング関係を示すことに用いられ、各データ量区間が少なくとも一つのデータ量を含み、
前記第一のアップリンクチャネルが前記第二のアクセス層データパケットのデータ量の属するデータ量区間に対応し、
前記第一のスケジューリング情報が第一の伝送リソースを示すことに用いられ、前記第一の伝送リソースの大きさが前記ネットワーク装置によって前記第一のアップリンクチャネルと前記第一のマッピング関係情報に基づいて確定されるものであることを特徴とする
請求項１乃至１１のいずれか一項に記載の方法。
【請求項１３】
前記中継端末装置が前記第二の通信プロトコルに基づき、前記ネットワーク装置へ前記第二のアクセス層データパケットを送信することは、
前記中継端末装置が第二のマッピング関係情報を取得することと、
前記中継端末装置が前記第二のアクセス層データパケットのデータ量の属するデータ量区間と前記第二のマッピング関係情報に基づき、第一のプリアンブルを確定することと、
前記中継端末装置が前記ネットワーク装置へ前記第一のプリアンブルを送信することと、
前記中継端末装置が前記ネットワーク装置から送信された第二のスケジューリング情報を受信することと、
前記中継端末装置が前記第二の通信プロトコルに基づき、前記第二の伝送リソースを介し、前記ネットワーク装置へ前記第二のアクセス層データパケットを送信することと、を含み、
前記第二のマッピング関係情報が複数のデータ量区間と複数のプリアンブルとの１対１マッピング関係を示すことに用いられ、各データ量区間が少なくとも一つのデータ量を含み、
前記第一のプリアンブルが前記第二のアクセス層データパケットのデータ量の属するデータ量区間に対応し、
前記第二のスケジューリング情報が第二の伝送リソースを示すことに用いられ、前記第二の伝送リソースの大きさが前記ネットワーク装置によって前記第一のプリアンブルと前記第二のマッピング関係情報に基づいて確定されるものであることを特徴とする
請求項１乃至１１のいずれか一項に記載の方法。
【請求項１４】
前記第一のアクセス層データパケットと前記第四のアクセス層データパケットは前記第一の通信プロトコルに規定されたデータパケットであり、前記第二のアクセス層データパケットと前記第三のアクセス層データパケットは前記第二の通信プロトコルに規定されたデータパケットであることを特徴とする
請求項１乃至１３のいずれか一項に記載の方法。
【請求項１５】
前記方法はさらに、
前記中継端末装置が前記第一の通信プロトコルに基づき、前記遠隔端末装置から送信された第五のアクセス層データパケットを受信することと、
前記中継端末装置が前記第五のアクセス層データパケットに基づき、第六のアクセス層データパケットを生成することと、
前記中継端末装置が第二の通信プロトコルに基づき、前記ネットワーク装置へ前記第六のアクセス層データパケットを送信することと、を含み、
前記第五のアクセス層データパケットが前記遠隔端末装置によって前記ネットワーク装置への送信を必要とするＲＲＣ接続確立完了メッセージをカプセル化して生成されるものであり、前記第五のアクセス層データパケットに前記遠隔端末装置の装置識別子が含まれ、前記ＲＲＣ接続確立完了メッセージが前記遠隔端末装置によって前記遠隔端末装置の装置識別子と前記ＲＲＣ接続確立メッセージに基づいて生成されるものであり、
前記第六のアクセス層データパケットに前記遠隔端末装置の装置識別子が含まれることを特徴とする
請求項１乃至１４のいずれか一項に記載の方法。
【請求項１６】
無線リソース制御接続（ＲＲＣ）を確立するための方法であって、遠隔端末装置、中継端末装置、及びネットワーク装置を備える通信システムで実行され、前記遠隔端末装置と前記中継端末装置が第一の通信プロトコルに基づいて通信し、前記中継端末装置と前記ネットワーク装置が第二の通信プロトコルに基づいて通信し、前記方法は、
前記遠隔端末装置が前記ネットワーク装置への送信を必要とする無線リソース制御接続確立リクエストメッセージをカプセル化し、第一のアクセス層データパケットを生成することと、
前記遠隔端末装置が前記第一の通信プロトコルに基づき、前記中継端末装置へ前記第一のアクセス層データパケットを送信することと、
前記遠隔端末装置が前記第一の通信プロトコルに基づいて前記中継端末装置から送信された前記第四のアクセス層データパケットを受信することと、を含み、
前記第一のアクセス層データパケットに前記遠隔端末装置の装置識別子が含まれ、
前記第四のアクセス層データパケットに前記遠隔端末装置の装置識別子が含まれる、
ことを特徴とする方法。
【請求項１７】
前記方法はさらに、
前記遠隔端末装置がＬ２層で前記遠隔端末装置の装置識別子を前記第一のアクセス層データパケットにカプセル化することと、
前記遠隔端末装置がＬ２層で前記第四のアクセス層データパケットから前記遠隔端末装置の装置識別子を取得することと、を含むことを特徴とする
請求項１６に記載の方法。
【請求項１８】
前記方法はさらに、
前記遠隔端末装置がアダプテーション層で前記遠隔端末装置の装置識別子を前記第一のアクセス層データパケットにカプセル化することと、
前記遠隔端末装置がアダプテーション層で前記第四のアクセス層データパケットから前記遠隔端末装置の装置識別子を取得することとを含むことを特徴とする
請求項１６に記載の方法。
【請求項１９】
前記方法はさらに、
前記遠隔端末装置がＲＲＣ層で前記遠隔端末装置の装置識別子を前記第一のアクセス層データパケットにカプセル化することと、
前記遠隔端末装置がＲＲＣ層で前記第四のアクセス層データパケットから前記遠隔端末装置の装置識別子を取得することとを含むことを特徴とする
請求項１６に記載の方法。
【請求項２０】
前記ネットワーク装置と前記遠隔端末装置の間にアダプテーション層が構成され、前記第三のアクセス層データパケットに第六の論理チャネル識別子が含まれ、前記第六の論理チャネル識別子が前記ネットワーク装置により前記遠隔端末装置に割り当てられるものであり、又は前記第六の論理チャネル識別子が前記遠隔端末装置によって前記遠隔端末装置と前記ネットワーク装置に記憶された第六のプリセットルール情報に基づいて確定されるものであり、前記第六の論理チャネル識別子が前記ネットワーク装置によって前記アダプテーション層で前記第三のアクセス層データパケットにカプセル化されるものであり、また、
前記方法はさらに、
前記遠隔端末装置が前記第四のアクセス層データパケットに含まれるプリセット論理チャネル識別子に基づき、前記アダプテーション層で前記第六の論理チャネル識別子を取得することを含み、前記プリセット論理チャネル識別子が前記中継端末装置によって前記第四のアクセス層データパケットにカプセル化されるものであり、前記プリセット論理チャネル識別子が前記第四のアクセス層データパケットが中継データであることを示すことに用いられることを特徴とする
請求項１６乃至１９のいずれか一項に記載の方法。
【請求項２１】
前記第一のアクセス層データパケットと前記第四のアクセス層データパケットは前記第一の通信プロトコルに規定されたデータパケットであることを特徴とする
請求項１６２０乃至のいずれか一項に記載の方法。
【請求項２２】
前記方法はさらに、
前記遠隔端末装置が前記遠隔端末装置の装置識別子と前記ＲＲＣ接続確立メッセージに基づき、前記ネットワーク装置への送信を必要とするＲＲＣ接続確立完了メッセージを生成することと、
前記遠隔端末装置が前記ＲＲＣ接続確立完了メッセージをカプセル化して、第五のアクセス層データパケットを生成することと、
前記遠隔端末装置が前記第一の通信プロトコルに基づき、前記中継端末装置へ前記第五のアクセス層データパケットを送信することと、を含み、
前記第五のアクセス層データパケットに前記遠隔端末装置の装置識別子が含まれることを特徴とする
請求項１６乃至２１のいずれか一項に記載の方法。
【請求項２３】
無線リソース制御接続（ＲＲＣ）を確立するための方法であって、遠隔端末装置、中継端末装置、及びネットワーク装置を備える通信システムで実行され、前記遠隔端末装置と前記中継端末装置が第一の通信プロトコルに基づいて通信し、前記中継端末装置と前記ネットワーク装置が第二の通信プロトコルに基づいて通信し、前記方法は、
前記ネットワーク装置が前記第二の通信プロトコルに基づき、前記中継端末装置から送信された第二のアクセス層データパケットを受信することと、
前記ネットワーク装置が第二のアクセス層データパケットに含まれる前記遠隔端末装置の装置識別子と前記ＲＲＣ接続確立リクエストメッセージに基づき、前記遠隔端末装置への送信を必要とするＲＲＣ接続確立メッセージを生成することと、
前記ネットワーク装置が前記ＲＲＣ接続確立メッセージをカプセル化し、第三のアクセス層データパケットを生成することと、
前記ネットワーク装置が前記第二の通信プロトコルに基づき、前記中継端末装置へ前記第三のアクセス層データパケットを送信することと、を含み、
第二のアクセス層データパケットに前記遠隔端末装置の装置識別子が含まれ、前記第二のアクセス層データパケットが前記中継端末装置によって第一のアクセス層データパケットに基づいて生成されるものであり、第一のアクセス層データパケットが前記遠隔端末装置によって前記ネットワーク装置への送信を必要とするＲＲＣ接続確立メッセージ情報をカプセル化して生成されるものであり、
前記第三のアクセス層データパケットに前記遠隔端末装置の装置識別子が含まれることを特徴とする、
方法。
【請求項２４】
前記方法はさらに、
前記ネットワーク装置がＬ２層で前記第二のアクセス層データパケットから前記遠隔端末装置の装置識別子を取得することと、
前記ネットワーク装置がＬ２層で前記遠隔端末装置の装置識別子を前記第三のアクセス層データパケットにカプセル化することとを含むことを特徴とする
請求項２３に記載の方法。
【請求項２５】
前記方法はさらに、
前記ネットワーク装置がアダプテーション層で前記第二のアクセス層データパケットから前記遠隔端末装置の装置識別子を取得することと、
前記ネットワーク装置がアダプテーション層で前記遠隔端末装置の装置識別子を前記第三のアクセス層データパケットにカプセル化することとを含むことを特徴とする
請求項２３に記載の方法。
【請求項２６】
前記前記方法はさらに、
前記ネットワーク装置がＲＲＣ層で前記第二のアクセス層データパケットから前記遠隔端末装置の装置識別子を取得することと、
前記ネットワーク装置がＲＲＣ層で前記遠隔端末装置の装置識別子を前記第三のアクセス層データパケットにカプセル化することとを含むことを特徴とする
請求項２３に記載の方法。
【請求項２７】
前記ネットワーク装置と前記遠隔端末装置の間にアダプテーション層が構成され、前記第一のアクセス層データパケットに第三の論理チャネル識別子が含まれ、前記第三の論理チャネル識別子が前記ネットワーク装置により前記遠隔端末装置に割り当てられるものであり、又は前記第三の論理チャネル識別子が前記遠隔端末装置によって前記遠隔端末装置と前記ネットワーク装置に記憶された第三のプリセットルール情報に基づいて確定されるものであり、前記第三の論理チャネル識別子が前記遠隔端末装置によって前記アダプテーション層で前記第一のアクセス層データパケットにカプセル化されるものであり、また、
前記方法はさらに、
前記ネットワーク装置が前記第二のアクセス層データパケットに含まれるプリセット論理チャネル識別子に基づき、前記アダプテーション層で前記第三の論理チャネル識別子を取得すること、を含み、前記プリセット論理チャネル識別子が前記中継端末装置によって前記第二のアクセス層データパケットにカプセル化されるものであり、前記プリセット論理チャネル識別子が前記第二のアクセス層データパケットが中継データであることを示すことに用いられることを特徴とする
請求項２３乃至２６のいずれか一項に記載の方法。
【請求項２８】
前記ネットワーク装置が前記第二の通信プロトコルに基づき、前記中継端末装置から送信された第二のアクセス層データパケットを受信することは、
前記ネットワーク装置が第一のマッピング関係情報を取得することと、
前記ネットワーク装置が前記中継端末装置から第一のアップリンクチャネルを介して送信されたリソースリクエストメッセージを受信することと、
前記ネットワーク装置が前記第一のアップリンクチャネルと前記第一のマッピング関係情報に基づき、第一の伝送リソースを確定することと、
前記ネットワーク装置が前記中継端末装置へ前記第一のスケジューリング情報を送信することと、
前記ネットワーク装置が前記第二の通信プロトコルに基づき、前記第一の伝送リソースを介し、前記中継端末装置から送信された第二のアクセス層データパケットを受信することと、を含み、
前記第一のマッピング関係情報が複数のデータ量区間と複数のアップリンクチャネルとの１対１マッピング関係を示すことに用いられ、各データ量区間が少なくとも一つのデータ量を含み、
第一のアップリンクチャネルが前記第二のアクセス層データパケットのデータ量の属するデータ量区間に対応し、
前記第一のスケジューリング情報が前記第一の伝送リソースを示すことに用いられることを特徴とする
請求項２３乃至２７のいずれか一項に記載の方法。
【請求項２９】
前記ネットワーク装置が前記第二の通信プロトコルに基づき、前記中継端末装置から送信された第二のアクセス層データパケットを受信することは、
前記ネットワーク装置が第二のマッピング関係情報を取得することと、
前記ネットワーク装置が前記中継端末装置から送信された第一のプリアンブルを受信することと、
前記ネットワーク装置が前記第一のプリアンブルと前記第二のマッピング関係情報に基づき、第二の伝送リソースを確定することと、
前記ネットワーク装置が前記中継端末装置へ前記第二のスケジューリング情報を送信することと、
前記ネットワーク装置が前記第二の通信プロトコルに基づき、前記第二の伝送リソースを介し、前記中継端末装置から送信された第二のアクセス層データパケットを受信することと、を含み、
前記第二のマッピング関係情報が複数のデータ量区間と複数のプリアンブルとの１対１マッピング関係を示すことに用いられ、各データ量区間が少なくとも一つのデータ量を含み、
前記第一のプリアンブルが前記第二のアクセス層データパケットのデータ量の属するデータ量区間に対応し、
前記第二のスケジューリング情報が前記第二の伝送リソースを示すことに用いられることを特徴とする
請求項２３乃至２７のいずれか一項に記載の方法。
【請求項３０】
前記方法はさらに、
前記ネットワーク装置が前記第二の通信プロトコルに基づき、前記中継端末装置から送信された第六のアクセス層データパケットを受信することを含み、前記第六のアクセス層データパケットが第五のアクセス層データパケットに基づいて生成されるものであり、前記第五のアクセス層データパケットが前記遠隔端末装置によって前記ネットワーク装置への送信を必要とするＲＲＣ接続確立完了メッセージをカプセル化して生成されるものであり、前記第五のアクセス層データパケットに前記遠隔端末装置の装置識別子が含まれ、前記第六のアクセス層データパケットに前記遠隔端末装置の装置識別子が含まれることを特徴とする
請求項２２乃至２９のいずれか一項に記載の方法。
【請求項３１】
無線リソース制御接続（ＲＲＣ）を確立するための装置であって、遠隔端末装置、前記装置、及びネットワーク装置を備える通信システムで実行され、前記遠隔端末装置と前記中継端末装置が第一の通信プロトコルに基づいて通信し、前記装置と前記ネットワーク装置が第二の通信プロトコルに基づいて通信し、前記装置は、受信ユニットと、処理ユニットと、送信ユニットとを含み、
前記受信ユニットは、前記第一の通信プロトコルに基づき、遠隔端末装置から送信された第一のアクセス層データパケットを受信するように構成され、前記第一のアクセス層データパケットが前記遠隔端末装置によって前記ネットワーク装置への送信を必要とする無線リソース制御接続確立リクエストメッセージをカプセル化して生成されるものであり、前記第一のアクセス層データパケットに前記遠隔端末装置の装置識別子が含まれ、
前記処理ユニットは、前記第一のアクセス層データパケットに基づき、第二のアクセス層データパケットを生成するように構成され、前記第二のアクセス層データパケットに前記遠隔端末装置の装置識別子が含まれ、
前記送信ユニットは、前記第二の通信プロトコルに基づき、前記ネットワーク装置へ前記第二のアクセス層データパケットを送信するように構成され、
前記受信ユニットはさらに前記第二の通信プロトコルに基づき、前記ネットワーク装置から送信された第三のアクセス層データパケットを受信するように構成され、前記第三のアクセス層データパケットが前記ネットワーク装置によって前記遠隔端末装置への送信を必要とするＲＲＣ接続確立メッセージをカプセル化して生成されるものであり、前記ＲＲＣ接続確立メッセージが前記ネットワーク装置によって前記遠隔端末装置の装置識別子と前記ＲＲＣ接続確立リクエストメッセージに基づいて生成されるものであり、前記第三のアクセス層データパケットに前記遠隔端末装置の装置識別子が含まれ、
前記処理ユニットはさらに前記第三のアクセス層データパケットに基づき、第四のアクセス層データパケットを生成するように構成され、前記第四のアクセス層データパケットに前記遠隔端末装置の装置識別子が含まれ、
前記送信ユニットはさらに前記第一の通信プロトコルに基づき、前記遠隔端末装置へ前記第四のアクセス層データパケットを送信するように構成される、装置。
【請求項３２】
前記遠隔端末装置の装置識別子が前記遠隔端末装置によってＬ２層で前記第一のアクセス層データパケットにカプセル化されるものであり、前記遠隔端末装置の装置識別子が前記ネットワーク装置によってＬ２層で前記第三のアクセス層データパケットにカプセル化されるものであり、また、
前記処理ユニットはさらにＬ２層で前記第一のアクセス層データパケットから前記遠隔端末装置の装置識別子を取得するように構成され、
前記処理ユニットはさらにＬ２層で前記遠隔端末装置の装置識別子を前記第二のアクセス層データパケットにカプセル化するように構成され、
前記処理ユニットはさらにＬ２層で前記第三のアクセス層データパケットから前記遠隔端末装置の装置識別子を取得するように構成され、
前記処理ユニットはさらにＬ２層で前記遠隔端末装置の装置識別子を前記第四のアクセス層データパケットにカプセル化するように構成されることを特徴とする
請求項３１に記載の装置。
【請求項３３】
前記遠隔端末装置の装置識別子が前記遠隔端末装置によってアダプテーション層で前記第一のアクセス層データパケットにカプセル化されるものであり、前記遠隔端末装置の装置識別子が前記ネットワーク装置によってアダプテーション層で前記第三のアクセス層データパケットにカプセル化されるものであることを特徴とする
請求項３１に記載の装置。
【請求項３４】
前記遠隔端末装置の装置識別子が前記遠隔端末装置によってアダプテーション層で前記第一のアクセス層データパケットにカプセル化されるものであり、前記遠隔端末装置の装置識別子が前記ネットワーク装置によってＬ２層で前記第三のアクセス層データパケットにカプセル化されるものであり、また、
前記処理ユニットはさらにアダプテーション層で前記第一のアクセス層データパケットから前記遠隔端末装置の装置識別子を取得するように構成され、
前記処理ユニットはさらにＬ２層で前記遠隔端末装置の装置識別子を前記第二のアクセス層データパケットにカプセル化するように構成され、
前記処理ユニットはさらにＬ２層で前記第三のアクセス層データパケットから前記遠隔端末装置の装置識別子を取得するように構成され、
前記処理ユニットはさらにアダプテーション層で前記遠隔端末装置の装置識別子を前記第四のアクセス層データパケットにカプセル化するように構成されることを特徴とする
請求項３１に記載の装置。
【請求項３５】
前記遠隔端末装置の装置識別子が前記遠隔端末装置によってＲＲＣ層で前記第一のアクセス層データパケットにカプセル化されるものであり、前記遠隔端末装置の装置識別子が前記ネットワーク装置によってＲＲＣ層で前記第三のアクセス層データパケットにカプセル化されるものであることを特徴とする
請求項３１に記載の装置。
【請求項３６】
前記処理ユニットはさらに前記第一のアクセス層データパケットから第一の論理チャネル識別子を取得するように構成され、前記第一の論理チャネル識別子が遠隔端末装置によって第一のベアラに基づいて確定されるものであり、
前記処理ユニットはさらに前記第一の論理チャネル識別子に基づき、第二の論理チャネル識別子を確定するように構成され、ここで、前記ネットワーク装置が前記第二の論理チャネル識別子に基づいて前記第一のベアラを確定することができ、
前記処理ユニットはさらに前記第二の論理チャネル識別子を前記第二のアクセス層データパケットにカプセル化するように構成されることを特徴とする
請求項３１乃至３５のいずれか一項に記載の装置。
【請求項３７】
前記処理ユニットはさらに、前記第一の論理チャネル識別子が前記ネットワーク装置により前記遠隔端末装置に割り当てられるものである場合、前記装置が前記第一の論理チャネル識別子を前記第二の論理チャネル識別子として確定するように構成され、
前記処理ユニットはさらに、前記第一の論理チャネル識別子が前記遠隔端末装置によって前記遠隔端末装置に記憶された第一のプリセットルール情報に基づいて確定されるものである場合、前記装置が第二のプリセットルールの下での前記第一のベアラに対応する論理チャネル識別子を前記第二の論理チャネル識別子として確定するように構成され、
ここで、第一のプリセットルールの下で、前記第一の論理チャネル識別子が前記第一のベアラに対応し、前記第二のプリセットルール情報が前記ネットワーク装置に記憶されることを特徴とする
請求項３６に記載の装置。
【請求項３８】
前記ネットワーク装置と前記遠隔端末装置の間にアダプテーション層が構成され、前記第一のアクセス層データパケットに第三の論理チャネル識別子が含まれ、前記第三の論理チャネル識別子が前記ネットワーク装置により前記遠隔端末装置に割り当てられるものであり、又は前記第三の論理チャネル識別子が前記遠隔端末装置によって前記遠隔端末装置と前記ネットワーク装置に記憶された第三のプリセットルール情報に基づいて確定されるものであり、前記第三の論理チャネル識別子が前記遠隔端末装置によって前記アダプテーション層で前記第一のアクセス層データパケットにカプセル化されるものであり、また、
前記処理ユニットはさらにプリセット論理チャネル識別子を前記第二のアクセス層データパケットにカプセル化するように構成され、前記ネットワーク装置が前記プリセット論理チャネル識別子に基づき、前記アダプテーション層で前記第三の論理チャネル識別子を取得することができるように、前記プリセット論理チャネル識別子が前記第二のアクセス層データパケットが中継データであることを示すことに用いられることを特徴とする
請求項３１乃至３５のいずれか一項に記載の装置。
【請求項３９】
前記処理ユニットはさらに前記第三のアクセス層データパケットから第四の論理チャネル識別子を取得するように構成され、前記第四の論理チャネル識別子が前記ネットワーク装置によって第二のベアラに基づいて確定されるものであり、
前記処理ユニットはさらに前記第四の論理チャネル識別子に基づき、第五の論理チャネル識別子を確定するように構成され、前記遠隔端末装置が前記第五の論理チャネル識別子に基づいて前記第二のベアラを確定することができ、
前記処理ユニットはさらに前記第五の論理チャネル識別子を前記第四のアクセス層データパケットにカプセル化するように構成されることを特徴とする
請求項３１乃至３８のいずれか一項に記載の装置。
【請求項４０】
前記処理ユニットはさらに前記第四の論理チャネル識別子が前記ネットワーク装置により前記遠隔端末装置に割り当てられるものである場合、前記装置が前記第四の論理チャネル識別子を前記第五の論理チャネル識別子として確定するように構成され、
前記処理ユニットはさらに前記第四の論理チャネル識別子が前記ネットワーク装置によって前記ネットワーク装置に記憶された第四のプリセットルール情報に基づいて確定されるものである場合、前記装置が第五のプリセットルールの下での前記第二のベアラに対応する論理チャネル識別子を前記第五の論理チャネル識別子として確定するように構成され、ここで、第四のプリセットルールの下で、前記第四の論理チャネル識別子が前記第二のベアラに対応し、前記第五のプリセットルール情報が前記遠隔端末装置に記憶されることを特徴とする
請求項３９に記載の装置。
【請求項４１】
前記ネットワーク装置と前記遠隔端末装置の間にアダプテーション層が構成され、前記第三のアクセス層データパケットに第六の論理チャネル識別子が含まれ、前記第六の論理チャネル識別子が前記ネットワーク装置により前記遠隔端末装置に割り当てられるものであり、又は第六の論理チャネル識別子が前記遠隔端末装置によって前記遠隔端末装置と前記ネットワーク装置に記憶された第六のプリセットルールに基づいて確定されるものであり、前記第六の論理チャネル識別子が前記ネットワーク装置によって前記アダプテーション層で前記第三のアクセス層データパケットにカプセル化されるものであり、また、
前記処理ユニットはさらにプリセット論理チャネル識別子を前記第四のアクセス層データパケットにカプセル化するように構成され、前記遠隔端末装置が前記プリセット論理チャネル識別子に基づき、前記アダプテーション層で前記第六の論理チャネル識別子を取得することができるように、前記プリセット論理チャネル識別子が前記第四のアクセス層データパケットが中継データであることを示すことに用いられることを特徴とする
請求項３１乃至３８のいずれか一項に記載の装置。
【請求項４２】
前記処理ユニットはさらに第一のマッピング関係情報を取得するように構成され、前記第一のマッピング関係情報が複数のデータ量区間と複数のアップリンクチャネルとの１対１マッピング関係を示すことに用いられ、各データ量区間が少なくとも一つのデータ量を含み、
前記処理ユニットはさらに前記第二のアクセス層データパケットのデータ量の属するデータ量区間と前記第一のマッピング関係情報に基づき、第一のアップリンクチャネルを確定するように構成され、前記第一のアップリンクチャネルが前記第二のアクセス層データパケットのデータ量の属するデータ量区間に対応し、
前記送信ユニットはさらに前記第一のアップリンクチャネルを介して前記ネットワーク装置へリソースリクエストメッセージを送信するように構成され、
前記受信ユニットはさらに前記ネットワーク装置から送信された第一のスケジューリング情報を受信するように構成され、前記第一のスケジューリング情報が第一の伝送リソースを示すことに用いられ、前記第一の伝送リソースの大きさが前記ネットワーク装置によって前記第一のアップリンクチャネルと前記第一のマッピング関係情報に基づいて確定されるものであり、
前記送信ユニットはさらに前記第二の通信プロトコルに基づき、前記第一の伝送リソースを介し、前記ネットワーク装置へ前記第二のアクセス層データパケットを送信するように構成されることを特徴とする
請求項３１乃至４１のいずれか一項に記載の装置。
【請求項４３】
前記処理ユニットはさらに第二のマッピング関係情報を取得するように構成され、前記第二のマッピング関係情報が複数のデータ量区間と複数のプリアンブルとの１対１マッピング関係を示すことに用いられ、各データ量区間が少なくとも一つのデータ量を含み、
前記処理ユニットはさらに前記第二のアクセス層データパケットのデータ量の属するデータ量区間と前記第二のマッピング関係情報に基づき、第一のプリアンブルを確定するように構成され、前記第一のプリアンブルが前記第二のアクセス層データパケットのデータ量の属するデータ量区間に対応し、
前記送信ユニットはさらに前記ネットワーク装置へ前記第一のプリアンブルを送信するように構成され、
前記受信ユニットはさらに前記ネットワーク装置から送信された第二のスケジューリング情報を受信するように構成され、前記第二のスケジューリング情報が第二の伝送リソースを示すことに用いられ、前記第二の伝送リソースの大きさが前記ネットワーク装置によって前記第一のプリアンブルと前記第二のマッピング関係情報に基づいて確定されるものであり、
前記送信ユニットはさらに前記第二の通信プロトコルに基づき、前記第二の伝送リソースを介し、前記ネットワーク装置へ前記第二のアクセス層データパケットを送信するように構成されることを特徴とする
請求項３１乃至４１のいずれか一項に記載の装置。
【請求項４４】
前記第一のアクセス層データパケットと前記第四のアクセス層データパケットが前記第一の通信プロトコルに規定されたデータパケットであり、前記第二のアクセス層データパケットと前記第三のアクセス層データパケットが前記第二の通信プロトコルに規定されたデータパケットであることを特徴とする
請求項３１乃至４３のいずれか一項に記載の装置。
【請求項４５】
前記受信ユニットはさらに前記第一の通信プロトコルに基づき、前記遠隔端末装置から送信された第五のアクセス層データパケットを受信するように構成され、前記第五のアクセス層データパケットが前記遠隔端末装置によって前記ネットワーク装置への送信を必要とするＲＲＣ接続確立完了メッセージをカプセル化して生成されるものであり、前記第五のアクセス層データパケットに前記遠隔端末装置の装置識別子が含まれ、前記ＲＲＣ接続確立完了メッセージが前記遠隔端末装置によって前記遠隔端末装置の装置識別子と前記ＲＲＣ接続確立メッセージに基づいて生成されるものであり、
前記処理ユニットはさらに前記第五のアクセス層データパケットに基づき、第六のアクセス層データパケットを生成するように構成され、前記第六のアクセス層データパケットに前記遠隔端末装置の装置識別子が含まれ、
前記送信ユニットはさらに第二の通信プロトコルに基づき、前記ネットワーク装置へ前記第六のアクセス層データパケットを送信するように構成されることを特徴とする
請求項３１乃至４４のいずれか一項に記載の装置。
【請求項４６】
無線リソース制御接続（ＲＲＣ）を確立するための装置であって、前記装置、中継端末装置、及びネットワーク装置を備える通信システムで実行され、前記装置と前記中継端末装置が第一の通信プロトコルに基づいて通信し、前記中継端末装置と前記ネットワーク装置が第二の通信プロトコルに基づいて通信し、前記装置は、処理ユニットと、送信ユニットと、受信ユニットとを含み、
前記処理ユニットは、前記ネットワーク装置への送信を必要とする無線リソース制御接続確立リクエストメッセージをカプセル化し、第一のアクセス層データパケットを生成するように構成され、前記第一のアクセス層データパケットに前記装置の装置識別子が含まれ、
前記送信ユニットは、前記第一の通信プロトコルに基づき、前記中継端末装置へ前記第一のアクセス層データパケットを送信するように構成され、
前記受信ユニットは、前記第一の通信プロトコルに基づいて前記中継端末装置から送信された第四のアクセス層データパケットを受信するように構成され、前記第四のアクセス層データパケットに前記装置の装置識別子が含まれることを特徴とする、
装置。
【請求項４７】
前記処理ユニットはさらに前記装置の装置識別子を前記第一のアクセス層データパケットにカプセル化するように構成され、
前記処理ユニットはさらにＬ２層で前記第四のアクセス層データパケットから前記装置の装置識別子を取得するように構成されることを特徴とする
請求項４６に記載の装置。
【請求項４８】
前記処理ユニットはさらにアダプテーション層で前記装置の装置識別子を前記第一のアクセス層データパケットにカプセル化するように構成され、
前記処理ユニットはさらにアダプテーション層で前記第四のアクセス層データパケットから前記装置の装置識別子を取得するように構成されることを特徴とする
請求項４６に記載の装置。
【請求項４９】
前記処理ユニットはさらにＲＲＣ層で前記装置の装置識別子を前記第一のアクセス層データパケットにカプセル化するように構成され、
前記処理ユニットはさらにＲＲＣ層で前記第四のアクセス層データパケットから前記装置の装置識別子を取得するように構成されることを特徴とする
請求項４６に記載の装置。
【請求項５０】
前記ネットワーク装置と前記装置の間にアダプテーション層が構成され、前記第三のアクセス層データパケットに第六の論理チャネル識別子が含まれ、前記第六の論理チャネル識別子が前記ネットワーク装置により前記装置に割り当てられるものであり、又は前記第六の論理チャネル識別子が前記装置によって前記装置と前記ネットワーク装置に記憶された第六のプリセットルール情報に基づいて確定されるものであり、前記第六の論理チャネル識別子が前記ネットワーク装置によって前記アダプテーション層で前記第三のアクセス層データパケットにカプセル化されるものであり、また、
前記処理ユニットはさらに前記第四のアクセス層データパケットに含まれるプリセット論理チャネル識別子に基づき、前記アダプテーション層で前記第六の論理チャネル識別子を取得するように構成され、前記プリセット論理チャネル識別子が前記中継端末装置によって前記第四のアクセス層データパケットにカプセル化されるものであり、前記プリセット論理チャネル識別子が前記第四のアクセス層データパケットが中継データであることを示すことに用いられることを特徴とする
請求項４６乃至４９のいずれか一項に記載の装置。
【請求項５１】
前記第一のアクセス層データパケットと前記第四のアクセス層は第一の通信プロトコルに規定されたデータパケットであることを特徴とする
請求項４６乃至５０のいずれか一項に記載の装置。
【請求項５２】
前記処理ユニットはさらに前記装置の装置識別子と前記ＲＲＣ接続確立メッセージに基づき、前記ネットワーク装置への送信を必要とするＲＲＣ接続確立完了メッセージを生成するように構成され、
前記処理ユニットはさらに前記ＲＲＣ接続確立完了メッセージをカプセル化して、第五のアクセス層データパケットを生成するように構成され、前記第五のアクセス層データパケットに前記装置の装置識別子が含まれ、
前記送信ユニットはさらに前記第一の通信プロトコルに基づき、前記中継端末装置へ前記第五のアクセス層データパケットを送信するように構成されることを特徴とする
請求項４６乃至５１のいずれか一項に記載の装置である。
【請求項５３】
無線リソース制御接続（ＲＲＣ）を確立するための装置であって、遠隔端末装置、中継端末装置、及び前記装置を備える通信システムで実行され、前記遠隔端末装置と前記中継端末装置が第一の通信プロトコルに基づいて通信し、前記中継端末装置と前記装置が第二の通信プロトコルに基づいて通信し、前記装置は、受信ユニットと、処理ユニットと、送信ユニットとを含み、
前記受信ユニットは、前記第二の通信プロトコルに基づき、前記中継端末装置から送信された第二のアクセス層データパケットを受信するように構成され、第二のアクセス層データパケットに前記遠隔端末装置の装置識別子が含まれ、前記第二のアクセス層データパケットが前記中継端末装置によって第一のアクセス層データパケットに基づいて生成されるものであり、第一のアクセス層データパケットが前記遠隔端末装置によって前記装置への送信を必要とするＲＲＣ接続確立リクエストメッセージをカプセル化して生成されるものであり、
前記処理ユニットは、第二のアクセス層データパケットに含まれる前記遠隔端末装置の装置識別子と前記ＲＲＣ接続確立リクエストメッセージに基づき、前記遠隔端末装置への送信を必要とするＲＲＣ接続確立メッセージを生成するように構成され、
前記処理ユニットは、さらに前記ＲＲＣ接続確立メッセージをカプセル化し、第三のアクセス層データパケットを生成するように構成され、前記第三のアクセス層データパケットに前記遠隔端末装置の装置識別子が含まれ、
前記送信ユニットは、前記第二の通信プロトコルに基づき、前記ネットワーク装置へ前記第三のアクセス層データパケットを送信するように構成されることを特徴とする、
装置。
【請求項５４】
前記処理ユニットはさらにＬ２層で前記第二のアクセス層データパケットから前記遠隔端末装置の装置識別子を取得するように構成され、
前記処理ユニットはさらにＬ２層で前記遠隔端末装置の装置識別子を前記第三のアクセス層データパケットにカプセル化するように構成されることを特徴とする
請求項５３に記載の装置。
【請求項５５】
前記処理ユニットはさらにアダプテーション層で前記第二のアクセス層データパケットから前記遠隔端末装置の装置識別子を取得するように構成され、
前記処理ユニットはさらにアダプテーション層で前記遠隔端末装置の装置識別子を前記第三のアクセス層データパケットにカプセル化するように構成されることを特徴とする
請求項５３に記載の装置。
【請求項５６】
前記処理ユニットはさらにＲＲＣ層で前記第二のアクセス層データパケットから前記遠隔端末装置の装置識別子を取得するように構成され、
前記処理ユニットはさらにＲＲＣ層で前記遠隔端末装置の装置識別子を前記第三のアクセス層データパケットにカプセル化するように構成されることを特徴とする
請求項５３に記載の装置。
【請求項５７】
前記装置と遠隔端末装置の間にアダプテーション層が構成され、前記第一のアクセス層データパケットに第三の論理チャネル識別子が含まれ、前記第三の論理チャネル識別子が前記装置から前記遠隔端末装置に割り当てられるものであり、又は前記第三の論理チャネル識別子が前記遠隔端末装置によって前記遠隔端末装置と前記装置に記憶された第三のプリセットルール情報に基づいて確定されるものであり、前記第三の論理チャネル識別子が前記遠隔端末装置によって前記アダプテーション層で前記第一のアクセス層データパケットにカプセル化されるものであり、また、
前記処理ユニットはさらに前記第二のアクセス層データパケットに含まれるプリセット論理チャネル識別子に基づき、前記アダプテーション層で前記第三の論理チャネル識別子を取得するように構成され、前記プリセット論理チャネル識別子が前記中継端末装置によって前記第二のアクセス層データパケットにカプセル化されるものであり、前記プリセット論理チャネル識別子が前記第二のアクセス層データパケットが中継データであることを示すことに用いられることを特徴とする
請求項５３乃至５６のいずれか一項に記載の装置。
【請求項５８】
前記処理ユニットはさらに第一のマッピング関係情報を取得するように構成され、前記第一のマッピング関係情報が複数のデータ量区間と複数のアップリンクチャネルとの１対１関係を示すことに用いられ、各データ量区間が少なくとも一つのデータ量を含み、
前記受信ユニットはさらに前記中継端末装置から第一のアップリンクチャネルを介して送信されたリソースリクエストメッセージを受信するように構成され、第一のアップリンクチャネルが前記第二のアクセス層データパケットのデータ量の属するデータ量区間に対応し、
前記処理ユニットはさらに前記第一のアップリンクチャネルと前記第一のマッピング関係情報に基づき、第一の伝送リソースを確定するように構成され、
前記送信ユニットはさらに前記中継端末装置へ前記第一のスケジューリング情報を送信するように構成され、前記第一のスケジューリング情報が前記第一の伝送リソースを示すことに用いられ、
前記受信ユニットはさらに前記第二の通信プロトコルに基づき、前記第一の伝送リソースを介し、前記中継端末装置から送信された第二のアクセス層データパケットを受信するように構成されることを特徴とする
請求項５３乃至５７のいずれか一項に記載の装置。
【請求項５９】
前記処理ユニットはさらに第二のマッピング関係情報を取得するように構成され、前記第二のマッピング関係情報が複数のデータ量区間と複数のプリアンブルとの１対１マッピング関係を示すことに用いられ、各データ量区間が少なくとも一つのデータ量を含み、
前記受信ユニットはさらに前記中継端末装置から送信された第一のプリアンブルを受信するように構成され、前記第一のプリアンブルが前記第二のアクセス層データパケットのデータ量の属するデータ量区間に対応し、
前記処理ユニットはさらに前記第一のプリアンブルと前記第二のマッピング関係情報に基づき、第二の伝送リソースを確定するように構成され、
前記送信ユニットはさらに前記中継端末装置へ前記第二のスケジューリング情報を送信するように構成され、前記第二のスケジューリング情報が前記第二の伝送リソースを示すことに用いられ、
前記受信ユニットはさらに前記第二の通信プロトコルに基づき、前記第二の伝送リソースを介し、前記中継端末装置から送信された第二のアクセス層データパケットを受信するように構成されることを特徴とする
請求項５３乃至５７のいずれか一項に記載の装置。
【請求項６０】
前記受信ユニットはさらに前記第二の通信プロトコルに基づき、前記中継端末装置から送信された第六のアクセス層データパケットを受信するように構成され、前記第六のアクセス層データパケットが第五のアクセス層データパケットに基づいて生成されるものであり、前記第五のアクセス層データパケットが、前記遠隔端末装置が前記装置への送信を必要とするＲＲＣ接続確立完了メッセージをカプセル化して生成されるものであり、前記第五のアクセス層データパケットに前記遠隔端末装置の装置識別子が含まれ、前記第六のアクセス層データパケットに前記遠隔端末装置の装置識別子が含まれることを特徴とする
請求項５２乃至５９のいずれか一項に記載の装置。
【発明の詳細な説明】
【技術分野】
【０００１】
本発明の実施例は通信分野に関し、且つより具体的には、無線リソース制御接続を確立するための方法及び装置に関する。
【背景技術】
【０００２】
現在、端末装置がネットワーク装置のカバレッジ範囲内にある場合、該端末装置がネットワーク装置と無線リソース制御（ＲＲＣ：Ｒａｄｉｏ  Ｒｅｓｏｕｒｃｅ  Ｃｏｎｔｒｏｌ）接続を確立することができ、これにより、ＲＲＣ接続に基づき、データ伝送を制御することができるという通信方法は知られている。
【０００３】
しかし、端末装置がネットワーク装置のカバレッジ範囲外にある場合、ネットワーク装置とシグナリング伝送を行うことができないため、ＲＲＣ接続を確立することができない。
【０００４】
ネットワーク装置のカバレッジ範囲外にある端末装置に対してＲＲＣ接続を確立することができるという解決策を提供することが望ましい。
【発明の概要】
【発明が解決しようとする課題】
【０００５】
本発明は、ネットワーク装置のカバレッジ範囲外にある端末装置に対してＲＲＣ接続を確立することができる、無線リソース制御接続を確立するための方法及び装置を提供する。
【課題を解決するための手段】
【０００６】
第一の態様による遠隔端末装置、中継端末装置とネットワーク装置を備える通信システムで実行され、該遠隔端末装置と該中継端末装置が第一の通信プロトコルに基づいて通信し、該中継端末装置と該ネットワーク装置が第二の通信プロトコルに基づいて通信するという無線リソース制御接続を確立するための方法であって、該中継端末装置が該第一の通信プロトコルに基づき、遠隔端末装置から送信された第一のアクセス層データパケットを受信し、該第一のアクセス層データパケットが該遠隔端末装置によって該ネットワーク装置への送信を必要とする無線リソース制御（ＲＲＣ）接続確立リクエストメッセージをカプセル化して生成されるものであり、該第一のアクセス層データパケットに該遠隔端末装置の装置識別子が含まれることと、該中継端末装置が該第一のアクセス層データパケットに基づき、第二のアクセス層データパケットを生成し、該第二のアクセス層データパケットに該遠隔端末装置の装置識別子が含まれることと、該中継端末装置が該第二の通信プロトコルに基づき、該ネットワーク装置へ該第二のアクセス層データパケットを送信することと、該中継端末装置が該第二の通信プロトコルに基づき、該ネットワーク装置から送信された第三のアクセス層データパケットを受信し、該第三のアクセス層データパケットが該ネットワーク装置によって該遠隔端末装置への送信を必要とするＲＲＣ接続確立メッセージをカプセル化して生成されるものであり、該ＲＲＣ接続確立メッセージが該ネットワーク装置によって該遠隔端末装置の装置識別子と該ＲＲＣ接続確立リクエストメッセージに基づいて生成されるものであり、該第三のアクセス層データパケットに該遠隔端末装置の装置識別子が含まれることと、該中継端末装置が該第三のアクセス層データパケットに基づき、第四のアクセス層データパケットを生成し、該第四のアクセス層データパケットに該遠隔端末装置の装置識別子が含まれることと、該中継端末装置が該第一の通信プロトコルに基づき、該遠隔端末装置へ該第四のアクセス層データパケットを送信することとを含む。
【０００７】
第一の態様と組み合わせ、第一の態様の第一の実施形態では、該遠隔端末装置の装置識別子が該遠隔端末装置によってＬ２層で該第一のアクセス層データパケットにカプセル化されるものであり、該遠隔端末装置の装置識別子が該ネットワーク装置によってＬ２層で該第三のアクセス層データパケットにカプセル化されるものであり、また該方法は、さらに該中継端末装置がＬ２層で該第一のアクセス層データパケットから該遠隔端末装置の装置識別子を取得することと、該中継端末装置がＬ２層で該遠隔端末装置の装置識別子を該第二のアクセス層データパケットにカプセル化することと、該中継端末装置がＬ２層で該第三のアクセス層データパケットから該遠隔端末装置の装置識別子を取得することと、該中継端末装置がＬ２層で該遠隔端末装置の装置識別子を該第四のアクセス層データパケットにカプセル化することとを含む。
【０００８】
第一の態様及びその上記実施形態と組み合わせ、第一の態様の第二の実施形態では、該遠隔端末装置の装置識別子が該遠隔端末装置によってＬ２層で該第一のアクセス層データパケットにカプセル化されるものであり、該遠隔端末装置の装置識別子が該ネットワーク装置によってＬ２層で該第三のアクセス層データパケットにカプセル化されるものであり、また該方法は、さらに該中継端末装置がＬ２層で該第一のアクセス層データパケットから該遠隔端末装置の装置識別子を取得することと、該中継端末装置がＬ２層で該遠隔端末装置の装置識別子を該第二のアクセス層データパケットにカプセル化することと、該中継端末装置がＬ２層で該第三のアクセス層データパケットから該遠隔端末装置の装置識別子を取得することと、該中継端末装置がＬ２層で該遠隔端末装置の装置識別子を該第四のアクセス層データパケットにカプセル化することとを含む。
【０００９】
第一の態様及びその上記実施形態と組み合わせ、第一の態様の第三の実施形態では、該遠隔端末装置の装置識別子が該遠隔端末装置によってアダプテーション層で該第一のアクセス層データパケットにカプセル化されるものであり、該遠隔端末装置の装置識別子が該ネットワーク装置によってＬ２層で該第三のアクセス層データパケットにカプセル化されるものであり、また該方法は、さらに該中継端末装置がアダプテーション層で該第一のアクセス層データパケットから該遠隔端末装置の装置識別子を取得することと、該中継端末装置がＬ２層で該遠隔端末装置の装置識別子を該第二のアクセス層データパケットにカプセル化することと、該中継端末装置がＬ２層で該第三のアクセス層データパケットから該遠隔端末装置の装置識別子を取得することと、該中継端末装置がアダプテーション層で該遠隔端末装置の装置識別子を該第四のアクセス層データパケットにカプセル化することとを含む。
【００１０】
第一の態様及びその上記実施形態と組み合わせ、第一の態様の第四の実施形態では、該遠隔端末装置の装置識別子が該遠隔端末装置によってＲＲＣ層で該第一のアクセス層データパケットにカプセル化されるものであり、該遠隔端末装置の装置識別子が該ネットワーク装置によってＲＲＣ層で該第三のアクセス層データパケットにカプセル化されるものである。
【００１１】
第一の態様及びその上記実施形態と組み合わせ、第一の態様の第五の実施形態では、該方法は、さらに該中継端末装置が該第一のアクセス層データパケットから第一の論理チャネル識別子を取得し、該第一の論理チャネル識別子が遠隔端末装置によって第一のベアラに基づいて確定されるものであることと、該中継端末装置が該第一の論理チャネル識別子に基づき、第二の論理チャネル識別子を確定し、ここで、該ネットワーク装置が該第二の論理チャネル識別子に基づいて該第一のベアラを確定することができることと、該中継端末装置が該第二の論理チャネル識別子を該第二のアクセス層データパケットにカプセル化することとを含む。
【００１２】
第一の態様及びその上記実施形態と組み合わせ、第一の態様の第六の実施形態では、該中継端末装置が該第一の論理チャネル識別子に基づき、第二の論理チャネル識別子を確定することは、該第一の論理チャネル識別子が該ネットワーク装置により該遠隔端末装置に割り当てられるものである場合、該中継端末装置が該第一の論理チャネル識別子を該第二の論理チャネル識別子として確定すること、該第一の論理チャネル識別子が該遠隔端末装置によって該遠隔端末装置に記憶された第一のプリセットルール情報に基づいて確定されるものであり、ここで、第一のプリセットルールの下で、該第一の論理チャネル識別子が該第一のベアラに対応する場合、該中継端末装置が第二のプリセットルールの下での該第一のベアラに対応する論理チャネル識別子を該第二の論理チャネル識別子として確定し、該第二のプリセットルール情報が該ネットワーク装置に記憶されることを含む。
【００１３】
第一の態様及びその上記実施形態と組み合わせ、第一の態様の第七の実施形態では、該ネットワーク装置と該遠隔端末装置の間にアダプテーション層が構成され、該第一のアクセス層データパケットに第三の論理チャネル識別子が含まれ、該第三の論理チャネル識別子が該ネットワーク装置により該遠隔端末装置に割り当てられるものであり、又は該第三の論理チャネル識別子が該遠隔端末装置によって該遠隔端末装置と該ネットワーク装置に記憶された第三のプリセットルール情報に基づいて確定されるものであり、該第三の論理チャネル識別子が該遠隔端末装置によって該アダプテーション層で該第一のアクセス層データパケットにカプセル化されるものであり、また該方法は、さらに該中継端末装置がプリセット論理チャネル識別子を該第二のアクセス層データパケットにカプセル化し、該ネットワーク装置が該プリセット論理チャネル識別子に基づき、該アダプテーション層で該第三の論理チャネル識別子を取得することができるように、該プリセット論理チャネル識別子が該第二のアクセス層データパケットが中継データであることを示すことに用いられることを含む。
【００１４】
第一の態様及びその上記実施形態と組み合わせ、第一の態様の第八の実施形態では、該方法は、さらに該中継端末装置が該第三のアクセス層データパケットから第四の論理チャネル識別子を取得し、該第四の論理チャネル識別子が該ネットワーク装置によって第二のベアラに基づいて確定されるものであることと、該中継端末装置が該第四の論理チャネル識別子に基づき、第五の論理チャネル識別子を確定し、ここで、該遠隔端末装置が該第五の論理チャネル識別子に基づいて該第二のベアラを確定することができることと、該中継端末装置が該第五の論理チャネル識別子を該第四のアクセス層データパケットにカプセル化することとを含む。
【００１５】
第一の態様及びその上記実施形態と組み合わせ、第一の態様の第九の実施形態では、該中継端末装置が該第四の論理チャネル識別子に基づき、第五の論理チャネル識別子を確定することは、該第四の論理チャネル識別子が該ネットワーク装置により該遠隔端末装置に割り当てられるものである場合、該中継端末装置が該第四の論理チャネル識別子を該第五の論理チャネル識別子として確定すること、該第四の論理チャネル識別子が該ネットワーク装置によって該ネットワーク装置に記憶された第四のプリセットルール情報に基づいて確定されるものであり、ここで、第四のプリセットルールの下で、該第四の論理チャネル識別子が該第二のベアラに対応する場合、該中継端末装置が第五のプリセットルールの下での該第二のベアラに対応する論理チャネル識別子を該第五の論理チャネル識別子として確定し、該第五のプリセットルール情報が該遠隔端末装置に記憶されることを含む。
【００１６】
第一の態様及びその上記実施形態と組み合わせ、第一の態様の第十の実施形態では、該ネットワーク装置と該遠隔端末装置の間にアダプテーション層が構成され、該第三のアクセス層データパケットに第六の論理チャネル識別子が含まれ、該第六の論理チャネル識別子が該ネットワーク装置により該遠隔端末装置に割り当てられるものであり、又は第六の論理チャネル識別子が該遠隔端末装置によって該遠隔端末装置と該ネットワーク装置に記憶された第六のプリセットルールに基づいて確定されるものであり、該第六の論理チャネル識別子が該ネットワーク装置によって該アダプテーション層で該第三のアクセス層データパケットにカプセル化されるものであり、また該方法は、さらに該中継端末装置がプリセット論理チャネル識別子を該第四のアクセス層データパケットにカプセル化し、ここで、該遠隔端末装置が該プリセット論理チャネル識別子に基づき、該アダプテーション層で該第六の論理チャネル識別子を取得することができるように、該プリセット論理チャネル識別子が該第四のアクセス層データパケットが中継データであることを示すことに用いられることを含む。
【００１７】
第一の態様及びその上記実施形態と組み合わせ、第一の態様の第十一の実施形態では、該中継端末装置が該第三のアクセス層データパケットに基づき、第四のアクセス層データパケットを生成する前に、該方法は、さらに該中継端末装置が該第三のアクセス層データパケットに特定論理チャネル識別子又は特定無線ネットワーク一時識別子ＲＮＴＩが含まれることを確定し、該特定論理チャネル識別子が該第三のアクセス層データパケットが中継データであることを示すことに用いられ、該特定ＲＮＴＩが該第三のアクセス層データパケットが中継であることを示すことに用いられることを含む。
【００１８】
第一の態様及びその上記実施形態と組み合わせ、第一の態様の第十二の実施形態では、該中継端末装置が該第二の通信プロトコルに基づき、該ネットワーク装置へ該第二のアクセス層データパケットを送信することは、該中継端末装置が第一のマッピング関係情報を取得し、該第一のマッピング関係情報が複数のデータ量区間と複数のアップリンクチャネルとの１対１マッピング関係を示すことに用いられ、各データ量区間が少なくとも一つのデータ量を含むこと、該中継端末装置が該第二のアクセス層データパケットのデータ量の属するデータ量区間と該第一のマッピング関係情報に基づき、第一のアップリンクチャネルを確定し、該第一のアップリンクチャネルが該第二のアクセス層データパケットのデータ量の属するデータ量区間に対応すること、該中継端末装置が該第一のアップリンクチャネルを介して該ネットワーク装置へリソースリクエストメッセージを送信すること、該中継端末装置が該ネットワーク装置から送信された第一のスケジューリング情報を受信し、該第一のスケジューリング情報が第一の伝送リソースを示すことに用いられ、該第一の伝送リソースの大きさが該ネットワーク装置によって該第一のアップリンクチャネルと該第一のマッピング関係情報に基づいて確定されるものであること、該中継端末装置が該第二の通信プロトコルに基づき、該第一の伝送リソースを介し、該ネットワーク装置へ該第二のアクセス層データパケットを送信することを含む。
【００１９】
第一の態様及びその上記実施形態と組み合わせ、第一の態様の第十三の実施形態では、該中継端末装置が該第二の通信プロトコルに基づき、該ネットワーク装置へ該第二のアクセス層データパケットを送信することは、該中継端末装置が第二のマッピング関係情報を取得し、該第二のマッピング関係情報が複数のデータ量区間と複数のプリアンブルとの１対１マッピング関係を示すことに用いられ、各データ量区間が少なくとも一つのデータ量を含むこと、該中継端末装置が該第二のアクセス層データパケットのデータ量の属するデータ量区間と該第二のマッピング関係情報に基づき、第一のプリアンブルを確定し、該第一のプリアンブルが該第二のアクセス層データパケットのデータ量の属するデータ量区間に対応すること、該中継端末装置が該ネットワーク装置へ該第一のプリアンブルを送信すること、該中継端末装置が該ネットワーク装置から送信された第二のスケジューリング情報を受信し、該第二のスケジューリング情報が第二の伝送リソースを示すことに用いられ、該第二の伝送リソースの大きさが該ネットワーク装置によって該第一のプリアンブルと該第二のマッピング関係情報に基づいて確定されるものであること、該中継端末装置が該第二の通信プロトコルに基づき、該第二の伝送リソースを介し、該ネットワーク装置へ該第二のアクセス層データパケットを送信することを含む。
【００２０】
第一の態様及びその上記実施形態と組み合わせ、第一の態様の第十四の実施形態では、該第一のアクセス層データパケットと該第四のアクセス層データパケットが該第一の通信プロトコルに規定されたデータパケットであり、該第二のアクセス層データパケットと該第三のアクセス層データパケットが該第二の通信プロトコルに規定されたデータパケットである。
【００２１】
第一の態様及びその上記実施形態と組み合わせ、第一の態様の第十五の実施形態では、該方法は、さらに該中継端末装置が該第一の通信プロトコルに基づき、該遠隔端末装置から送信された第五のアクセス層データパケットを受信し、該第五のアクセス層データパケットが該遠隔端末装置が該ネットワーク装置への送信を必要とするＲＲＣ接続確立完了メッセージをカプセル化して生成されるものであり、ここで、該第五のアクセス層データパケットに該遠隔端末装置の装置識別子が含まれ、該ＲＲＣ接続確立完了メッセージが該遠隔端末装置によって該遠隔端末装置の装置識別子と該ＲＲＣ接続確立メッセージに基づいて生成されるものであること、該中継端末装置が該第五のアクセス層データパケットに基づき、第六のアクセス層データパケットを生成し、該第六のアクセス層データパケットに該遠隔端末装置の装置識別子が含まれること、該中継端末装置が第二の通信プロトコルに基づき、該ネットワーク装置へ該第六のアクセス層データパケットを送信することを含む。
【００２２】
第二の態様による遠隔端末装置、中継端末装置とネットワーク装置を備える通信システムで実行され、該遠隔端末装置と該中継端末装置が第一の通信プロトコルに基づいて通信し、該中継端末装置と該ネットワーク装置が第二の通信プロトコルに基づいて通信するという無線リソース制御接続を確立するための方法であって、該遠隔端末装置が該ネットワーク装置への送信を必要とする無線リソース制御（ＲＲＣ）接続確立リクエストメッセージをカプセル化し、第一のアクセス層データパケットを生成し、該第一のアクセス層データパケットに該遠隔端末装置の装置識別子が含まれることと、該遠隔端末装置が該第一の通信プロトコルに基づき、該中継端末装置へ該第一のアクセス層データパケットを送信することと、該遠隔端末装置が該第一の通信プロトコルに基づいて該中継端末装置から送信された該第四のアクセス層データパケットを受信し、該第四のアクセス層データパケットに該遠隔端末装置の装置識別子が含まれることとを含む。
【００２３】
第二の態様と組み合わせ、第二の態様の第一の実施形態では、該方法は、さらに該遠隔端末装置がＬ層で遠隔端末装置の装置識別子を該第一のアクセス層データパケットにカプセル化することと、該遠隔端末装置がＬ２層で該第四のアクセス層データパケットから該遠隔端末装置の装置識別子を取得することとを含む。
【００２４】
第二の態様及びその上記実施形態と組み合わせ、第二の態様の第二の実施形態では、該方法は、さらに該遠隔端末装置がアダプテーション層で該遠隔端末装置の装置識別子を該第一のアクセス層データパケットにカプセル化することと、該遠隔端末装置がアダプテーション層で該第四のアクセス層データパケットから該遠隔端末装置の装置識別子を取得することとを含む。
【００２５】
第二の態様及びその上記実施形態と組み合わせ、第二の態様の第三の実施形態では、該方法は、さらに該遠隔端末装置がＲＲＣ層で該遠隔端末装置の装置識別子を該第一のアクセス層データパケットにカプセル化することと、該遠隔端末装置がＲＲＣ層で該第四のアクセス層データパケットから該遠隔端末装置の装置識別子を取得することとを含む。
【００２６】
第二の態様及びその上記実施形態と組み合わせ、第二の態様の第四の実施形態では、該ネットワーク装置と該遠隔端末装置の間にアダプテーション層が構成され、該第三のアクセス層データパケットに第六の論理チャネル識別子が含まれ、該第六の論理チャネル識別子が該ネットワーク装置により該遠隔端末装置に割り当てられるものであり、又は該第六の論理チャネル識別子が該遠隔端末装置によって該遠隔端末装置と該ネットワーク装置に記憶された第六のプリセットルール情報に基づいて確定されるものであり、該第六の論理チャネル識別子が該ネットワーク装置によって該アダプテーション層で該第三のアクセス層データパケットにカプセル化されるものであり、また該方法は、さらに該遠隔端末装置が該第四のアクセス層データパケットに含まれるプリセット論理チャネル識別子に基づき、該アダプテーション層で該第六の論理チャネル識別子を取得し、該プリセット論理チャネル識別子が該中継端末装置によって該第四のアクセス層データパケットにカプセル化されるものであり、該プリセット論理チャネル識別子が該第四のアクセス層データパケットが中継データであることを示すことに用いられることを含む。
【００２７】
第二の態様及びその上記実施形態と組み合わせ、第二の態様の第五の実施形態では、該第一のアクセス層データパケットと該第四のアクセス層データパケットは該第一の通信プロトコルに規定されたデータパケットである。
【００２８】
第二の態様及びその上記実施形態と組み合わせ、第二の態様の第六の実施形態では、該方法は、さらに該遠隔端末装置が該遠隔端末装置の装置識別子と該ＲＲＣ接続確立メッセージに基づき、該ネットワーク装置への送信を必要とするＲＲＣ接続確立完了メッセージを生成することと、該遠隔端末装置が該ＲＲＣ接続確立完了メッセージをカプセル化して、第五のアクセス層データパケットを生成し、該第五のアクセス層データパケットに該遠隔端末装置の装置識別子が含まれることと、該遠隔端末装置が該第一の通信プロトコルに基づき、該中継端末装置へ該第五のアクセス層データパケットを送信することとを含む。
【００２９】
第三の態様による遠隔端末装置、中継端末装置とネットワーク装置を備える通信システムで実行され、該遠隔端末装置と該中継端末装置が第一の通信プロトコルに基づいて通信し、該中継端末装置と該ネットワーク装置が第二の通信プロトコルに基づいて通信するという無線リソース制御接続を確立するための方法では、該ネットワーク装置が該第二の通信プロトコルに基づき、該中継端末装置から送信された第二のアクセス層データパケットを受信し、第二のアクセス層データパケットに該遠隔端末装置の装置識別子が含まれ、該第二のアクセス層データパケットが該中継端末装置によって第一のアクセス層データパケットに基づいて生成されるものであり、第一のアクセス層データパケットが該遠隔端末装置によって該ネットワーク装置への送信を必要とするＲＲＣ接続確立メッセージ情報をカプセル化して生成されるものであることと、該ネットワーク装置が第二のアクセス層データパケットに含まれる該遠隔端末装置の装置識別子と該ＲＲＣ接続確立リクエストメッセージに基づき、該遠隔端末装置への送信を必要とするＲＲＣ接続確立メッセージを生成することと、該ネットワーク装置が該ＲＲＣ接続確立メッセージをカプセル化して、第三のアクセス層データパケットを生成し、該第三のアクセス層データパケットに該遠隔端末装置の装置識別子が含まれることと、該ネットワーク装置が該第二の通信プロトコルに基づき、該中継端末装置へ該第三のアクセス層データパケットを送信することとを含む。
【００３０】
第三の態様と組み合わせ、第三の態様の第一の実施形態では、該方法は、さらに該ネットワーク装置がＬ２層で該第二のアクセス層データパケットから該遠隔端末装置の装置識別子を取得することと、該ネットワーク装置がＬ２層で該遠隔端末装置の装置識別子を該第三のアクセス層データパケットにカプセル化することとを含む。
【００３１】
第三の態様及びその上記実施形態と組み合わせ、第三の態様の第二の実施形態では、該方法は、さらに該ネットワーク装置がアダプテーション層で該第二のアクセス層データパケットから該遠隔端末装置の装置識別子を取得することと、該ネットワーク装置がアダプテーション層で該遠隔端末装置の装置識別子を該第三のアクセス層データパケットにカプセル化することとを含む。
【００３２】
第三の態様及びその上記実施形態と組み合わせ、第三の態様の第三の実施形態では、該方法は、さらに該ネットワーク装置がＲＲＣ層で該第二のアクセス層データパケットから該遠隔端末装置の装置識別子を取得することと、該ネットワーク装置がＲＲＣ層で該遠隔端末装置の装置識別子を該第三のアクセス層データパケットにカプセル化することとを含む。
【００３３】
第三の態様及びその上記実施形態と組み合わせ、第三の態様の第四の実施形態では、該ネットワーク装置と該遠隔端末装置の間にアダプテーション層が構成され、該第一のアクセス層データパケットに第三の論理チャネル識別子が含まれ、該第三の論理チャネル識別子が該ネットワーク装置により該遠隔端末装置に割り当てられるものであり、又は該第三の論理チャネル識別子が該遠隔端末装置によって該遠隔端末装置と該ネットワーク装置に記憶された第三のプリセットルール情報に基づいて確定されるものであり、該第三の論理チャネル識別子が該遠隔端末装置によって該アダプテーション層で該第一のアクセス層データパケットにカプセル化されるものであり、また該方法は、さらに該ネットワーク装置が該第二のアクセス層データパケットに含まれるプリセット論理チャネル識別子に基づき、該アダプテーション層で該第三の論理チャネル識別子を取得し、該プリセット論理チャネル識別子が該中継端末装置によって該第二のアクセス層データパケットにカプセル化されるものであり、該プリセット論理チャネル識別子が該第二のアクセス層データパケットが中継データであることを示すことに用いられることを含む。
【００３４】
第三の態様及びその上記実施形態と組み合わせ、第三の態様の第五の実施形態では、該ネットワーク装置が該第二の通信プロトコルに基づき、該中継端末装置から送信された第二のアクセス層データパケットを受信することは、該ネットワーク装置が第一のマッピング関係情報を取得し、該第一のマッピング関係情報が複数のデータ量区間と複数のアップリンクチャネルとの１対１マッピング関係を示すことに用いられ、各データ量区間が少なくとも一つのデータ量を含むこと、該ネットワーク装置が該中継端末装置から第一のアップリンクチャネルを介して送信されたリソースリクエストメッセージを受信し、ここで、第一のアップリンクチャネルが該第二のアクセス層データパケットのデータ量の属するデータ量区間に対応すること、該ネットワーク装置が該第一のアップリンクチャネルと該第一のマッピング関係情報に基づき、第一の伝送リソースを確定すること、該ネットワーク装置が該中継端末装置へ該第一のスケジューリング情報を送信し、該第一のスケジューリング情報が該第一の伝送リソースを示すことに用いられること、該ネットワーク装置が該第二の通信プロトコルに基づき、該第一の伝送リソースを介し、該中継端末装置から送信された第二のアクセス層データパケットを受信することを含む。
【００３５】
第三の態様及びその上記実施形態と組み合わせ、第三の態様の第六の実施形態では、該ネットワーク装置が該第二の通信プロトコルに基づき、該中継端末装置から送信された第二のアクセス層データパケットを受信することは、該ネットワーク装置が第二のマッピング関係情報を取得し、該第二のマッピング関係情報が複数のデータ量区間と複数のプリアンブルとの１対１マッピング関係を示すことに用いられ、各データ量区間が少なくとも一つのデータ量を含むこと、該ネットワーク装置が該中継端末装置から送信された第一のプリアンブルを受信し、該第一のプリアンブルが該第二のアクセス層データパケットのデータ量の属するデータ量区間に対応すること、該ネットワーク装置が該第一のプリアンブルと該第二のマッピング関係情報に基づき、第二の伝送リソースを確定すること、該ネットワーク装置が該中継端末装置へ該第二のスケジューリング情報を送信し、該第二のスケジューリング情報が該第二の伝送リソースを示すことに用いられること、該ネットワーク装置が該第二の通信プロトコルに基づき、該第二の伝送リソースを介し、該中継端末装置から送信された第二のアクセス層データパケットを受信することを含む。
【００３６】
第三の態様及びその上記実施形態と組み合わせ、第三の態様の第七の実施形態では、該第一のアクセス層データパケットと該第四のアクセス層データパケットは該第一の通信プロトコルに規定されたデータパケットであり、該第二のアクセス層データパケットと該第三のアクセス層データパケットは該第二の通信プロトコルに規定されたデータパケットである。
【００３７】
第三の態様及びその上記実施形態と組み合わせ、第三の態様の第八の実施形態では、該方法は、さらに該ネットワーク装置が該第二の通信プロトコルに基づき、該中継端末装置から送信された第六のアクセス層データパケットを受信し、該第六のアクセス層データパケットが第五のアクセス層データパケットに基づいて生成されるものであり、前記第五のアクセス層データパケットが該遠隔端末装置によって該ネットワーク装置への送信を必要とするＲＲＣ接続確立完了メッセージをカプセル化して生成されるものであり、該第五のアクセス層データパケットに該遠隔端末装置の装置識別子が含まれ、該第六のアクセス層データパケットに該遠隔端末装置の装置識別子が含まれることを含む。
【００３８】
第三の態様及びその上記実施形態と組み合わせ、第三の態様の第九の実施形態では、該方法は、さらに該ネットワーク装置が該第三のアクセス層データパケットに特定論理チャネル識別子又は特定無線ネットワーク一時識別子ＲＮＴＩをカプセル化し、該特定論理チャネル識別子が該第三のアクセス層データパケットが中継データであることを示すことに用いられ、該特定ＲＮＴＩが該第三のアクセス層データパケットが中継データであることを示すことに用いられることを含む。
【００３９】
第四の態様による無線リソース制御接続を確立するための装置であって、上記の第一の態様及び第一の態様の各実施形態における各ステップを実行するためのユニットを備える。
【００４０】
第五の態様による無線リソース制御接続を確立するための装置であって、上記の第二の態様及び第一の態様の各実施形態における各ステップを実行するためのユニットを備える。
【００４１】
第六の態様による無線リソース制御接続を確立するための装置であって、上記の第三の態様及び第一の態様の各実施形態における各ステップを実行するためのユニットを備える。
【００４２】
第七の態様による無線リソース制御接続を確立するための装置であって、メモリとプロセッサを備え、該メモリがコンピュータプログラムを記憶するように構成され、該プロセッサがメモリから該コンピュータプログラムを呼び出して実行するように構成され、これにより、無線リソース制御接続を確立するための装置は上記の第一の態様及びその各実施形態のいずれかの無線リソース制御接続を確立するための方法を実行する。
【００４３】
第八の態様による無線リソース制御接続を確立するための装置であって、メモリとプロセッサを備え、該メモリがコンピュータプログラムを記憶するように構成され、該プロセッサがメモリから該コンピュータプログラムを呼び出して実行するように構成され、これにより、無線リソース制御接続を確立するための装置は上記の第二の態様及びその各実施形態のいずれかの無線リソース制御接続を確立するための方法を実行する。
【００４４】
第九の態様による無線リソース制御接続を確立するための装置であって、メモリとプロセッサを備え、該メモリがコンピュータプログラムを記憶するように構成され、該プロセッサがメモリから該コンピュータプログラムを呼び出して実行するように構成され、これにより、無線リソース制御接続を確立するための装置は上記の第三の態様及びその各実施形態のいずれかの無線リソース制御接続を確立するための方法を実行する。
【００４５】
第十の態様によるコンピュータプログラム製品であって、前記コンピュータプログラム製品はコンピュータプログラムコードを含み、前記コンピュータプログラムコードがネットワーク装置の受信ユニット、処理ユニット、送信ユニット又は受信機、プロセッサ、送信機に実行される場合、中継端末装置が上記の第一の態様及びその各実施形態のいずれかの無線リソース制御接続を確立するための方法を実行する。
【００４６】
第十一の態様によるコンピュータプログラム製品であって、前記コンピュータプログラム製品はコンピュータプログラムコードを含み、前記コンピュータプログラムコードがネットワーク装置の受信ユニット、処理ユニット、送信ユニット又は受信機、プロセッサ、送信機に実行される場合、遠隔端末装置が上記の第二の態様及びその各実施形態のいずれかの無線リソース制御接続を確立するための方法を実行する。
【００４７】
第十二の態様によるコンピュータプログラム製品であって、前記コンピュータプログラム製品はコンピュータプログラムコードを含み、前記コンピュータプログラムコードがネットワーク装置の受信ユニット、処理ユニット、送信ユニット又は受信機、プロセッサ、送信機に実行される場合、ネットワーク装置が上記の第三の態様及びその各実施形態のいずれかの無線リソース制御接続を確立するための方法を実行する。
【００４８】
第十三の態様によるコンピュータ可読記憶媒体であって、前記コンピュータ可読記憶媒体はプログラムを記憶し、前記プログラムにより中継ネットワーク装置が上記の第一の態様及びその各実施形態のいずれかの無線リソース制御接続を確立するための方法を実行する。
【００４９】
第十四の態様によるコンピュータ可読記憶媒体であって、前記コンピュータ可読記憶媒体はプログラムを記憶し、前記プログラムにより遠隔ネットワーク装置が上記の第二の態様及びその各実施形態のいずれかの無線リソース制御接続を確立するための方法を実行する。
【００５０】
第十五の態様によるコンピュータ可読記憶媒体であって、前記コンピュータ可読記憶媒体はプログラムを記憶し、前記プログラムにより中継ネットワーク装置が上記の第三の態様及びその各実施形態のいずれかの無線リソース制御接続を確立するための方法を実行する。
【００５１】
本発明の実施例による無線リソース制御接続を確立するための方法及び装置では、ネットワーク装置のカバレッジ範囲外にある遠隔端末装置がネットワーク装置のカバレッジ範囲内にある遠隔端末装置へＲＲＣ接続確立リクエストメッセージと該遠隔端末装置の装置識別子を含む第一のＭＡＣ  ＰＤＵを送信し、且つ、中継端末装置が該第一のＭＡＣ  ＰＤＵを解析して該ＲＲＣ接続確立リクエストメッセージを取得し、ネットワーク装置へ該ＲＲＣ接続確立リクエストメッセージと該遠隔端末装置の装置識別子を含む第二のＭＡＣ  ＰＤＵを送信することにより、ネットワーク装置はＲＲＣ接続確立リクエストメッセージと該遠隔端末装置の装置識別子に基づき、該遠隔端末装置に対してＲＲＣ接続を確立し、該ＲＲＣ接続の関連情報を搬送するためのＲＲＣ接続確立メッセージと該遠隔端末装置の装置識別子を第三のＭＡＣ  ＰＤＵにカプセル化し、該第三のＭＡＣ  ＰＤＵを中継端末装置に送信することができ、それによってネットワーク装置のカバレッジ範囲外にある遠隔端末に対してＲＲＣ接続を確立することができる。
【図面の簡単な説明】
【００５２】
【図１】本発明の実施例における無線リソース制御接続を確立するための方法及び装置に適する通信システムの概略的なフローチャートである。
【図２】本発明の実施例における各装置のプロトコルスタック構成の一例を示す図である。
【図３】本発明の実施例における各装置のプロトコルスタック構成の別の例を示す図である。
【図４】本発明の実施例における各装置のプロトコルスタック構成の別の例を示す図である。
【図５】本発明の実施例における各装置のプロトコルスタック構成の別の例を示す図である。
【図６】本発明の一実施例における無線リソース制御接続を確立するための方法の概略的なフローチャートである。
【図７】本発明の一実施例における無線リソース制御接続を確立するための方法のインタラクティブ図である。
【図８】本発明の別の実施例における無線リソース制御接続を確立するための方法の概略的なフローチャートである。
【図９】本発明の別の実施例における無線リソース制御接続を確立するための方法の概略的なフローチャートである。
【図１０】本発明の一実施例における無線リソース制御接続を確立するための装置の概略的なブロック図である。
【図１１】本発明の別の実施例における無線リソース制御接続を確立するための装置の概略的なブロック図である。
【図１２】本発明の別の実施例における無線リソース制御接続を確立するための装置の概略的なブロック図である。
【図１３】本発明の一実施例における無線リソース制御接続を確立するための装置の概略的なブロック図である。
【図１４】本発明の別の実施例における無線リソース制御接続を確立するための装置の概略的なブロック図である。
【図１５】本発明の別の実施例における無線リソース制御接続を確立するための装置の概略的なブロック図である。
【発明を実施するための形態】
【００５３】
本発明の実施例の技術的な解決策をより明確に説明するために、以下に実施例に必要な図面を簡単に説明するが、明らかに、以下に記載する図面は本発明のいくつかの実施例だけであり、当業者であれば、創造的な労力を要することなく、これらの図面に基づいて他の図面を得ることができる。
【００５４】
以下に本発明の実施例の図面を組み合わせながら、本発明の実施例に係る技術的解決策を明確で、全面的に説明し、明らかに、説明した実施例は本発明の一部の実施例だけであり、全ての実施例ではない。本発明の実施例に基づき、当業者が創造的な労力を要せずに得た他の実施例は、全て本発明の保護範囲に属する。
【００５５】
理解すべきものとして、本明細書では用語「システム」と「ネットワーク」は本明細書において常に互換的に使用される。本明細書では用語「及び／又は」は、関連するオブジェクトを記述する関連関係だけであり、３種類の関係が存在してもよいことを示し、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す。
【００５６】
本発明の実施例における解決策は従来のセルラー通信システム、例えばグローバルモバイル通信（英語全称がＧｌｏｂａｌ  Ｓｙｓｔｅｍ  ｆｏｒ  Ｍｏｂｉｌｅ  Ｃｏｍｍｕｎｉｃａｔｉｏｎであり、英語略称がＧＳＭであってもよい）、広帯域符号分割多元接続（英語全称がＷｉｄｅｂａｎｄ  Ｃｏｄｅ  Ｄｉｖｉｓｉｏｎ  Ｍｕｌｔｉｐｌｅ  Ａｃｃｅｓｓであり、英語略称がＷＣＤＭＡであってもよい）、ロングタームエボリューション（英語全称がＬｏｎｇ  Ｔｅｒｍ  Ｅｖｏｌｕｔｉｏｎであり、英語略称がＬＴＥであってもよい）などのシステムに応用されてもよく、それにサポートされる通信は主に音声及びデータ通信のためのものである。一般的には、一つの従来の基地局にサポートされる接続数が限られ、また実現しやすい。
【００５７】
次世代移動通信システムは、従来の通信だけでなく、マシンツーマシン（英語全称がＭａｃｈｉｎｅ  ｔｏ  Ｍａｃｈｉｎｅであり、英語略称がＭＴＣであってもよい）通信又はマシンタイプ通信（英語全称がＭａｃｈｉｎｅ  Ｔｙｐｅ  Ｃｏｍｍｕｎｉｃａｔｉｏｎであり、英語略称がＭＴＣであってもよい）通信をサポートする。予測によれば、２０２０年に、ネットワークに接続されるＭＴＣ装置は５００−１０００億に達し、これは現在の接続数をはるかに超える。Ｍ２Ｍ類サービスに対して、そのサービスの種類が大きく異なるため、ネットワークニューズは大きな違いがある。一般的に、以下のいくつかのニューズがある：
確実に伝送するが、遅延に敏感ではないこと、
遅延が低く、高い信頼性で伝送すること。
【００５８】
確実に伝送するが、遅延に敏感ではないというサービスに対して、処理しやすい。しかし、遅延が低く、高い信頼性で伝送するというサービスに対して、伝送する時に遅延が短いだけでなく、且つ信頼できることを要求し、例えばデバイスツーデバイス（英語全称がＤｅｖｉｃｅ  ｔｏ  Ｄｅｖｉｃｅであり、英語略称がＤ２Ｄであってもよい）サービスである。伝送が信頼できない場合、再送信して伝送遅延が大き過ぎ、要求を満たすことができない。多数の接続が存在するため、将来の無線通信システムと従来の通信システムは大きな違いがある。多数の接続の場合、端末装置にアクセスするためにより多くのリソースを消費する必要があり、また端末装置のデータ伝送に関連するスケジューリングシグナリングの伝送のためにより多くのリソースを消費する必要がある。本発明の実施例の解決策により、上記のリソース消費問題を効果的に解決することができる。
【００５９】
図１は本発明の実施例の応用された無線通信システム１００を示す図である。該無線通信システム１００は少なくとも一つのネットワーク装置１１０を含むことができる。ネットワーク装置はネットワーク装置などの移動装置と通信するための装置であってもよく、ネットワーク装置はＷＬＡＮにおけるアクセスポイント（英語全称がＡｃｃｅｓｓ  Ｐｏｉｎｔであり、英語略称がＡＰであってもよい）、ＧＳＭ又は符号分割多重アクセスＣＤＭＡ（英語全称：Ｃｏｄｅ  Ｄｉｖｉｓｉｏｎ  Ｍｕｌｔｉｐｌｅ  Ａｃｃｅｓｓであり、英語略称：ＣＤＭＡであってもよい）における基地局（英語全称がＢａｓｅ  Ｔｒａｎｓｃｅｉｖｅｒ  Ｓｔａｔｉｏｎであり、英語略称がＢＴＳであってもよい）であってもよいし、ＷＣＤＭＡにおける基地局（英語全称がＮｏｄｅＢであり、英語略称がＮＢであってもよい）であってもよいし、ＬＴＥにおける進化型基地局（英語全称がＥｖｏｌｕｔｉｏｎａｌ  Ｎ  ｏｄｅ  Ｂであり、英語略称がｅＮＢ又はｅＮｏｄｅＢであってもよい）、又は中継局又はアクセスポイント、又は車載デバイス、ウェアラブルデバイス及び将来の５Ｇネットワークにおけるネットワーク装置又は将来の進化したＰＬＭＮネットワークにおけるネットワーク装置などであってもよい。
【００６０】
該無線通信システム１００はさらにネットワーク装置１１０のカバレッジ範囲内にある複数の端末装置１２０を備える。該端末装置１２０は移動式又は固定式であってもよい。該端末装置１２０はユーザ装置（英語全称がＵｓｅｒ  Ｅｑｕｉｐｍｅｎｔであり、英語略称がＵＥであってもよい）、アクセス端末、加入者ユニット、加入者局、移動サイト、移動局、遠隔局、遠隔端末、移動装置、ユーザ端末、端末、無線通信装置、ユーザエージェント又はユーザ装置と呼ばれてもよい。端末装置は無線ローカルエリアネットワーク（英語全称がローカルエリアネットワークＷｉｒｅｌｅｓｓ  Ｌｏｃａｌ  Ａｒｅａ  Ｎｅｔｗｏｒｋｓであり、英語略称がＷＬＡＮでってもよい）におけるステーション（英語全称がＳＴＡＴＩＯＮであり、英語略称がＳＴである）であってもよし、セルラー電話、コードレス電話、セッション開始プロトコル（英語全称がＳｅｓｓｉｏｎ  Ｉｎｉｔｉａｔｉｏｎ  Ｐｒｏｔｏｃｏｌであり、英語略称がＳＩＰであってもよい）電話、無線ローカルループ（英語全称がＷｉｒｅｌｅｓｓ  Ｌｏｃａｌ  Ｌｏｏｐであり、英語略称がＷＬＬであってもよい）サイト、パーソナルデジタル処理（英語全称がＰｅｒｓｏｎａ１  Ｄｉｇｉｔａ１  Ａｓｓｉｓｔａｎｔであり、英語略称がＰＤＡであってもよい）、無線通信機能を備えたハンドヘルドデバイス、コンピューティングデバイス又は無線モデムに接続された他の処理装置、車載デバイス、ウェアラブルデバイス及び将来の５Ｇネットワークにおける端末装置又は将来の進化した公衆陸上モバイルネットワーク（英語全称がＰｕｂｌｉｃ  Ｌａｎｄ  Ｍｏｂｉｌｅ  Ｎｅｔｗｏｒｋであり、英語略称がＰＬＭＮであってもよい）における端末装置などであってもよい。
【００６１】
図１はネットワーク装置と６つの端末装置を例示的に示す。好ましくは、該無線通信システム１００は複数のネットワーク装置を含むことができ、且つ各ネットワーク装置のカバレッジ範囲内に他の数量の端末装置が含まれてもよいが、本発明の実施例はこれに限定されない。また、該無線通信システム１００はさらに移動管理エンティティ（ＭＭＥ：Ｍｏｂｉｌｅ  Ｍａｎａｇｅｍｅｎｔ  Ｅｎｔｉｔｙ）、サービングゲートウェイ（Ｓ−ＧＷ  ：Ｓｅｒｖｉｎｇ  Ｇａｔｅｗａｙ）、パケットデータネットワークゲートウェイ（Ｐ−ＧＷ：Ｐａｃｋｅｔ  Ｄａｔａ  Ｎｅｔｗｏｒｋ  Ｇａｔｅｗａｙ）などの他のネットワークエンティティを備えることができが、本発明の実施例はこれに限定されない。
【００６２】
具体的には、端末装置１２０はセルラー通信モード又はＤ２Ｄ通信モードで通信することができ、ここで、セルラー通信モードでは、端末装置はネットワーク装置を介して他の端末装置と通信することができ、Ｄ２Ｄ通信モードでは、端末装置はＤ２Ｄリンクを介して他の端末装置と直接通信することができる。
【００６３】
図１に示す複数の端末装置１２０には、セルラー端末装置、Ｄ２Ｄ端末装置と中継端末装置が含まれ、ここで、セルラー端末装置はセルラー通信技術（即ち第二の通信プロトコルに規定された通信技術の一例）を用いてネットワーク装置１１０と通信する。Ｄ２Ｄ端末装置は中継端末装置によりネットワーク装置とのデータ伝送を実現し、ここで、中継端末とＤ２Ｄ端末装置の間に例えばＰＣ５インタフェースがあり、Ｄ２Ｄ通信技術（即ち第二の通信プロトコルに規定された通信技術の一例）を用いて通信し、該Ｄ２Ｄ通信技術は具体的にＬＴＥにおけるサイドリンク（ＳＬ：ＳｉｄｅＬｉｎｋ）技術であってもよいし、ＷＬＡＮにおけるＷＥＩＦＩ又はブルートゥースなどの技術、又は他のＤ２Ｄ通信技術であってもよいが、本発明の実施例はこれに限定されない。中継端末装置とネットワーク装置の間に例えばＵｕインタフェースがあり、セルラー通信技術を用いて通信する。
【００６４】
選択可能に、該遠隔端末装置は該ネットワーク装置のカバレッジ範囲外にあり、該中継端末装置は該ネットワーク装置のカバレッジ範囲内にある。
【００６５】
本発明の実施例では、通信システム１００の各装置に無線通信を実現するためのプロトコルスタック（Ｐｒｏｔｏｃｏｌ  Ｓｔａｃｋ）が設定され、且つ、各装置におけるプロトコルスタックは同じであっても異なっていてもよいが、本発明は特に限定されない。
【００６６】
限定ではなく一例として、本発明の実施例において該プロトコルスタックはＬＴＥなどの４Ｇネットワークに用いられるプロトコルスタックであってもよいし、将来の５Ｇネットワークに用いられるプロトコルスタックであってもよいし、Ｄ２Ｄ通信のためのプロトコルスタック（例えばＷＬＡＮにおけるＷＩＦＩ又はブルートゥースなどの技術に用いられるプロトコルスタック）であってもよい。以下に理解と区分を容易にするために、ＬＴＥにおける所定のプロトコルスタックを例として説明する。
【００６７】
プロトコルスタックは、ネットワークにおける各層のプロトコルの合計を指し、一つのネットワークにおけるファイル伝送のプロセス即ち上位層プロトコルから下位層プロトコルへ、さらに下位層プロトコルから上位層プロトコルへのプロセスを鮮やかに反映する。限定ではなく一例として、本発明の実施例では、無線通信に用いられるプロトコルスタックは以下の少なくとも一つのプロトコル層又は複数のプロトコル層の組み合わせを含むことができ、各層のプロトコルに多種のプロトコルエンティティが存在してもよく、限定ではなく一例として、本発明の実施例におけるプロトコルスタックは以下の一種類又複数種類のプロトコル層を含むことができる。
【００６８】
１．無線リソース制御（ＲＲＣ：Ｒａｄｉｏ  Ｒｅｓｏｕｒｃｅ  Ｃｏｎｔｒｏ）層
限定ではなく一例として、ＲＲＣ層は主に、
ブロードキャストコアネットワーク非アクセス層によって提供された情報、ＵＥとＵＴＲＡＮの間のＲＲＣ接続の確立、再確立、維持及び解放、ＲＲＣ接続のための無線リソースの割り当て、再割り当て及び解放、ＲＲＣ接続のモビリティ管理、ページング／通知機能、上位層ＰＤＵルーティング機能、要求される品質管理、ＵＥ測定レポート及びレポートの制御、開ループ電力制御、ＲＲＣ制御閉ループ電力制御の設定、初期化セル選択及びアイドルモードのセル再選択、時間校正制御などの機能を含む。
【００６９】
２．パケットデータコンバージェンスプロトコル（ＰＤＣＰ：Ｐａｃｋｅｔ  Ｄａｔａ  Ｃｏｎｖｅｒｇｅｎｃｅ  Ｐｒｏｔｏｃｏｌ）層
限定ではなく一例として、本発明の実施例では、ＰＤＣＰ層は主に情報に対する圧縮及び解凍／暗号化及び暗号化解除に用いられる。
【００７０】
３．無線リンク制御（ＲＬＣ：Ｒａｄｉｏ  Ｌｉｎｋ  Ｃｏｎｔｒｏｌ）層
限定ではなく一例として、本発明の実施例では、ＲＬＣ層は主に自動再送リクエスト（ＡＲＱ：Ａｕｔｏｍａｔｉｃ  Ｒｅｐｅａｔ  Ｒｅｑｕｅｓｔ）と関連する機能を実現し、情報をセグメント化及びカスケードし、又はセグメント化及びカスケードされた情報を再構成することに用いられる。
【００７１】
４．メディアアクセス制御（ＭＡＣ：Ｍｅｄｉａ  Ａｃｃｅｓｓ  Ｃｏｎｔｒｏｌ）層
限定ではなく一例として、本発明の実施例では、ＭＡＣ層は主に伝送フォーマット組み合わせの選択に用いられ、スケジューリングと混合自動再送リクエスト（ＨＡＲＱ：Ｈｙｂｒｉｄ  Ａｕｔｏｍａｔｉｃ  Ｒｅｐｅａｔ  Ｒｅｑｕｅｓｔ）と関連する機能を実現する。
【００７２】
５．物理層（Ｐｈｙｓｉｃａｌ）層
限定ではなく一例として、本発明の実施例では、ＰＨＹ層は主にＭＡＣ層と上位層に情報伝送サービスを提供し、選択される伝送フォーマット組み合わせに基づいて符号化変調処理又は復調及び復号処理を行うことに用いられる。
【００７３】
６．アダプテーション（ＡＤＰ：ＡＤＰｔｉｖｅ）層
本発明の実施例では、アダプテーション層は、ユーザ識別子の識別に用いられてもよく、又は、ユーザ識別子はアダプテーション層で識別されることが可能である。且つ、本発明の実施例では、アダプテーション層は異なる通信プロトコルに属する二つのプロトコル層の間に構成されてもよく、これにより、そのうちの一つのプロトコル層の処理されたデータを、別のプロトコル層が識別して処理することができるデータに変換することができる。
【００７４】
限定ではなく一例として、本発明の実施例では、遠隔端末装置、中継端末装置とネットワーク装置におけるプロトコルスタック構成方式は以下の方式を含むことができるが、これらに限定されない。
【００７５】
方式１
図２に示すように、遠隔端末装置には第一の通信プロトコルに対応するプロトコルスタック（以下に理解と説明を容易にするために、プロトコルスタック＃Ａ１として記述される）が構成されている。
【００７６】
ここで、該プロトコルスタック＃Ａ１は、
第一の通信プロトコルに対応するＲＲＣ層（以下に理解と説明を容易にするために、ＲＲＣ層＃Ａ１として記述される）、
第一の通信プロトコルに対応するＰＤＣＰ層（以下に理解と説明を容易にするために、ＰＤＣＰ層＃Ａ１として記述される）、
第一の通信プロトコルに対応するＲＬＣ層（以下に理解と説明を容易にするために、ＲＬＣ層＃Ａ１として記述される）、
第一の通信プロトコルに対応するＭＡＣ層（以下に理解と説明を容易にするために、ＭＡＣ層＃Ａ１として記述される）、
第一の通信プロトコルに対応するＰＨＹ層（以下に理解と説明を容易にするために、ＰＨＹ層＃Ａ１として記述される）を含むことができるが、これらに限定されない。
【００７７】
且つ、図２に示すように、中継端末装置には第一の通信プロトコルに対応するプロトコルスタック（以下に理解と説明を容易にするために、プロトコルスタック＃Ｂ１として記述される）が構成される。
【００７８】
ここで、該プロトコルスタック＃Ｂ１は、
第一の通信プロトコルに対応するＰＤＣＰ層（以下に理解と説明を容易にするために、ＰＤＣＰ層＃Ｂ１として記述される）、
第一の通信プロトコルに対応するＲＬＣ層（以下に理解と説明を容易にするために、ＲＬＣ層＃Ｂ１として記述される）、
第一の通信プロトコルに対応するＭＡＣ層（以下に理解と説明を容易にするために、ＭＡＣ層＃Ｂ１として記述される）、
第一の通信プロトコルに対応するＰＨＹ層（以下に理解と説明を容易にするために、ＰＨＹ層＃Ｂ１として記述される）を含むことができるが、これらに限定されない。
【００７９】
これにより、遠隔端末装置は、中継端末装置のプロトコルスタック＃Ｂ１によって処理されたデータを、プロトコルスタック＃Ａ１により処理することができ、それに応じて、中継端末装置は、遠隔端末装置のプロトコルスタック＃Ａ１によって処理されたデータをプロトコルスタック＃Ｂ１により処理することができる。
【００８０】
理解すべきものとして、以上に列挙された各装置に構成されるプロトコルスタックに含まれるプロトコル層は例示的な説明だけであるが、本発明はこれに限定されず、通信を実現できる他のプロトコル層の構成がいずれも本発明の保護範囲に含まれ、例えば、該プロトコルスタック＃Ｂ１にＰＤＣＰ層が構成されなくてもよく、又は、該プロトコルスタック＃Ｂ１にＰＤＣＰ層とＲＬＣ層が構成されなくてもよい。
【００８１】
図２に示すように、ネットワーク装置には第二の通信プロトコルに対応するプロトコルスタック（以下に理解と説明を容易にするために、プロトコルスタック＃Ｃ１として記述される）が構成されている。
【００８２】
ここで、該プロトコルスタック＃Ｃ１は、
第二の通信プロトコルに対応するＲＲＣ層（以下に理解と説明を容易にするために、ＲＲＣ層＃Ｃ１として記述される）、
第二の通信プロトコルに対応するＰＤＣＰ層（以下に理解と説明を容易にするために、ＰＤＣＰ層＃Ｃ１として記述される）、
第二の通信プロトコルに対応するＲＬＣ層（以下に理解と説明を容易にするために、ＲＬＣ層＃Ｃ１として記述される）、
第二の通信プロトコルに対応するＭＡＣ層（以下に理解と説明を容易にするために、ＭＡＣ層＃Ｃ１として記述される）、
第二の通信プロトコルに対応するＰＨＹ層（以下に理解と説明を容易にするために、ＰＨＹ層＃Ｃ１として記述される）を含むことができるが、これらに限定されない。
【００８３】
且つ図２に示すように、中継端末装置には第二の通信プロトコルに対応するプロトコルスタック（以下に理解と説明を容易にするために、プロトコルスタック＃Ｄ１として記述される）が構成されている。
【００８４】
ここで、該プロトコルスタック＃Ｄ１は、
第二の通信プロトコルに対応するＰＤＣＰ層（以下に理解と説明を容易にするために、ＰＤＣＰ層＃Ｄ１として記述される）、
第二の通信プロトコルに対応するＲＬＣ層（以下に理解と説明を容易にするために、ＲＬＣ層＃Ｄ１として記述される）、
第二の通信プロトコルに対応するＭＡＣ層（以下に理解と説明を容易にするために、ＭＡＣ層＃Ｄ１として記述される）、
第二の通信プロトコルに対応するＰＨＹ層（以下に理解と説明を容易にするために、ＰＨＹ層＃Ｄ１として記述される）を含むことができるが、これらに限定されない。
【００８５】
これにより、ネットワーク装置は、中継端末装置のプロトコルスタック＃Ｄ１によって処理されたデータをプロトコルスタック＃Ｃ１により処理することができ、それに対応して、中継端末装置は、ネットワーク装置のプロトコルスタック＃Ｃ１によって処理されたデータをプロトコルスタック＃Ｄ１により処理することができる。
【００８６】
理解すべきものとして、以上に列挙された各装置に構成されるプロトコルスタックに含まれるプロトコル層は例示的な説明だけであるが、本発明はこれに限定されず、通信を実現できる他のプロトコル層構成がいずれも本発明の保護範囲に含まれ、例えば、該プロトコルスタック＃Ｄ１にＰＤＣＰ層が構成されなくてもよく、又は、該プロトコルスタック＃Ｄ１にＰＤＣＰ層とＲＬＣ層が構成されなくてもよい。
【００８７】
説明すべきものとして、本発明の実施例では、ＰＤＣＰ層＃Ｂ１によって処理されたデータはＰＤＣＰ層＃Ｄ１に識別されることが可能であり、且つ、ＰＤＣＰ層＃Ｄ１によって処理されたデータはＰＤＣＰ層＃Ｂ１に識別されることが可能である。
【００８８】
又は、ＲＬＣ層＃Ｂ１によって処理されたデータはＲＬＣ層＃Ｄ１に識別されることが可能であり、且つ、ＲＬＣ層＃Ｄ１によって処理されたデータはＲＬＣ層＃Ｂ１に識別されることが可能である。
【００８９】
これにより、中継端末装置は、遠隔端末装置からのデータをネットワーク装置が識別できるデータに変換することができ、且つ中継端末装置は、ネットワーク装置からのデータを遠隔端末装置が識別できるデータに変換することができる。
【００９０】
選択可能に、方式１では、中継端末装置のＰＤＣＰ層＃Ｂ１とＰＤＣＰ層＃Ｄ１の間に、フォーマット変換処理を行うためのアダプテーション層が構成されてもよく、又は、中継端末装置のＲＬＣ層＃Ｂ１とＲＬＣ層＃Ｄ１の間に、フォーマット変換処理を行うためのアダプテーション層が構成されてもよい。
【００９１】
限定ではなく一例として、本発明の実施例では、ＲＲＣ層＃Ａ１はＲＲＣ層＃Ｃ１からの情報を識別することができ、且つ、ＲＲＣ層＃Ｃ１はＲＲＣ層＃Ａ１からの情報を識別することができる。
【００９２】
方式１では、遠隔端末装置からのデータパケット（例えば第一のアクセス層データパケット）に対して、中継端末装置はＬ２層（即ちＭＡＣ層、ＲＬＣ層又はＰＤＣＰ層）に解析することができる。且つ、ネットワーク装置からのデータパケット（例えば第三のアクセス層データパケット）に対して、中継端末装置はＬ２層（即ちＭＡＣ層、ＲＬＣ層又はＰＤＣＰ層）に解析することができる。
【００９３】
方式２
図３に示すように、遠隔端末装置には第一の通信プロトコルに対応するプロトコルスタック（以下に理解と説明を容易にするために、プロトコルスタック＃Ａ２として記述される）が構成されている。
【００９４】
ここで、該プロトコルスタック＃Ａ２は、
第二の通信プロトコルに対応するＲＲＣ層（以下に理解と説明を容易にするために、ＲＲＣ層＃Ａ２として記述される）、
第二の通信プロトコルに対応するＰＤＣＰ層（以下に理解と説明を容易にするために、ＰＤＣＰ層＃Ａ２として記述される）、
第二の通信プロトコルに対応するＲＬＣ層（以下に理解と説明を容易にするために、ＲＬＣ層＃Ａ２として記述される）、
ＲＬＣ層＃Ａ２とＬＴＥ／ＷＬＡＮ層Ａ＃の間のフォーマット変換処理に用いられてもよく、且つ、端末装置の装置識別子を識別することに用いられてもよいＡＰＤ層（以下に理解と説明を容易にするために、ＡＰＤ層＃Ａ２として記述される）、
第一の通信プロトコルに対応する下位層プロトコル層（以下に理解と説明を容易にするために、ＬＴＥ／ＷＬＡＮ層＃Ａ２として記述される）を含むことができるが、これらに限定されない。該Ｄ２Ｄ通信技術（即ち第一の通信プロトコルに規定された通信技術）が具体的にＬＴＥのサイドリンク技術である場合、該ＬＴＥ／ＷＬＡＮ層＃Ａ２は具体的にＭＡＣ層とＰＨＹ層であってもよく、該Ｄ２Ｄ通信技術が他の通信技術、例えばブルートゥース又はＷＩＦＩ技術などである場合、該ＬＴＥ／ＷＬＡＮ層＃Ａ２は該他の通信技術におけるＭＡＣ層と物理層に対応する層であってもよい。
【００９５】
且つ、図３に示すように、中継端末装置には第一の通信プロトコルに対応するプロトコルスタック（以下に理解と説明を容易にするために、プロトコルスタック＃Ｂ２として記述される）が構成されている。
【００９６】
ここで、該プロトコルスタック＃Ｂ２は、
第一の通信プロトコルに対応する下位層プロトコル層（以下に理解と説明を容易にするために、ＬＴＥ／ＷＬＡＮ層＃Ｂ２として記述される）を含むことができるが、これに限定されない。該Ｄ２Ｄ通信技術（即ち第一の通信プロトコルに規定された通信技術）が具体的にＬＴＥのサイドリンク技術である場合、該ＬＴＥ／ＷＬＡＮ層＃Ｂ２は具体的にＭＡＣ層とＰＨＹ層であってもよく、該Ｄ２Ｄ通信技術が他の通信技術、例えばブルートゥース又はＷＩＦＩ技術などである場合、該ＬＴＥ／ＷＬＡＮ層＃Ｂ２は該他の通信技術におけるＭＡＣ層と物理層に対応する層であってもよい。
【００９７】
これにより、遠隔端末装置は、中継端末装置のＬＴＥ／ＷＬＡＮ層＃Ｂ２によって処理されたデータをＬＴＥ／ＷＬＡＮ層＃Ａ２により処理することができ、それに対応して、中継端末装置は、遠隔端末装置のＬＴＥ／ＷＬＡＮ層＃Ａ２によって処理されたデータをＬＴＥ／ＷＬＡＮ層＃Ｂ２により処理することができる。
【００９８】
理解すべきものとして、以上に列挙された各装置に構成されるプロトコルスタックに含まれるプロトコル層は例示的な説明だけであるが、本発明はこれに限定されず、通信を実現できる他のプロトコル層構成がいずれも本発明の保護範囲に含まれる。例えば、該プロトコルスタック＃Ｂ２にＰＤＣＰ層が構成されてもよく、又は、該プロトコルスタック＃Ｂ２にＰＤＣＰ層とＲＬＣ層が構成されてもよい。
【００９９】
図３に示すように、ネットワーク装置には第二の通信プロトコルに対応するプロトコルスタック（以下に以下に理解と説明を容易にするために、プロトコルスタック＃Ｃ２として記述される）が構成されている。
【０１００】
ここで、該プロトコルスタック＃Ｃ２は、
第二の通信プロトコルに対応するＲＲＣ層（以下に理解と説明を容易にするために、ＲＲＣ層＃Ｃ２として記述される）、
第二の通信プロトコルに対応するＰＤＣＰ層（以下に理解と説明を容易にするために、ＰＤＣＰ層＃Ｃ２として記述される）、
第二の通信プロトコルに対応するＲＬＣ層（以下に理解と説明を容易にするために、ＲＬＣ層＃Ｃ２として記述される）、
第二の通信プロトコルに対応するＡＰＤ層（以下に理解と説明を容易にするために、ＡＰＤ層＃Ｃ２として記述される）であって、端末装置の装置識別子を識別することに用いられてもよいＡＰＤ層＃Ｃ２、
第二の通信プロトコルに対応するＭＡＣ層（以下に理解と説明を容易にするために、ＭＡＣ層＃Ｃ２として記述される）、
第二の通信プロトコルに対応するＰＨＹ層（以下に理解と説明を容易にするために、ＰＨＹ層＃Ｃ２として記述される）を含むことができるが、これらに限定されない。
【０１０１】
且つ図３に示すように、中継端末装置には第二の通信プロトコルに対応するプロトコルスタック（以下に理解と説明を容易にするために、プロトコルスタック＃Ｄ２として記述される）が構成されている。
【０１０２】
ここで、該プロトコルスタック＃Ｄ２は、
第二の通信プロトコルに対応するＭＡＣ層（以下に理解と説明を容易にするために、ＭＡＣ層＃Ｄ２として記述される）、
第二の通信プロトコルに対応するＰＨＹ層（以下に理解と説明を容易にするために、ＰＨＹ層＃Ｄ２として記述される）を含むことができるが、これらに限定されない。
【０１０３】
これにより、ネットワーク装置は、中継端末装置のプロトコルスタック＃Ｄ２によって処理されたデータをプロトコルスタック＃Ｃ２により処理することができ、それに対応して、中継端末装置は、ネットワーク装置のプロトコルスタック＃Ｃ２によって処理されたデータをプロトコルスタック＃Ｄ２により処理することができる。
【０１０４】
理解すべきものとして、以上に列挙された各装置に構成されるプロトコルスタックに含まれるプロトコル層は例示的な説明だけであるが、本発明はこれに限定されず、通信を実現できる他のプロトコル層の構成がいずれも本発明の保護範囲に含まれる。例えば、該プロトコルスタック＃Ｄ２にＰＤＣＰ層が構成されてもよく、又は、該プロトコルスタック＃Ｄ２にＰＤＣＰ層とＲＬＣ層が構成されてもよい。
【０１０５】
説明すべきものとして、本発明の実施例では、ＬＴＥ／ＷＬＡＮ層＃Ｂ２によって処理されたデータはＭＡＣ層＃Ｄ２に識別されてもよく、且つ、ＭＡＣ層＃Ｄ２によって処理されたデータはＬＴＥ／ＷＬＡＮ層＃Ｂ２に識別されてもよい。
【０１０６】
これにより、中継端末装置は、遠隔端末装置からのデータをネットワーク装置が識別できるデータに変換することができ、且つ中継端末装置は、ネットワーク装置からのデータを遠隔端末装置が識別できるデータに変換することができる。
【０１０７】
また、限定ではなく一例として、本発明の実施例では、ＲＲＣ層＃Ａ２はＲＲＣ層＃Ｃ２からの情報を識別することができ、且つ、ＲＲＣ層＃Ｃ２はＲＲＣ層＃Ａ２からの情報を識別することができる。ＰＤＣＰ層＃Ａ２はＰＤＣＰ層＃Ｃ２からの情報を識別することができ、且つ、ＰＤＣＰ層＃Ｃ２はＰＤＣＰ層＃Ａ２からの情報を識別することができる。ＲＬＣ層＃Ａ２はＲＬＣ層＃Ｃ２からの情報を識別することができ、且つ、ＲＬＣ層＃Ｃ２はＲＬＣ層＃Ａ２からの情報を識別することができる。ＡＰＤ層＃Ａ２はＡＰＤ＃Ｃ２からの情報を識別することができ、且つ、ＡＰＤ層＃Ｃ２はＡＰＤ層＃Ａ２からの情報を識別することができる。
【０１０８】
方式２では、遠隔端末装置からのデータパケット（例えば第一のアクセス層データパケット）に対して、中継端末装置はＬ２層（即ちＭＡＣ層）に解析することができる。且つ、ネットワーク装置からのデータパケット（例えば第三のアクセス層データパケット）に対して、中継端末装置はＬ２層（即ちＭＡＣ層）に解析することができる。
【０１０９】
方式３
図４に示すように、遠隔端末装置には第一の通信プロトコルに対応するプロトコルスタック（以下に理解と説明を容易にするために、プロトコルスタック＃Ａ３として記述される）が構成されている。
【０１１０】
ここで、該プロトコルスタック＃Ａ３は、
第二の通信プロトコルに対応するＲＲＣ層（以下に理解と説明を容易にするために、ＲＲＣ層＃Ａ３として記述される）、
第二の通信プロトコルに対応するＰＤＣＰ層（以下に理解と説明を容易にするために、ＰＤＣＰ層＃Ａ３として記述される）、
第二の通信プロトコルに対応するＲＬＣ層（以下に理解と説明を容易にするために、ＲＬＣ層＃Ａ３として記述される）、
ＡＰＤ層（以下に理解と説明を容易にするために、ＡＰＤ層＃Ａ３として記述される）であって、ＲＬＣ層＃Ａ３とＬＴＥ／ＷＬＡＮ層＃Ａ３の間のフォーマット変換処理を行うことに用いられ、且つ、該端末装置の装置識別子を識別することに用いられてもよいＡＰＤ層＃Ａ３、
第一の通信プロトコルに対応する下位層プロトコル層（以下に理解と説明を容易にするために、ＬＴＥ／ＷＬＡＮ層＃Ａ３として記述される）を含むことができるが、これらに限定されない。該Ｄ２Ｄ通信技術（即ち第一の通信プロトコルに規定された通信技術）が具体的にＬＴＥのサイドリンク技術である場合、該ＬＴＥ／ＷＬＡＮ層＃Ａ３は具体的にＭＡＣ層とＰＨＹ層であってもよく、該Ｄ２Ｄ通信技術が他の通信技術、例えばブルートゥース又はＷＩＦＩ技術などである場合、該ＬＴＥ／ＷＬＡＮ層＃Ａ３は該他の通信技術におけるＭＡＣ層と物理層に対応する層であってもよい。
【０１１１】
且つ、図４に示すように、中継端末装置には第一の通信プロトコルに対応するプロトコルスタック（以下に理解と説明を容易にするために、プロトコルスタック＃Ｂ３として記述される）が構成されている。
【０１１２】
ここで、該プロトコルスタック＃Ｂ３は、
第一の通信プロトコルに対応する下位層プロトコル層（以下に理解と説明を容易にするために、ＬＴＥ／ＷＬＡＮ層＃Ｂ３として記述される）を含むことができるが、これに限定されない。該Ｄ２Ｄ通信技術（即ち第一の通信プロトコルに規定された通信技術）が具体的にＬＴＥのサイドリンク技術である場合、該ＬＴＥ／ＷＬＡＮ層＃Ｂ３は具体的にＭＡＣ層とＰＨＹ層であってもよく、該Ｄ２Ｄ通信技術が他の通信技術、例えばブルートゥース又はＷＩＦＩ技術などである場合、該ＬＴＥ／ＷＬＡＮ層＃Ｂ３は該他の通信技術におけるＭＡＣ層と物理層に対応する層であってもよい。
【０１１３】
これにより、遠隔端末装置は、中継端末装置のＬＴＥ／ＷＬＡＮ層＃Ｂ３によって処理されたデータをＬＴＥ／ＷＬＡＮ層＃Ａ３により処理することができ、それに対応して、中継端末装置は、遠隔端末装置のＬＴＥ／ＷＬＡＮ層＃Ａ３によって処理されたデータをＬＴＥ／ＷＬＡＮ層＃Ｂ３により処理することができる。
【０１１４】
理解すべきものとして、以上に列挙された各装置に構成されるプロトコルスタックに含まれるプロトコル層は例示的な説明だけであるが、本発明はこれに限定されず、通信を実現できる他のプロトコル層の構成がいずれも本発明の保護範囲に含まれる。例えば、該プロトコルスタック＃Ｂ３にＰＤＣＰ層が構成されてもよく、又は、該プロトコルスタック＃Ｂ３にＰＤＣＰ層とＲＬＣ層が構成されてもよい。
【０１１５】
図４に示すように、ネットワーク装置には第二の通信プロトコルに対応するプロトコルスタック（以下に理解と説明を容易にするために、プロトコルスタック＃Ｃ３として記述される）が構成されている。
【０１１６】
ここで、該プロトコルスタック＃Ｃ３は、
第二の通信プロトコルに対応するＲＲＣ層（以下に理解と説明を容易にするために、ＲＲＣ層＃Ｃ３として記述される）、
第二の通信プロトコルに対応するＰＤＣＰ層（以下に理解と説明を容易にするために、ＰＤＣＰ層＃Ｃ３として記述される）、
第二の通信プロトコルに対応するＲＬＣ層（以下に理解と説明を容易にするために、ＲＬＣ層＃Ｃ３として記述される）、
第二の通信プロトコルに対応するＭＡＣ層（以下に理解と説明を容易にするために、ＭＡＣ層＃Ｃ３として記述される）、
第二の通信プロトコルに対応するＰＨＹ層（以下に理解と説明を容易にするために、ＰＨＹ層＃Ｃ３として記述される）を含むことができるが、これらに限定されない。
【０１１７】
且つ図４に示すように、中継端末装置には第二の通信プロトコルに対応するプロトコルスタック（以下に理解と説明を容易にするために、プロトコルスタック＃Ｄ３として記述される）が構成されている。
【０１１８】
ここで、該プロトコルスタック＃Ｄ３は、
第二の通信プロトコルに対応するＭＡＣ層（以下に理解と説明を容易にするために、ＭＡＣ層＃Ｄ３として記述される）、
第二の通信プロトコルに対応するＰＨＹ層（以下に理解と説明を容易にするために、ＰＨＹ層＃Ｄ３として記述される）を含むことができるが、これらに限定されない。
【０１１９】
これにより、ネットワーク装置は、中継端末装置のプロトコルスタック＃Ｄ３によって処理されたデータをプロトコルスタック＃Ｃ３により処理することができ、それに対応して、中継端末装置は、ネットワーク装置のプロトコルスタック＃Ｃ３によって処理されたデータをプロトコルスタック＃Ｄ３により処理することができる。
【０１２０】
理解すべきものとして、以上に列挙された各装置に構成されるプロトコルスタックに含まれるプロトコル層は例示的な説明だけであるが、本発明はこれに限定されず、通信を実現できる他のプロトコル層の構成がいずれも本発明の保護範囲に含まれる。例えば、該プロトコルスタック＃Ｄ３にＰＤＣＰ層が構成されてもよく、又は、該プロトコルスタック＃Ｄ３にＰＤＣＰ層とＲＬＣ層が構成されてもよい。
【０１２１】
説明すべきものとして、本発明の実施例では、ＬＴＥ／ＷＬＡＮ層＃Ｂ３とＭＡＣ層＃Ｄ３の間にもＡＰＤ層（以下に以下に理解と説明を容易にするために、ＡＰＤ層＃Ｂ３として記述される）が構成されてもよく、該ＡＰＤ層＃Ｂ３はＬＴＥ／ＷＬＡＮ層＃Ｂ３とＭＡＣ層＃Ｄ３の間のフォーマット変換処理を行うことに用いられてもよく、且つ、該ＡＰＤ層＃Ｂ３は端末装置の装置識別子を識別することに用いられてもよい。これにより、ＬＴＥ／ＷＬＡＮ層＃Ｂ３によって処理されたデータはＭＡＣ層＃Ｄ３に識別されてもよく、且つ、ＭＡＣ層＃Ｄ２によって処理されたデータはＬＴＥ／ＷＬＡＮ層＃Ｂ３に識別されてもよい。
【０１２２】
これにより、中継端末装置は、遠隔端末装置からのデータをネットワーク装置が識別できるデータに変換することができ、且つ、中継端末装置はネットワーク装置からのデータを遠隔端末装置が識別であるデータに変換することができる。
【０１２３】
また、限定ではなく一例として、本発明の実施例では、ＲＲＣ層＃Ａ３はＲＲＣ層＃Ｃ３からの情報を識別することができ、且つ、ＲＲＣ層＃Ｃ３はＲＲＣ層＃Ａ３からの情報を識別することができる。ＰＤＣＰ層＃Ａ３はＰＤＣＰ層＃Ｃ３からの情報を識別することができ、且つ、ＰＤＣＰ層＃Ｃ３はＰＤＣＰ層＃Ａ３からの情報を識別することができる。ＲＬＣ層＃Ａ３はＲＬＣ層＃Ｃ３からの情報を識別することができ、且つ、ＲＬＣ層＃Ｃ３はＲＬＣ層＃Ａ３からの情報を識別することができる。
【０１２４】
方式３では、遠隔端末装置からのデータパケット（例えば第一のアクセス層データパケット）に対して、中継端末装置はＬ２層（即ちＭＡＣ層）に解析することができる。且つ、ネットワーク装置からのデータパケット（例えば第三のアクセス層データパケット）に対して、中継端末装置はＬ２層（即ちＭＡＣ層）に解析することができる。
【０１２５】
方式４
図５に示すように、遠隔端末装置には第一の通信プロトコルに対応するプロトコルスタック（以下に理解と説明を容易にするために、プロトコルスタック＃Ａ４として記述される）が構成されている。
【０１２６】
ここで、該プロトコルスタック＃Ａ４は、
第一の通信プロトコルに対応するＲＲＣ層（以下に理解と説明を容易にするために、ＲＲＣ層＃Ａ４として記述される）、
第一の通信プロトコルに対応するＰＤＣＰ層（以下に理解と説明を容易にするために、ＰＤＣＰ層＃Ａ４として記述される）、
第一の通信プロトコルに対応するＲＬＣ層（以下に理解と説明を容易にするために、ＲＬＣ層＃Ａ４として記述される）、
第一の通信プロトコルに対応するＭＡＣ層（以下に理解と説明を容易にするために、ＭＡＣ層＃Ａ４として記述される）、
第一の通信プロトコルに対応するＰＨＹ層（以下に理解と説明を容易にするために、ＰＨＹ層＃Ａ４として記述される）を含むことができるが、これらに限定されない。
【０１２７】
且つ、図５に示すように、中継端末装置には第一の通信プロトコルに対応するプロトコルスタック（以下に理解と説明を容易にするために、プロトコルスタック＃Ｂ４として記述される）が構成されている。
【０１２８】
ここで、該プロトコルスタック＃Ｂ４は、
第一の通信プロトコルに対応するＰＨＹ層（以下に理解と説明を容易にするために、ＰＨＹ層＃Ｂ４として記述される）を含むことができるが、これに限定されない。
【０１２９】
これにより、遠隔端末装置は、中継端末装置のプロトコルスタック＃Ｂ４によって処理されたデータをプロトコルスタック＃Ａ４により処理することができ、それに対応して、中継端末装置は、遠隔端末装置のプロトコルスタック＃Ａ４によって処理されたデータをプロトコルスタック＃Ｂ４により処理することができる。
【０１３０】
理解すべきものとして、以上に列挙された各装置に構成されるプロトコルスタックに含まれるプロトコル層は例示的な説明だけであるが、本発明はこれに限定されない。
【０１３１】
図５に示すように、ネットワーク装置には第二の通信プロトコルに対応するプロトコルスタック（以下に理解と説明を容易にするために、プロトコルスタック＃Ｃ４として記述される）が構成されている。
【０１３２】
ここで、該プロトコルスタック＃Ｃ４は、
第二の通信プロトコルに対応するＲＲＣ層（以下に理解と説明を容易にするために、ＲＲＣ層＃Ｃ４として記述される）、
第二の通信プロトコルに対応するＰＤＣＰ層（以下に理解と説明を容易にするために、ＰＤＣＰ層＃Ｃ４として記述される）、
第二の通信プロトコルに対応するＲＬＣ層（以下に理解と説明を容易にするために、ＲＬＣ層＃Ｃ４として記述される）、
第二の通信プロトコルに対応するＭＡＣ層（以下に理解と説明を容易にするために、ＭＡＣ層＃Ｃ４として記述される）、
第二の通信プロトコルに対応するＰＨＹ層（以下に理解と説明を容易にするために、ＰＨＹ層＃Ｃ４として記述される）を含むことができるが、これらに限定されない。
【０１３３】
且つ図５に示すように、中継端末装置には第二の通信プロトコルに対応するプロトコルスタック（以下に理解と説明を容易にするために、プロトコルスタック＃Ｄ４として記述される）が構成されている。
【０１３４】
ここで、該プロトコルスタック＃Ｄ４は、
第二の通信プロトコルに対応するＰＨＹ層（以下に理解と説明を容易にするために、ＰＨＹ層＃Ｄ４として記述される）を含むことができるが、これに限定されない。
【０１３５】
これにより、ネットワーク装置は、中継端末装置のプロトコルスタック＃Ｄ１によって処理されたデータをプロトコルスタック＃Ｃ４により処理することができ、それに対応して、中継端末装置は、ネットワーク装置のプロトコルスタック＃Ｃ４によって処理されたデータをプロトコルスタック＃Ｄ４により処理することができる。
【０１３６】
理解すべきものとして、以上に列挙された各装置に構成されるプロトコルスタックに含まれるプロトコル層は例示的な説明だけであるが、本発明はこれに限定されない。
【０１３７】
説明すべきものとして、本発明の実施例では、ＰＨＹ層＃Ｂ４によって処理されたデータはＰＨＹ層＃Ｄ４に識別されてもよく、且つ、ＰＨＹ層＃Ｄ４によって処理されたデータはＰＨＹ層＃Ｂ４に識別されてもよい。
【０１３８】
これにより、中継端末装置は、遠隔端末装置からのデータをネットワーク装置が識別できるデータに変換することができ、且つ中継端末装置は、ネットワーク装置からのデータを遠隔端末装置が識別できるデータに変換することができる。
【０１３９】
説明すべきものとして、方式４では、第一の通信プロトコルと第二の通信プロトコルは同じであってもよく、又は、第一の通信プロトコルと第二の通信プロトコルは異なってもよく、本発明において特定に限定されない。且つ、本発明の実施例では、例えば、第一の通信プロトコルと第二の通信プロトコルが異なる場合、中継端末装置のＰＨＹ層＃Ｂ４とＰＨＹ層＃Ｄ４の間にフォーマット変換を行うためのアダプテーション層が構成されてもよい。
【０１４０】
また、限定ではなく一例として、本発明の実施例では、ＲＲＣ層＃Ａ４はＲＲＣ層＃Ｃ４からの情報を識別することができ、且つ、ＲＲＣ層＃Ｃ３はＲＲＣ層＃Ａ４からの情報を識別することができる。ＰＤＣＰ層＃Ａ４はＰＤＣＰ層＃Ｃ４からの情報を識別することができ、且つ、ＰＤＣＰ層＃Ｃ４はＰＤＣＰ層＃Ａ４からの情報を識別することができる。ＲＬＣ層＃Ａ４はＲＬＣ層＃Ｃ４からの情報を識別することができ、且つ、ＲＬＣ層＃Ｃ４はＲＬＣ層＃Ａ４からの情報を識別することができる。ＭＡＣ層＃Ａ４はＭＡＣ層＃Ｃ４からの情報を識別することができ、且つ、ＭＡＣ層＃Ｃ４はＭＡＣ層＃Ａ４からの情報を識別することができる。
【０１４１】
方式４では、遠隔端末装置からのデータパケット（例えば第一のアクセス層データパケット）に対して、中継端末装置はＬ１層（即ちＰＨＹ層）に解析することができる。且つ、ネットワーク装置からのデータパケット（例えば第三のアクセス層データパケット）に対して、中継端末装置はＬ１層（即ちＰＨＹ層）に解析することができる。
【０１４２】
選択可能に、該アダプテーション層はＭＡＣ層とＲＬＣ層の間に位置してもよいし、ＲＬＣ層とＰＤＣＰ層の間に位置してもよく、本発明の実施例はこれに限定されない。本発明の実施例では、アダプテーション層はＤ２Ｄ端末装置の装置識別子を識別することに用いられてもよく、又は、選択可能に、アダプテーション層は中継伝送を示すための中継特定論理チャネル識別子（ＬＣＩＤ：Ｌｏｇｉｃａｌ  Ｃｈａｎｎｅｌ  Ｉｄｅｎｔｉｆｉｅｒ）を識別することに用いられてもよく、また、選択可能に、該アダプテーション層は、下位層から受信された、様々なＤ２Ｄ通信技術を用いて伝送されたデータを通信技術と関連しない形態に変換し、且つ選択可能に、処理されたデータを上位層に伝送して処理することに用いられてもよい。選択可能に、該中継特定論理チャネル識別子は中継データを識別することに用いられてもよい。即ち、本発明の実施例では、中継データを中継特定論理チャネル識別子で識別することができるが、本発明の実施例はこれに限定されない。
【０１４３】
限定ではなく一例として、本発明の実施例では、遠隔端末装置におけるプロトコルスタック及びネットワーク装置におけるプロトコルスタックに少なくとも一つのプロトコル層（例えば図２から図５における遠隔端末装置とネットワーク装置の間に直線で接続されるプロトコル層）が対応し、即ち、遠隔端末装置とネットワーク装置は該対応するプロトコル層によって相手先からのデータ又は情報を識別することができる。
【０１４４】
図６は中継端末装置を視点として説明する本発明の一実施例における無線リソース制御接続を確立するための方法２００の概略的なフローチャートである。図６に示すように、該方法２００は、Ｓ２１０〜Ｓ２６０を含む。
【０１４５】
Ｓ２１０において、該中継端末装置が該第一の通信プロトコルに基づき、遠隔端末装置から送信された第一のアクセス層データパケットを受信し、該第一のアクセス層データパケットが該遠隔端末装置によって該ネットワーク装置への送信を必要とする無線リソース制御（ＲＲＣ）接続確立リクエストメッセージをカプセル化して生成されるものであり、該第一のアクセス層データパケットに該遠隔端末装置の装置識別子が含まれる。
【０１４６】
Ｓ２２０において、該中継端末装置が該第一のアクセス層データパケットに基づき、第二のアクセス層データパケットを生成し、該第二のアクセス層データパケットに該遠隔端末装置の装置識別子が含まれる。
【０１４７】
Ｓ２３０において、該中継端末装置が該第二の通信プロトコルに基づき、該ネットワーク装置へ該第二のアクセス層データパケットを送信する。
【０１４８】
Ｓ２４０において、該中継端末装置が該第二の通信プロトコルに基づき、該ネットワーク装置から送信された第三のアクセス層データパケットを受信し、該第三のアクセス層データパケットが該ネットワーク装置によって該遠隔端末装置への送信を必要とするＲＲＣ接続確立メッセージをカプセル化して生成されるものであり、該ＲＲＣ接続確立メッセージが該ネットワーク装置によって該遠隔端末装置の装置識別子と該ＲＲＣ接続確立リクエストメッセージに基づいて生成されるものであり、該第三のアクセス層データパケットに該遠隔端末装置の装置識別子が含まれる。
【０１４９】
Ｓ２５０において、該中継端末装置が該第三のアクセス層データパケットに基づき、第四のアクセス層データパケットを生成し、該第四のアクセス層データパケットに該遠隔端末装置の装置識別子が含まれる。
【０１５０】
Ｓ２６０において、該中継端末装置は該第一の通信プロトコルに基づき、該遠隔端末装置へ該第四のアクセス層データパケットを送信する。
【０１５１】
具体的には、本発明の実施例では、遠隔端末装置がＲＲＣ接続を確立する必要がある場合、ＲＲＣ接続確立リクエストメッセージ（ＲＲＣ  ｃｏｎｎｅｃｔｉｏｎ  ｓｅｔｕｐ  ｒｅｑｕｅｓｔ  ｍｅｓｓａｇｅ）を生成することができ、ここで、ＲＲＣ接続確立リクエストメッセージを生成するための方法及びプロセスは従来技術と同様であってもよいので、ここで、繰り返し説明を避けるために、その詳細な説明を省略する。
【０１５２】
その後、遠隔端末装置は遠隔端末装置に構成されるプロトコルスタック（又はプロトコル層）によってＲＲＣ接続確立リクエストメッセージをカプセル化し、データパケット＃１（即ち第一のアクセス層データパケットの一例）を生成することができる。
【０１５３】
選択可能に、該第一のアクセス層データパケットは該第一の通信プロトコルに規定されたＬ１層データパケットであり、又は、
該第一のアクセス層データパケットは該第一の通信プロトコルに規定されたＬ２層データパケットである。
【０１５４】
具体的には、本発明の実施例では、例えば、該データパケット＃１はＭＡＣ層ＰＵＤであってもよく、ＭＡＣ層ＰＵＤはデータの最外層又は最上層が装置のＭＡＣ層でカプセル化されることを意味することができる。
【０１５５】
又は、該データパケット＃１はＰＨＹ層データパケットであってもよく、ＰＨＹ層データパケットはデータ層の最外層又は最上層が装置のＰＨＹ層でカプセル化されることを意味することができる。
【０１５６】
理解すべきものとして、以上に列挙されたデータパケット＃１の形態は例示的な説明だけであるが、本発明はこれに限定されず、例えば、該データパケット＃１がＲＬＣ  ＰＤＵ又はＰＤＣＰ  ＰＤＵであってもよく、即ち、該データパケット＃１の最外層又は最上層がＲＬＣ層又はＰＤＣＰ層である。
【０１５７】
選択可能に、遠隔端末装置と中継端末装置のプロトコルスタックがさらにアダプテーション層を含む場合、データパケット＃１の具体的な形態はＰＣ５インタフェースに用いられるＤ２Ｄ通信技術に対応してもよい。例えば、該Ｄ２Ｄ通信技術がＬＴＥのサイドリンク技術である場合、該ＰＣ５インタフェースによって伝送されるデータパケット＃１は具体的にＭＡＣ  ＰＤＵであってもよく、該Ｄ２Ｄ通信技術がブルートゥース又はＷＩＦＩ技術である場合、該ＰＣ５インタフェースによって伝送されるデータパケット＃１は具体的にブルートゥース又はＷＩＦＩ技術におけるＭＡＣ  ＰＤＵに対応するデータパケットであってもよいが、本発明の実施例はこれに限定されない。
【０１５８】
且つ、該データパケット＃１は遠隔端末装置の装置識別子（又は識別子情報）を含むことができ、該遠隔端末装置の装置識別子が該遠隔端末装置を一意的に示すことに用いられ、且つ該遠隔端末装置の装置識別子が該中継端末装置に識別されてもよく、例えば、該中継端末装置はＭＡＣ層によって遠隔端末装置の装置識別子を識別することができるが、本発明の実施例はこれに限定されない。ここで、装置識別子は該端末装置の装置情報、例えば電話番号などであってもよい。
【０１５９】
選択可能に、該遠隔端末装置の装置識別子は該遠隔端末装置の特定識別子を含むことができ、該遠隔端末装置の特定識別子が中継端末装置において該遠隔端末装置を一意的に識別することに用いられる。該特定識別子は予め定義されてもよいし、ネットワーク装置によって設定されてもよい。該特定識別子の長さはシグナリングオーバーヘッドを削減するように端末装置識別子の長さより短くてもよい。例えば、該特定識別子はＬ２層識別子、即ち装置のＬ２層でカプセル化及び解析された識別子であってもよい。ここで、該Ｌ２層識別子は予め定義されてもよく、又はネットワーク装置により遠隔端末装置に割り当てられてもよく、例えば該Ｌ２層識別子は、ネットワーク装置が該遠隔端末装置に対してベアラを確立する過程に該遠隔端末装置に割り当てたものであるが、本発明の実施例はこれに限定されない。選択可能に、該Ｌ２層識別子はＰＤＣＰ層、ＲＬＣ層又はＭＡＣ層に設定されてもよく、即ちＰＤＣＰ層、ＲＬＣ層又はＭＡＣ層によってカプセル化及び解析される。
【０１６０】
選択可能に、該遠隔端末装置とネットワーク装置のＬ２がさらに独立したアダプテーション層を含む場合、該Ｌ２層識別子はアダプテーション層又はＤ２Ｄ通信技術における対応層に設定されてもよく、例えば、中継端末装置と遠隔端末装置の間のＰＣ５インタフェースがサイドリンク技術を用いると、該Ｌ２層識別子はＭＡＣ層に設定されてもよいが、本発明の実施例はこれに限定されない。
【０１６１】
遠隔端末装置とネットワーク装置が独立したアダプテーション層を有し、且つ該アダプテーション層によって遠隔端末装置の装置識別子をカプセル化及び解析する場合、遠隔端末装置又はネットワーク装置がデータを送信する必要がある時に、データを順次ＰＤＣＰ層、ＲＬＣ層とアダプテーション層でカプセル化することができる。ここで、アダプテーション層に遠隔端末装置の装置識別子（例えばＬ２層識別子）を含むことができるが、本発明の実施例はこれに限定されない。選択可能に、遠隔端末装置とネットワーク装置が独立したアダプテーション層を有せず、且つＭＡＣ層によって遠隔端末装置の装置識別子を解析及びカプセル化する場合、遠隔端末装置又はネットワーク装置がデータを送信する必要がある時に、例えばネットワーク装置がネットワーク側の遠隔端末装置からのデータを受信した場合、データを順次ＰＤＣＰ層、ＲＬＣ層とＭＡＣ層でカプセル化することができ、ここで、ＭＡＣ層に該遠隔端末装置の装置識別子（例えばＬ２層識別子）を含むことができるが、本発明の実施例はこれに限定されない。
【０１６２】
その後、遠隔端末装置は例えばＰＣ５インタフェースを介して中継端末装置へ該データパケット＃１を送信することができる。
【０１６３】
本発明の実施例では、該データパケット＃１は該遠隔端末装置と該中継端末装置の間の通信ルール（即ち第一の通信プロトコルルール）に従うデータパケットである。これにより、中継端末装置は該データパケット＃１を受信することができ、且つ、該中継端末装置とネットワーク装置の間の通信ルール（即ち第二の通信プロトコルルール）に基づいて該データパケット＃１をカプセル化し、該第二の通信プロトコルルールに従うデータパケット（即ち第二のアクセス層データパケットの一例であり、以下に理解と説明を容易にするために、データパケット＃２と記述される）を生成することができる。
【０１６４】
選択可能に、該第二のアクセス層データパケットは該第二の通信プロトコルに規定されたＬ１層データパケットであり、又は、
該第二のアクセス層データパケットは該第二の通信プロトコルに規定されたＬ２層データパケットである。
【０１６５】
具体的には、本発明の実施例では、例えば、該データパケット＃２はＭＡＣ層ＰＵＤであってもよく、ここで、ＭＡＣ層ＰＵＤはデータの最外層又は最上層が装置のＭＡＣ層でカプセル化されることを示すことができる。
【０１６６】
又は、該データパケット＃２はＰＨＹ層データパケットであってもよく、ここで、ＰＨＹ層データパケットはデータの最外層又は最上層が装置のＰＨＹ層でカプセル化されることを示すことができる。
【０１６７】
理解すべきものとして、以上に列挙されたデータパケット＃２の形態は例示的な説明だけであるが、本発明はこれに限定されず、例えば、該データパケット＃２はＲＬＣ  ＰＤＵ又はＰＤＣＰ  ＰＤＵであってもよく、即ち、該データパケット＃２のデータの最外層又は最上層がＲＬＣ層又はＰＤＵ層である。
【０１６８】
且つ、該データパケット層＃２は遠隔端末装置の装置識別子（又は識別子情報）を含むことができる。
【０１６９】
その後、中継端末装置は例えばｕｕインタフェースを介してネットワーク装置へ該データパケット＃２を送信することができる。
【０１７０】
本発明の実施例では、該データパケット＃２は該中継端末装置と該ネットワーク装置の間の通信ルール（即ち第二の通信プロトコルルール）に従うデータパケットである。そのため、ネットワーク装置は該データパケット＃２を受信することができ、且つ、該中継端末装置とネットワーク装置の間の通信ルール（即ち第二の通信プロトコルルール）に基づいて該データパケット＃２をデカプセル化することができ、これにより、該遠隔端末装置の装置識別子、及びＲＲＣ接続確立リクエストを取得することができる。
【０１７１】
さらに、ネットワーク装置は該遠隔端末装置の装置識別子に基づいて該遠隔端末装置を確定し、該ＲＲＣ接続確立リクエストに基づいて該遠隔端末装置に対してＲＲＣ接続を確立することができ、且つ、ネットワーク装置は該ＲＲＣ接続の関連情報を搬送するためのＲＲＣ接続確立メッセージを生成することができる。
【０１７２】
ここで、ネットワーク装置はＲＲＣ接続を確立及びＲＲＣ接続確立メッセージを生成するプロセスは従来技術と同様であってもよいので、繰り返し説明を避けるために、その詳細な説明を省略する。
【０１７３】
その後、ネットワーク装置はネットワーク装置に構成されるプロトコルスタック（又はプロトコル層）によってＲＲＣ接続確立メッセージをカプセル化し、データパケット＃３（即ち第三のアクセス層データパケットの一例）を生成することができる。
【０１７４】
選択可能に、該第三のアクセス層データパケットは該第二の通信プロトコルに規定されたＬ１層データパケットである。
【０１７５】
該第三のアクセス層データパケットは該第二の通信プロトコルに規定されたＬ２層データパケットである。
【０１７６】
具体的には、本発明の実施例では、例えば、該データパケット＃３はＭＡＣ層ＰＵＤであってもよく、ここで、ＭＡＣ層ＰＵＤはデータの最外層又は最上層が装置のＭＡＣ層でカプセル化されることを示すことができる。
【０１７７】
又は、該データパケット＃３はＰＨＹ層データパケットであってもよく、ここで、ＰＨＹ層データパケットはデータの最外層又は最上層が装置のＹＨＹ層でカプセル化されることを意味することができる。
【０１７８】
理解すべきものとして、以上に列挙されたデータパケット＃３の形態は例示的な説明だけであるが、本発明はこれに限定されず、例えば、該データパケット＃３はＲＬＣ  ＰＤＵ又はＰＤＣＰ  ＰＤＵであってもよく、即ち、該データパケット＃１の最外層又は最上層はＲＬＣ層又はＰＤＣＰ層である。
【０１７９】
且つ、該データパケット＃３は遠隔端末装置の装置識別子（又は識別子情報）を含むことができる。
【０１８０】
その後、ネットワーク装置は例えばｕｕインタフェースを介して中継端末装置へ該データパケット＃３を送信することができる。
【０１８１】
本発明の実施例では、該データパケット＃３は該ネットワーク装置と該中継端末装置の間の通信ルール（即ち第二の通信プロトコルルール）に符合するデータパケットである。これにより、中継端末装置は該データパケット＃３を受信することができ、且つ、該中継端末装置と遠隔端末装置の間の通信ルール（即ち第一の通信プロトコルルール）に基づいて該データパケット＃３をデカプセル化し、該第一の通信プロトコルに符合するデータパケット（即ち第四のアクセス層データパケットの一例であり、以下に理解と説明を容易にするために、データパケット＃４と記述される）を生成することができる。
【０１８２】
選択可能に、該第四のアクセス層データパケットは該第一の通信プロトコルに規定されたＬ１層データパケットであり、又は、
該第四のアクセス層データパケットは該第一の通信プロトコルに規定されたＬ２層データパケットである。
【０１８３】
具体的には、本発明の実施例では、例えば、該データパケット＃４はＭＡＣ層ＰＵＤであってもよく、ここで、ＭＡＣ層ＰＵＤはデータの最外層又は最上層が装置のＭＡＣ層でカプセル化されることを意味することができる。
【０１８４】
又は、該データパケット＃４はＰＨＹ層データパケットであってもよく、ここで、ＰＨＹ層データパケットはデータ層の最外層又は最上層が装置のＰＨＹ層でカプセル化されることを意味することができる。
【０１８５】
理解すべきものとして、以上に列挙されたデータパケット＃４の形態は例示的な説明だけであるが、本発明はこれに限定されず、例えば、該データパケット＃４がＲＬＣ  ＰＤＵ又はＰＤＣＰ  ＰＤＵであってもよく、即ち、該データパケット＃４の最外層又は最上層がＲＬＣ層又はＰＤＣＰ層である。
【０１８６】
選択可能に、遠隔端末装置と中継端末装置のプロトコルスタックがさらにアダプテーション層を含む場合、データパケット＃４の具体的な形態はＰＣ５インタフェースに用いられるＤ２Ｄ通信技術に対応してもよい。例えば、該Ｄ２Ｄ通信技術がＬＴＥのサイドリンク技術である場合、該ＰＣ５インタフェースによって伝送されるデータパケット＃４は具体的にＭＡＣ  ＰＤＵであってもよく、該Ｄ２Ｄ通信技術がブルートゥース又はＷＩＦＩ技術である場合、該ＰＣ５インタフェースによって伝送されるデータパケット＃４は具体的にブルートゥース又はＷＩＦＩ技術におけるＭＡＣ  ＰＤＵに対応するデータパケットであってもよいが、本発明の実施例はこれに限定されない。
【０１８７】
且つ、該データパケット＃４は遠隔端末装置の装置識別子（又は識別子情報）を含むことができる。
【０１８８】
その後、中継端末装置は例えばＰＣ５インタフェースを介して該データパケット＃４を遠隔端末装置に送信することができる。本発明の実施例では、該データパケット＃４は該中継棚端末装置と該遠隔端末装置の間の通信ルール（即ち第一の通信プロトコルルール）に従うデータパケットである。これにより、遠隔端末装置は該データパケット＃４を受信することができ、且つ、該遠隔端末装置におけるプロトコルスタックに基づいて該データパケット＃４をデカプセル化することができ、これにより、該遠隔端末装置の装置識別子、及びＲＲＣ接続確立メッセージを取得することができる。
【０１８９】
さらに、遠隔端末装置は該遠隔端末装置の装置識別子とＲＲＣ接続確立メッセージに基づき、ネットワーク装置が該遠隔端末装置に対してＲＲＣ接続を確立したことを確定することができる。
【０１９０】
選択可能に、該方法はさらに、
該中継端末装置が該第一の通信プロトコルに基づき、該遠隔端末装置から送信された第五のアクセス層データパケットを受信し、該第五のアクセス層データパケットが該遠隔端末装置によって該ネットワーク装置への送信を必要とするＲＲＣ接続確立完了メッセージをカプセル化して生成されるものであり、該第五のアクセス層データパケットに該遠隔端末装置の装置識別子が含まれ、該ＲＲＣ接続確立完了メッセージが該遠隔端末装置によって該遠隔端末装置の装置識別子と該ＲＲＣ接続確立メッセージに基づいて生成されるものであることと、
該中継端末装置が該第五のアクセス層データパケットに基づき、第六のアクセス層データパケットを生成し、該第六のアクセス層データパケットに該遠隔端末装置の装置識別子が含まれることと、
該中継端末装置が該第二の通信プロトコルに基づき、該ネットワーク装置へ該第六のアクセス層データパケットを送信することとを含む。
【０１９１】
具体的には、遠隔端末装置が該遠隔端末装置の装置識別子とＲＲＣ接続確立メッセージに基づき、ネットワーク装置が該遠隔端末装置に対してＲＲＣ接続を確立したことを確定することができる場合、遠隔端末装置は、ＲＲＣ接続確立完了メッセージを生成することができ、ここで、遠隔端末装置がＲＲＣ接続確立完了メッセージを生成するプロセスは従来技術と同様であってもよいので、繰り返し説明を避けるために、その詳細な説明を省略する。
【０１９２】
その後、遠隔端末装置は遠隔端末装置に構成されるプロトコルスタック（又はプロトコル層）によってＲＲＣ接続確立完了メッセージをカプセル化し、データパケット＃５（即ち第五のアクセス層データパケットの一例）を生成することができる。
【０１９３】
選択可能に、該第五のアクセス層データパケットは該第一の通信プロトコルに規定されたＬ１層データパケットであり、又は、
該第五のアクセス層データパケットは該第一の通信プロトコルに規定されたＬ２層データパケットである。
【０１９４】
具体的には、本発明の実施例では、例えば、該データパケット＃５はＭＡＣ層ＰＵＤであってもよく、ここで、ＭＡＣ層ＰＵＤはデータの最外層又は最上層が装置のＭＡＣ層でカプセル化されることを意味することができる。
【０１９５】
又は、該データパケット＃５はＰＨＹ層データパケットであってもよく、ここで、ＰＨＹ層データパケットはデータ層の最外層又は最上層が装置のＰＨＹ層でカプセル化されることを意味することができる。
【０１９６】
理解すべきものとして、以上に列挙されたデータパケット＃５の形態は例示的な説明だけであるが、本発明はこれに限定されず、例えば、該データパケット＃５はＲＬＣ  ＰＤＵ又はＰＤＣＰ  ＰＤＵであってもよく、即ち、該データパケット＃１の最外層又は最上層はＲＬＣ層又はＰＤＣＰ層である。
【０１９７】
選択可能に、遠隔端末装置と中継端末装置のプロトコルスタックがさらにアダプテーション層を含む場合、データパケット＃５の具体的な形態はＰＣ５インタフェースに用いられるＤ２Ｄ通信技術に対応してもよい。例えば、該Ｄ２Ｄ通信技術がＬＴＥのサイドリンク技術である場合、該ＰＣ５インタフェースによって伝送されるデータパケット＃５は具体的にＭＡＣ  ＰＤＵであってもよく、該Ｄ２Ｄ通信技術がブルートゥース又はＷＩＦＩ技術である場合、該ＰＣ５インタフェースによって伝送されるデータパケット＃５は具体的にブルートゥース又はＷＩＦＩ技術におけるＭＡＣ  ＰＤＵに対応するデータパケットであってもよいが、本発明の実施例はこれに限定されない。
【０１９８】
且つ、該データパケット＃５は遠隔端末装置の装置識別子（又は識別子情報）を含むことができる。
【０１９９】
その後、遠隔端末装置は例えばＰＣ５インタフェースを介して中継端末装置へ該データパケット＃５を送信することができる。
【０２００】
本発明の実施例では、該データパケット＃５は該遠隔端末装置と該中継端末装置の間の通信ルール（即ち第一の通信プロトコルルール）に従うデータパケットである。これにより、中継端末装置は該データパケット＃５を受信することができ、且つ、該中継端末装置とネットワーク装置の間の通信ルール（即ち第二の通信プロトコルルール）に基づいて該データパケット＃５をカプセル化し、該第二の通信プロトコルルールに従うデータパケット（即ち第六のアクセス層データパケットの一例であり、以下に理解と説明を容易にするために、データパケット＃６と記述される）を生成することができる。
【０２０１】
選択可能に、該第六のアクセス層データパケットは該第二の通信プロトコルに規定されたＬ１層データパケットであり、又は、
該第六のアクセス層データパケットは該第二の通信プロトコルに規定されたＬ２層データパケットである。
【０２０２】
具体的には、本発明の実施例では、例えば、該データパケット＃６はＭＡＣ層ＰＵＤであってもよく、ここで、ＭＡＣ層ＰＵＤはデータの最外層又は最上層が装置のＭＡＣ層でカプセル化されることを意味することができる。
【０２０３】
又は、該データパケット＃６はＰＨＹ層データパケットであってもよく、ここで、ＰＨＹ層データパケットはデータの最外層又は最上層が装置のＰＨＹ層でカプセル化されることを意味することができる。
【０２０４】
理解すべきものとして、以上に列挙されたデータパケット＃６の形態は例示的な説明だけであるが、本発明はこれに限定されず、例えば、該データパケット＃６はＲＬＣ  ＰＤＵ又はＰＤＣＰ  ＰＤＵであってもよく、即ち、該データパケット＃６のデータの最外層又は最上層がＲＬＣ層又はＰＤＵ層であることを理解すべきである。
【０２０５】
且つ、該データパケット層＃６は遠隔端末装置の装置識別子（又は識別子情報）を含むことができる。
【０２０６】
その後、中継端末装置は例えばｕｕインタフェースを介してネットワーク装置へ該データパケット＃６を送信することができる。
【０２０７】
本発明の実施例では、該データパケット＃６は該中継端末装置と該ネットワーク装置の間の通信ルール（即ち第二の通信プロトコルルール）に従うデータパケットである。そのため、ネットワーク装置は該データパケット＃６を受信することができ、且つ、該中継端末装置とネットワーク装置の間の通信ルール（即ち第二の通信プロトコルルール）に基づいて該データパケット＃６をデカプセル化することができ、これにより、該遠隔端末装置の装置識別子、及びＲＲＣ接続確立完了を取得することができる。
【０２０８】
さらに、ネットワーク装置は該遠隔端末装置の装置識別子に基づいて該遠隔端末装置を確定し、該ＲＲＣ接続確立完了メッセージに基づいて
該ＲＲＣ接続確立が完了されたことを確定することができる。
【０２０９】
以下に本発明の実施例における遠隔端末装置の装置識別子の伝送方式を説明する。
【０２１０】
限定ではなく一例として、本発明の実施例では、以下の方式により遠隔端末装置の装置識別子を伝送することができる。
【０２１１】
方式ａ
選択可能に、該遠隔端末装置の装置識別子が該遠隔端末装置によってＬ２層で該第一のアクセス層データパケットにカプセル化されるものであり、該遠隔端末装置の装置識別子が該ネットワーク装置によってＬ２層で該第三のアクセス層データパケットにカプセル化されるものであり、また、
該方法はさらに、
該中継端末装置がＬ２層で該第一のアクセス層データパケットから該遠隔端末装置の装置識別子を取得することと、
該中継端末装置がＬ２層で該遠隔端末装置の装置識別子を該第二のアクセス層データパケットにカプセル化することと、
該中継端末装置がＬ２層で該第三のアクセス層データパケットから該遠隔端末装置の装置識別子を取得することと、
該中継端末装置がＬ２層で該遠隔端末装置の装置識別子を該第四のアクセス層データパケットにカプセル化することとを含む。
【０２１２】
具体的には、例えば、遠隔端末装置、中継端末装置とネットワーク装置におけるプロトコルスタックが図２に示すように構成される場合、中継端末装置にＬ２層（例えばＭＡＣ層、ＲＬＣ層又はＰＤＣＰ層）が構成され、即ち、中継端末装置は受信されたデータパケットをＬ２層で解析することができる。
【０２１３】
これにより、該遠隔端末装置はＬ２層（例えばＭＡＣ層、ＲＬＣ層又はＰＤＣＰ層）で該遠隔端末装置の装置識別子を該データパケット＃１に追加することができる。
【０２１４】
中継端末装置は該データパケット＃１に対してＬ２層検出を行って、該遠隔端末装置の装置識別子を取得することができる。
【０２１５】
且つ、中継端末装置はＬ２層（ＭＡＣ層、ＲＬＣ層又はＰＤＣＰ層）で該遠隔端末装置の装置識別子をデータパケット＃２内にカプセル化することができる。
【０２１６】
ネットワーク装置は該データパケット＃２に対してＬ２層検出を行って、該遠隔端末装置の装置識別子を取得することができる。
【０２１７】
同様に、ネットワーク装置はＬ２層（ＭＡＣ層、ＲＬＣ層又はＰＤＣＰ層）で該遠隔端末装置の装置識別子をデータパケット＃３に追加することができる。
【０２１８】
中継端末装置は該データパケット＃３に対してＬ２層検出を行って、該遠隔端末装置の装置識別子を取得することができる。
【０２１９】
且つ、中継端末装置はＬ２層（ＭＡＣ層、ＲＬＣ層又はＰＤＣＰ層）で該遠隔端末装置の装置識別子をデータパケット＃４に追加することができる。
【０２２０】
遠隔端末装置は該データパケット＃４に対してＬ２層検出を行って、該遠隔端末装置の装置識別子を取得することができる。
【０２２１】
さらに、該遠隔端末装置はＬ２層（例えばＭＡＣ層、ＲＬＣ層又はＰＤＣＰ層）で該遠隔端末装置の装置識別子をデータパケット＃５に追加することができる。
【０２２２】
中継端末装置は該データパケット＃５に対してＬ２層検出を行って、該遠隔端末装置の装置識別子を取得することができる。
【０２２３】
且つ、中継端末装置はＬ２層（例えばＭＡＣ層、ＲＬＣ層又はＰＤＣＰ層）で該遠隔端末装置の装置識別子をデータパケット＃６に追加することができる。
【０２２４】
ネットワーク装置は該データパケット＃６に対してＬ２層検出を行って、該遠隔端末装置の装置識別子を取得することができる。
【０２２５】
方式ｂ
選択可能に、該遠隔端末装置の装置識別子は該遠隔端末装置によってアダプテーション層で該第一のアクセス層データパケットにカプセル化されるものであり、該遠隔端末装置の装置識別子は該ネットワーク装置によってアダプテーション層で該第三のアクセス層データパケットにカプセル化されるものである。
【０２２６】
具体的には、例えば、遠隔端末装置、中継端末装置とネットワーク装置におけるプロトコルスタックが図３に示すように構成される場合、遠隔端末装置とネットワーク装置の間にアダプテーション層が構成される。
【０２２７】
これにより、該遠隔端末装置はアダプテーション層で該遠隔端末装置の装置識別子を該データパケット＃１に追加することができる。
【０２２８】
この場合、中継端末装置にアダプテーション層が構成されず、例えば、該遠隔端末装置の装置識別子が含まれるデータパケット＃１を直接カプセル化し、データパケット＃２を生成することができる。
【０２２９】
ネットワーク装置は該データパケット＃２に対してアダプテーション層検出を行って、該遠隔端末装置の装置識別子を取得することができる。
【０２３０】
同様に、ネットワーク装置はアダプテーション層で該遠隔端末装置の装置識別子をデータパケット＃３に追加することができる。
【０２３１】
この場合、中継端末装置にアダプテーション層が構成されず、例えば、該遠隔端末装置の装置識別子が含まれるデータパケット＃３を直接カプセル化し、データパケット＃４を生成することができる。
【０２３２】
遠隔端末装置は該データパケット＃４に対してアダプテーション層検出を行って、該遠隔端末装置の装置識別子を取得することができる。
【０２３３】
さらに、該遠隔端末装置はアダプテーション層で該遠隔端末装置の装置識別子をデータパケット＃５に追加することができる。
【０２３４】
この場合、中継端末装置にアダプテーション層が構成されず、例えば、該遠隔端末装置の装置識別子が含まれるデータパケット＃５を直接カプセル化し、データパケット＃６を生成することができる。
【０２３５】
ネットワーク装置は該データパケット＃６に対してアダプテーション層検出を行って、該遠隔端末装置の装置識別子を取得することができる。
【０２３６】
ネットワーク装置は該データパケット＃６に対してアダプテーション層の検出を行って、該遠隔端末装置の装置識別子を取得することができる。
【０２３７】
方式ｃ
該遠隔端末装置の装置識別子が該遠隔端末装置によってアダプテーション層で該第一のアクセス層データパケットにカプセル化されるものであり、該遠隔端末装置の装置識別子が該ネットワーク装置によってＬ２層で該第三のアクセス層データパケットにカプセル化されるものであり、また、
該方法はさらに、
該中継端末装置がアダプテーション層で該第一のアクセス層データパケットから該遠隔端末装置の装置識別子を取得することと、
該中継端末装置がＬ２層で該遠隔端末装置の装置識別子を該第二のアクセス層データパケットにカプセル化することと、
該中継端末装置がＬ２層で該第三のアクセス層データパケットから該遠隔端末装置の装置識別子を取得することと、
該中継端末装置がアダプテーション層で該遠隔端末装置の装置識別子を該第四のアクセス層データパケットにカプセル化することとを含む。
【０２３８】
具体的には、例えば、遠隔端末装置、中継端末装置とネットワーク装置におけるプロトコルスタックが図４に示すように構成される場合、遠隔端末装置と中継端末装置の間にアダプテーション層が構成され、即ち中継端末装置は受信されたデータパケットをアダプテーション層で解析することができる。
【０２３９】
これにより、該遠隔端末装置はアダプテーション層で該遠隔端末装置の装置識別子を該データパケット＃１に追加することができる。
【０２４０】
中継端末装置は該データパケット＃１に対してアダプテーション層検出を行って、該遠隔端末装置の装置識別子を取得することができる。
【０２４１】
且つ、中継端末装置はＬ２層（例えばＭＡＣ層、ＲＬＣ層又はＰＤＣＰ層）で該遠隔端末装置の装置識別子をデータパケット＃２内にカプセル化することができる。
【０２４２】
ネットワーク装置は該データパケット＃２に対してＬ２層検出を行って、該遠隔端末装置の装置識別子を取得することができる。
【０２４３】
同様に、ネットワーク装置はＬ２層（例えばＭＡＣ層、ＲＬＣ層又はＰＤＣＰ層）で該遠隔端末装置の装置識別子をデータパケット＃３に追加することができる。
【０２４４】
中継端末装置は該データパケット＃３に対してＬ２層検出を行って、該遠隔端末装置の装置識別子を取得することができる。
【０２４５】
且つ、中継端末装置はアダプテーション層で該遠隔端末装置の装置識別子をデータパケット＃４にカプセル化することができる。
【０２４６】
遠隔端末装置は該データパケット＃４に対してアダプテーション層検出を行って、該遠隔端末装置の装置識別子を取得することができる。
【０２４７】
さらに、該遠隔端末装置はアダプテーション層（例えばＭＡＣ層、ＲＬＣ層又はＰＤＣＰ層）で該遠隔端末装置の装置識別子を該データパケット＃５に追加することができる。
【０２４８】
中継端末装置は該データパケット＃５に対してアダプテーション層検出を行って、該遠隔端末装置の装置識別子を取得することができる。
【０２４９】
且つ、中継端末装置はＬ２層（例えばＭＡＣ層、ＲＬＣ層又はＰＤＣＰ層）で該遠隔端末装置の装置識別子をデータパケット＃６にカプセル化することができる。
【０２５０】
ネットワーク装置は該データパケット＃６に対してＬ２層検出を行って、該遠隔端末装置の装置識別子を取得することができる。
【０２５１】
方式ｄ
該遠隔端末装置の装置識別子は該遠隔端末装置によってＲＲＣ層で該第一のアクセス層データパケットにカプセル化されるものであり、該遠隔端末装置の装置識別子は該ネットワーク装置によってＲＲＣ層で該第三のアクセス層データパケットにカプセル化されるものである。
【０２５２】
具体的には、例えば、遠隔端末装置、中継端末装置とネットワーク装置におけるプロトコルスタックが図５に示すように構成される場合、遠隔端末装置とネットワーク装置にＲＲＣ層が構成されるが、中継端末装置にＲＲＣ層が構成されないため、受信されたデータパケットに対してＲＲＣ層解析を行うことができない。
【０２５３】
これにより、該遠隔端末装置はＲＲＣ層で該遠隔端末装置の装置識別子を該データパケット＃１に追加することができる。
【０２５４】
この場合、中継端末装置にＲＲＣ層が構成されず、例えば、該遠隔端末装置の装置識別子が含まれるデータパケット＃１を直接カプセル化し、データパケット＃２を生成することができる。
【０２５５】
ネットワーク装置は該データパケット＃２に対してＲＲＣ層検出を行って、該遠隔端末装置の装置識別子を取得することができる。
【０２５６】
同様に、ネットワーク装置はＲＲＣ層で該遠隔端末装置の装置識別子をデータパケット＃３に追加することができる。
【０２５７】
この場合、中継端末装置にＲＲＣ層が構成されず、例えば、該遠隔端末装置の装置識別子が含まれるデータパケット＃３を直接カプセル化し、データパケット＃４を生成することができる。
【０２５８】
遠隔端末装置は該データパケット＃４に対してＲＲＣ層検出を行って、該遠隔端末装置の装置識別子を取得することができる。
【０２５９】
さらに、該遠隔端末装置はＲＲＣ層で該遠隔端末装置の装置識別子をデータパケット＃５に追加することができる。
【０２６０】
この場合、中継端末装置にＲＲＣ層が構成されず、例えば、該遠隔端末装置の装置識別子が含まれるデータパケット＃５を直接カプセル化し、データパケット＃６を生成することができる。
【０２６１】
ネットワーク装置は該データパケット＃６に対してＲＲＣ層検出を行って、該遠隔端末装置の装置識別子を取得することができる。
【０２６２】
本発明の実施例では、遠隔端末装置、中継端末装置とネットワーク装置の間に伝送されるパケットに論理チャネル識別子（ＬＣＩＤ：Ｌｏｇｉｃａｌ  Ｃｈａｎｎｅｌ  Ｉｄｅｎｔｉｆｉｅｒ）フィールド（又はベアラ識別子フィールド）を含むこともできる。
【０２６３】
限定ではなく一例として、本発明の実施例では、以下の方式によりＬＣＩＤを追加することができる。
【０２６４】
方式Ｘ
該方式Ｘでは、中継端末装置は遠隔端末装置によって該データパケット＃１に追加されたＬＣＩＤを取得することができる。
【０２６５】
これにより、本発明の実施例では、選択可能に、該方法は、さらに、
該中継端末装置が該第一のアクセス層データパケットから第一の論理チャネル識別子を取得し、該第一の論理チャネル識別子が遠隔端末装置によって第一のベアラに基づいて確定されるものであることと、
該中継端末装置が該第一の論理チャネル識別子に基づき、第二の論理チャネル識別子を確定し、ここで、該ネットワーク装置が該第二の論理チャネル識別子に基づいて該第一のベアラを確定することができることと、
該中継端末装置が該第二の論理チャネル識別子を該第二のアクセス層データパケットにカプセル化することとを含む。
【０２６６】
具体的には、本発明の実施例では、遠隔端末装置はプリセットルール（即ち第一のプリセットルール又は第三のプリセットルールの一例であり、以下に理解と区別を容易にするために、プリセットルール＃１と記述される）又はネットワーク装置の指示に基づき、該データパケット＃１に追加される必要があるＬＣＩＤ（即ち第一の論理チャネル識別子の一例であり、以下に理解と区分を容易にするために、ＬＣＩＤ＃１と記述される）を確定することができる。
【０２６７】
次の表１は該プリセットルール＃１の一例を示す。
【表１】
2019515517.tif 000003
【０２６８】
理解すべきものとして、以上に列挙された表１におけるベアラとＬＣＩＤの間のマッピング関係は例示的な説明だけであるが、本発明はこれに限定されない。
【０２６９】
且つ、本発明の実施例では、該ＬＣＩＤ＃１は、該遠隔端末装置がＬ２層（具体的にはＭＡＣ層）で該データパケット＃１を処理するために用いる論理チャネルを表すことができ、且つ、該ＬＣＩＤ＃１は、該遠隔端末装置が該データパケット＃１を処理（又は伝送）するために用いるベアラ（即ち第一のベアラの一例であり、以下に理解と区分を容易にするために、ベアラ＃１と記述される）を示すことができる。
【０２７０】
選択可能に、該中継端末装置が該第一の論理チャネル識別子に基づき、第二の論理チャネル識別子を確定することは、
該第一の論理チャネル識別子が該ネットワーク装置により該遠隔端末装置に割り当てられるものである場合、該中継端末装置が該第一の論理チャネル識別子を該第二の論理チャネル識別子として確定することを含む。
【０２７１】
具体的には、本発明の実施例では、該ＬＣＩＤ＃１がネットワーク装置（例えば、中継端末装置によって転送されたＲＲＣシグナリングにより）から該遠隔端末装置に割り当てられる場合、該中継端末装置はＬＣＩＤ＃１（即ち第二の論理チャネル識別子の一例）をデータパケット２内に直接カプセル化することができ、これにより、ネットワーク装置は、該データパケット＃２を受信した後、該ＬＣＩＤ＃１に基づいて該データパケット＃２に対応するベアラを確定することができる。
【０２７２】
又は、選択可能に、該中継端末装置が該第一の論理チャネル識別子に基づき、第二の論理チャネル識別子を確定することは、
該第一の論理チャネル識別子が該遠隔端末装置によって該遠隔端末装置に記憶された第一のプリセットルール情報に基づいて確定されるものであり、ここで、第一のプリセットルールの下で、該第一の論理チャネル識別子が該第一のベアラに対応する場合、該中継端末装置が第二のプリセットルールの下での該第一のベアラに対応する論理チャネル識別子を該第二の論理チャネル識別子として確定し、ここで、該第二のプリセットルール情報が該ネットワーク装置に記憶されることを含む。
【０２７３】
具体的には、該ＬＣＩＤ＃が遠隔端末装置によってプリセットルール＃１に基づいて確定された場合、該中継端末装置はプリセットルール＃１に基づき、ＬＣＩＤ＃１に対応するベアラ（即ちベアラ＃１）を確定することができ、且つ、プリセットルール＃２（即ち第二のプリセットルールの一例）での該ベアラ＃１に対応するＬＣＩＤ（即ち第二の論理チャネル識別子の一例であり、以下に理解と説明を容易にするために、ＬＣＩＤ＃２と記述される）を確定することができる。
【０２７４】
説明すべきものとして、本発明の実施例では、該プリセットルール＃２はネットワーク装置に記憶されたプリセットルールであり、且つ、ネットワーク装置はプリセットルール＃２に基づいて各ベアラと各ＬＣＩＤとの対応関係を確定する。
【０２７５】
次の表２は該プリセットルール＃１の一例を示す。
【表２】
2019515517.tif 000004
【０２７６】
理解すべきものとして、以上に列挙された表２におけるベアラとＬＣＩＤの間のマッピング関係は例示的な説明だけであるが、本発明はこれに限定されない。
【０２７７】
この場合、該中継端末装置はＬＣＩＤ＃２をデータパケット＃２にカプセル化することができ、これにより、ネットワーク装置は該データパケット＃２を受信した後、該ＬＣＩＤ＃２に基づいて該表２から該ＬＣＩＤ＃２に対応するベアラ（即ちベアラ＃１）を検索することができる。
【０２７８】
同様の方式により、中継端末装置はデータパケット＃４に追加された論理チャネル識別子を確定することができ、即ち、
該方法はさらに、
該中継端末装置が該第三のアクセス層データパケットから第四の論理チャネル識別子を取得し、該第四の論理チャネル識別子が該ネットワーク装置によって第二のベアラに基づいて確定されるものであることと、
該中継端末装置が該第四の論理チャネル識別子に基づき、第五の論理チャネル識別子を確定し、ここで、該遠隔端末装置が該第五の論理チャネル識別子に基づいて該第二のベアラを確定することができることと、
該中継端末装置が該第五の論理チャネル識別子を該第四のアクセス層データパケットにカプセル化することとを含む。
【０２７９】
選択可能に、該中継端末装置が該第四の論理チャネル識別子に基づき、第五の論理チャネル識別子を確定することは、
該第四の論理チャネル識別子が該ネットワーク装置により該遠隔端末装置に割り当てられるものである場合、該中継端末装置が該第四の論理チャネル識別子を該第五の論理チャネル識別子として確定することと、
該第四の論理チャネル識別子が該ネットワーク装置によって該ネットワーク装置に記憶された第四のプリセットルール情報に基づいて確定されるものであり、ここで、第四のプリセットルールの下で、該第四の論理チャネル識別子が該第二のベアラに対応する場合、該中継端末装置が第五のプリセットルールの下での該第二のベアラに対応する論理チャネル識別子を該第五の論理チャネル識別子として確定し、ここで、該第五のプリセットルール情報が該遠隔端末装置に記憶されることとを含む。
【０２８０】
方式Ｙ
選択可能に、該ネットワーク装置と該遠隔端末装置の間にアダプテーション層が構成され、該第一のアクセス層データパケットに第三の論理チャネル識別子が含まれ、該第三の論理チャネル識別子が該ネットワーク装置により該遠隔端末装置に割り当てられるものであり、又は該第三の論理チャネル識別子が該遠隔端末装置によって該遠隔端末装置と該ネットワーク装置に記憶された第三のプリセットルール情報に基づいて確定されるものであり、該第三の論理チャネル識別子が該遠隔端末装置によって該アダプテーション層で該第一のアクセス層データパケットにカプセル化されるものであり、また
該方法はさらに、
該中継端末装置がプリセット論理チャネル識別子を該第二のアクセス層データパケットにカプセル化し、該ネットワーク装置が該プリセット論理チャネル識別子に基づき、該アダプテーション層で該第三の論理チャネル識別子を取得することができるように、該プリセット論理チャネル識別子が、該第二のアクセス層データパケットが中継データであることを示すことに用いられることを含む。
【０２８１】
具体的には、本発明の実施例では、遠隔端末装置とネットワーク装置の間にアダプテーション層が構成され、且つ中継端末装置にアダプテーション層が構成されず、且つ、データパケット＃１の論理チャネル識別子（ＬＣＩＤ＃１）が遠隔端末装置によってアダプテーション層でデータパケット＃１に追加される場合、中継端末装置にアダプテーション層が構成されないため、中継端末装置はＬＣＩＤ＃１を取得することができない。
【０２８２】
且つ、本発明の実施例では、事前設定又は協議などの方式により、中継データを示すためのプリセット論理チャネル識別子（ＬＣＩＤ＃０と記述される）を規定することができ、且つ、ネットワーク装置と遠隔端末装置が該ＬＣＩＤ＃０を検出した場合に、該データをアダプテーション層に伝送し、且つアダプテーション層で該データのＬＣＩＤを取得する必要があることを規定することができる。
【０２８３】
これにより、この場合、中継端末装置は該ＬＣＩＤ＃０をデータパケット＃２に追加されたＬＣＩＤとすることができる。
【０２８４】
さらに、ネットワーク装置は、該データパケット＃２を受信し、且つデータパケット＃２にＬＣＩＤ＃０が含まれることを検出した場合、該データパケット＃２が中継データであることを確定することができ、且つアダプテーション層で該データパケット＃２に対して処理し、これによりＬＣＩＤ＃１を取得することができる。
【０２８５】
同様の方式により、中継端末装置はデータパケット＃４に追加された論理チャネル識別子を確定することができ、即ち、
該ネットワーク装置と該遠隔端末装置の間にアダプテーション層が構成され、該第三のアクセス層データパケットに第六の論理チャネル識別子が含まれ、該第六の論理チャネル識別子が該ネットワーク装置により該遠隔端末装置に割り当てられるものであり、又は第六の論理チャネル識別子が該遠隔端末装置によって該遠隔端末装置と該ネットワーク装置に記憶された第六のプリセットルールに基づいて確定されるものであり、該第六の論理チャネル識別子が該ネットワーク装置によって該アダプテーション層で該第三のアクセス層データパケットにカプセル化されるものであり、また
該方法はさらに、
該中継端末装置がプリセット論理チャネル識別子を該第四のアクセス層データパケットにカプセル化し、該遠隔端末装置が該プリセット論理チャネル識別子に基づき、該アダプテーション層で該第六の論理チャネル識別子を取得することができるように、該プリセット論理チャネル識別子が該第四のアクセス層データパケットが中継データであることを示すことに用いられることを含む。
【０２８６】
本発明の実施例によるＲＲＣ接続を確立するための方法では、上記の方式でデータにＬＣＩＤを追加することにより、ネットワーク装置と遠隔端末装置は同じベアラを用いてデータパケットを処理することができ、それによってデータ処理の正確性を確保し、伝送の信頼性を向上させることができる。
【０２８７】
選択可能に、該中継端末装置が該第三のアクセス層データパケットに基づき、第四のアクセス層データパケットを生成する前に、該方法はさらに、
該中継端末装置が該第三のアクセス層データパケットに特定論理チャネル識別子又は特定無線ネットワーク一時識別子ＲＮＴＩが含まれることを確定し、該特定論理チャネル識別子が該第三のアクセス層データパケットが中継データであることを示すことに用いられ、該特定ＲＮＴＩが該第三のアクセス層データパケットが中継であることを示すことに用いられることを含む。
【０２８８】
具体的には、本発明の実施例では、通信プロトコルの規定又は協議などの方式により特定論理チャネル識別子を定めることができ、一つのデータパケットに該特定論理チャネル識別子が含まれる場合、その受信側装置は該データパケットが中継データであり、即ち、他の装置に送信される必要があることを識別することができる。
【０２８９】
これにより、ネットワーク装置は特定論理チャネル識別子を第三のアクセス層データパケットにカプセル化することができ、限定ではなく一例として、ネットワーク装置はＬ２層（例えばＭＡＣ層）で該特定論理チャネル識別子を第三のアクセス層データパケットにカプセル化することができ、これにより、中継端末装置にＬ２層プロトコル層が構成される場合、該Ｌ２層で該第三のアクセス層データパケットから特定論理チャネル識別子を取得し、さらに該第三のアクセス層データパケットにおけるデータが遠隔端末装置へ送信される必要があることを確定することができる。
【０２９０】
又は、本発明の実施例では、通信プロトコルの規定又は協議などの方式により無線ネットワーク一時識別子（ＲＮＴＩ：Ｒａｄｉｏ  Ｎｅｔｗｏｒｋ  Ｔｅｍｐｏｒｙ  Ｉｄｅｎｔｉｔｙ）、例えば特定セル無線ネットワーク一時識別子（Ｃ−ＲＮＴＩ：  Ｃｅｌｌ  Ｒａｄｉｏ  Ｎｅｔｗｏｒｋ  Ｔｅｍｐｏｒａｒｙ  Ｉｄｅｎｔｉｆｉｅｒ）を定めることができ、一つのデータパケットに該特定ＲＮＴＩ（例えば特定Ｃ−ＲＮＴＩ）が含まれる場合、その受信側装置は該データパケットが中継であり、即ち、他の装置に送信される必要があることを識別することができる。
【０２９１】
これにより、ネットワーク装置は特定ＲＮＴＩを第三のアクセス層データパケットにカプセル化することができ、限定ではなく一例として、ネットワーク装置はＬ１層（例えばＰＨＹ層）で該特定ＲＮＴＩを第三のアクセス層データパケットにカプセル化することができ、それによって中継端末装置は該Ｌ１層（例えばＰＨＹ層）で該第三のアクセス層データパケットから特定ＲＮＴＩを取得し、さらに該第三のアクセス層データパケットにおけるデータが遠隔端末装置に送信される必要があることを確定することができる。
【０２９２】
本発明の実施例によるＲＲＣ接続を確立するための方法では、ネットワーク装置が特定論理チャネル識別子又は特定無線ネットワーク一時識別子ＲＮＴＩを第三のアクセス層データパケットにカプセル化することにより、中継端末装置は該特定論理チャネル識別子又は特定無線ネットワーク一時識別子ＲＮＴＩに基づき、第三のアクセス層データパケットに遠隔端末装置への送信を必要とする中継データが含まれることを確定することができ、それによって通信の信頼性をさらに向上させることができる。
【０２９３】
選択可能に、該方法はさらに、
該中継端末装置が特定論理チャネル識別子又は特定無線ネットワーク一時識別子ＲＮＴＩを第二のアクセス層データパケットにカプセル化することを含む。
【０２９４】
具体的には、本発明の実施例では、通信プロトコルの規定又は協議などの方式により特定論理チャネル識別子を定めることができ、一つのデータパケットに該特定論理チャネル識別子が含まれる場合、その受信側装置は該データパケットが中継データであり、即ち、他の装置に送信される必要があることを識別することができる。
【０２９５】
これにより、中継端末装置は特定論理チャネル識別子を第二のアクセス層データパケットにカプセル化することができ、限定ではなく一例として、中継端末装置はＬ２層（例えばＭＡＣ層）で該特定論理チャネル識別子を第二のアクセス層データパケットにカプセル化することができ、これにより、ネットワーク装置は該第二のアクセス層データパケットを受信した後、Ｌ２層で該特定論理チャネル識別子を取得し、さらに該第二のアクセス層データパケットにおけるデータが中継データ（即ち遠隔端末装置から送信されるデータ）であることを確定することができる。
【０２９６】
又は、本発明の実施例では、通信プロトコルの規定又は協議などの方式により無線ネットワーク一時識別子（ＲＮＴＩ：Ｒａｄｉｏ  Ｎｅｔｗｏｒｋ  Ｔｅｍｐｏｒｙ  Ｉｄｅｎｔｉｔｙ）、例えば特定セル無線ネットワーク一時識別子（Ｃ−ＲＮＴＩ：Ｃｅｌｌ  Ｒａｄｉｏ  Ｎｅｔｗｏｒｋ  Ｔｅｍｐｏｒａｒｙ  Ｉｄｅｎｔｉｆｉｅｒ）を定めることができ、一つのデータパケットに該特定ＲＮＴＩ（例えば特定Ｃ−ＲＮＴＩ）が含まれる場合、その受信側装置は該データパケットが中継であり、即ち、他の装置に送信される必要があることを識別することができる。
【０２９７】
これにより、中継端末装置は特定ＲＮＴＩを第二のアクセス層データパケットにカプセル化することができ、限定ではなく一例として、ネットワーク装置はＬ１層（例えばＰＨＹ層）で該特定ＲＮＴＩを第二のアクセス層データパケットにカプセル化することができ、それによってネットワーク装置は該Ｌ１層（例えばＰＨＹ層）で該第二のアクセス層データパケットから特定ＲＮＴＩを取得し、さらに該第二のアクセス層データパケットにおけるデータが中継データ（即ち遠隔端末装置から送信されたデータ）であることを確定することができる。
【０２９８】
本発明の実施例によるＲＲＣ接続を確立するための方法では、中継端末装置が特定論理チャネル識別子又は特定無線ネットワーク一時識別子ＲＮＴＩを第二のアクセス層データパケットにカプセル化することにより、ネットワーク装置は該第二のアクセス層データパケットが中継データであることを容易に確定することができ、それによって処理効率及び通信の信頼性を向上させることができる。
【０２９９】
限定ではなく一例として、本発明の実施例では、中継端末装置は以下の方式でネットワーク装置へデータパケット＃２を送信することができ、即ち、
選択可能に、該中継端末装置は該第二の通信プロトコルに基づき、該ネットワーク装置へ該第二のアクセス層データパケットを送信することは、
該中継端末装置が第一のマッピング関係を取得し、該第一のマッピング関係情報が複数のデータ量区間と複数のアップリンクチャネルとの１対１関係を示すことに用いられ、各データ量区間が少なくとも一つのデータ量を含むことと、
該中継端末装置が該第二のアクセス層データパケットのデータ量の属するデータ量区間と該第一のマッピング関係情報に基づき、第一のアップリンクチャネルを確定し、該第一のアップリンクチャネルが該第二のアクセス層データパケットのデータ量の属するデータ量区間に対応することと、
該中継端末装置が該第一のアップリンクチャネルを介して該ネットワーク装置へリソースリクエストメッセージを送信することと、
該中継端末装置が該ネットワーク装置から送信された第一のスケジューリング情報を受信し、該第一のスケジューリング情報が第一の伝送リソースを示すことに用いられ、該第一の伝送リソースの大きさが該ネットワーク装置によって該第一のアップリンクチャネルと該第一のマッピング関係情報に基づいて確定されるものであることと、
該中継端末装置が該第二の通信プロトコルに基づき、該第一の伝送リソースを介し、該ネットワーク装置へ該第二のアクセス層データパケットを送信することとを含む。
【０３００】
具体的には、中継端末装置はＰＣ５インタフェースにおける特定の変調レベルに応じて対応するデータ（即ちデータパケット＃１）を復号することができ、且つ、該データパケット＃１に基づいてデータパケット＃２を生成することができる。
【０３０１】
且つ、中継端末装置はデータパケット＃１又はデータパケット＃２のデータ量の大きさに応じて、特定の（例えば第一のマッピング関係に応じて確定された）ＰＵＣＣＨリソース（即ち第一のアップリンクチャネルの一例）を選択してリソースリクエストメッセージ（即ち第一のスケジューリング情報の一例）を送信することができる。ここで、特定のＰＵＣＣＨとデータ量の大きさ又はデータ量区間は一定のマッピング関係が存在する（例えば第一のマッピング関係によって示される）。ネットワーク装置が該ＰＵＣＣＨにおけるリソースリクエストメッセージを受信した場合、マッピング関係（即ち第一のマッピング関係に示されるマッピング関係）に応じて、データパケット＃２のデータ量の大きさを確定し、ＰＤＣＣＨにアップリンクグラントが含まれる。ここで、特定のＰＵＣＣＨリソースは時間周波数リソースを含み、時間領域リソースが周期、オフセット値などを含むことができ、周波数領域リソースが異なる物理リソースブロックＰＲＢ位置などを含むことができる。
【０３０２】
又は、選択可能に、該中継端末装置が該第二の通信プロトコルに基づき、該ネットワーク装置へ該第二のアクセス層データパケットを送信することは、
該中継端末装置が第二のマッピング関係情報を取得し、該第二のマッピング関係情報が複数のデータ量区間と複数のプリアンブルとの１対１マッピング関係を示すことに用いられ、各データ量区間が少なくとも一つのデータ量を含むことと、
該中継端末装置が該第二のアクセス層データパケットのデータ量の属するデータ量区間と該第一のマッピング関係情報に基づき、第一のプリアンブルを確定し、該第一のプリアンブルが該第二のアクセス層データパケットのデータ量の属するデータ量区間に対応することと、
該中継端末装置が該ネットワーク装置へ該第一のプリアンブルを送信することと、
該中継端末装置が該ネットワーク装置から送信された第二のスケジューリング情報を受信し、該第二のスケジューリング情報が第二の伝送リソースを示すことに用いられ、該第二の伝送リソースの大きさが該ネットワーク装置によって該第一のプリアンブルと該第二のマッピング関係情報に基づいて確定されるものであることと、
該中継端末装置が該第二の通信プロトコルに基づき、該第二の伝送リソースを介し、該ネットワーク装置へ該第二のアクセス層データパケットを送信することを含む。
【０３０３】
具体的には、中継端末装置がＰＣ５インタフェースにおける特定の変調レベルに応じて対応するデータ（即ちデータパケット＃１）を復号することができ、且つ、該データパケット＃１に基づいてデータパケット＃２を生成することができる。
【０３０４】
且つ、中継端末装置は中継端末装置のデータ量の大きさに応じて対応する（例えば第二のマッピング関係に応じて確定された）プリアンブル（ｐｒｅａｍｂｌｅ）（即ち第一のプリアンブルの一例）を選択してＵｕインタフェースにおいて送信することができる。該プリアンブルと一定の大きさのデータ量又はデータ量区間はマッピング関係（即ち第二のマッピング関係情報によって示されるマッピング関係）が存在し、ネットワーク装置がプリアンブルを受信した場合、マッピング関係に基づいて、データパケット＃２のデータ量の大きさを確定し、対応するアップリンクグラントを割り当てる。アップリンクグラントとＵＥに選択されるプリアンブルはダウンリンクＰＤＣＣＨのＤＣＩに含まれてもよく、同時にネットワーク装置によって割り当てられる一時Ｃ−ＲＮＴＩを含む。中継端末装置は一時的に割り当てられるＣ−ＲＮＴＩを用いてデータパケット＃２をネットワーク装置に送信する。
【０３０５】
図７は本発明の一実施例における無線リソース制御接続を確立するための方法のインタラクティブ図である。
【０３０６】
図７に示すように、Ｓ３１０で、遠隔端末装置は発見処理を実行できるので、それにサービスを提供する中継端末装置を発見できる。
【０３０７】
Ｓ３１５において、遠隔端末装置はＲＲＣ接続確立リクエストメッセージがカプセル化されたデータパケット＃１を生成し、且つ、該データパケット＃１に遠隔端末装置の装置識別子が含まれる。
【０３０８】
Ｓ３２０において、遠隔端末装置は例えばＰＣ５インタフェースを介し、且つ例えば中継共通制御チャネル（ＲｅｌａｙＣＣＣＨ）を用い、中継端末装置へ該データパケット＃１を送信することができる。
【０３０９】
Ｓ３２５において、中継端末装置は該データパケット＃１に基づいてＲＲＣ接続確立リクエストメッセージと遠隔端末装置の装置識別子が含まれるデータパケット＃２を生成することができる。
【０３１０】
Ｓ３３０において、中継端末装置は例えばＵｕインタフェースを介し、且つ例えば中継共通制御チャネル（ＲｅｌａｙＣＣＣＨ）を用い、ネットワーク装置へ該データパケット＃２を送信することができる。
【０３１１】
Ｓ３３５において、ネットワーク装置は該データパケット２＃をデカプセル化し、ＲＲＣ接続確立リクエストメッセージと遠隔端末装置の装置識別子を取得し、且つ遠隔端末装置の装置識別子に基づき、遠隔端末装置を確定し、ＲＲＣ接続確立リクエストメッセージに基づき、該遠隔端末装置に対してＲＲＣ接続を確立することができ、且つ、ＲＲＣ接続確立メッセージを生成することができる。選択可能に、該ネットワーク装置は該遠隔端末装置に特定インテックス（ｓｐｅｃｉｆｉｃ  ｉｎｄｅｘ）を割り当てることもできる。その後、ネットワーク装置は該ＲＲＣ接続確立メッセージ、該遠隔端末装置の装置識別子と特定インテックスをデータパケットにカプセル化することができる。
【０３１２】
Ｓ３４０において、ネットワーク装置は例えばＵｕインタフェースを介し、且つ例えば中継共通制御チャネル（ＲｅｌａｙＣＣＣＨ）を用い、中継端末装置へ該データパケット＃３を送信することができる。
【０３１３】
Ｓ３４５において、中継端末装置は該データパケット＃３に基づいてＲＲＣ接続確立メッセージ、遠隔端末装置の装置識別子と特定インテックスが含まれるデータパケット＃４を生成することができる。
【０３１４】
Ｓ３５０において、中継端末装置は例えばＰＣ５インタフェース、且つ例えば中継共通制御チャネル（ＲｅｌａｙＣＣＣＨ）を用い、ネットワーク装置へ該データパケット＃４を送信することができる。
【０３１５】
Ｓ３５５において、該データパケット４＃をデカプセル化し、ＲＲＣ接続確立リクエストメッセージ、遠隔端末装置の装置識別子と特定インデックスを取得し、且つ遠隔端末装置の装置識別子とＲＲＣ接続確立リクエストメッセージに基づき、ネットワーク装置が該遠隔端末装置に対してＲＲＣ接続を確立したことを確定することができ、且つ、ＲＲＣ接続確立完了メッセージを生成することができる。遠隔端末装置はＲＲＣ接続確立完了メッセージが含まれるデータパケット＃５を生成し、且つ該データパケット＃５に遠隔端末装置の装置識別子又は特定インテックスが含まれる。
【０３１６】
Ｓ３６０において、遠隔端末装置は例えばＰＣ５インタフェースを介して中継端末装置へ該データパケット＃５を送信することができる。
【０３１７】
Ｓ３６５において、中継端末装置は該データパケット＃５に基づいてＲＲＣ接続確立リクエストメッセージと遠隔端末装置の装置識別子（又は特定インデックス）が含まれるデータパケット＃６を生成することができる。
【０３１８】
Ｓ３７０において、中継端末装置は例えばＵｕインタフェースを介してネットワーク装置へ該データパケット＃６を送信することができる。
【０３１９】
Ｓ３８０において、ネットワーク装置は該データパケット６＃をデカプセル化し、ＲＲＣ接続確立リクエストメッセージと遠隔端末装置の装置識別子（又は特定インデックス）を取得し、且つ遠隔端末装置の装置識別子（又は特定インデックス）に基づき、遠隔端末装置を確定し、ＲＲＣ接続確立完了メッセージに基づき、ＲＲＣ接続確立が完了されたことを確定することができる。
【０３２０】
本発明の実施例による無線リソース制御接続を確立するための方法では、ネットワーク装置のカバレッジ範囲外にある遠隔端末装置がネットワーク装置のカバレッジ範囲内にある遠隔端末装置へＲＲＣ接続確立リクエストメッセージと該遠隔端末装置の装置識別子を含む第一のＭＡＣ  ＰＤＵを送信し、且つ、中継端末装置が該第一のＭＡＣ  ＰＤＵを解析して該ＲＲＣ接続確立リクエストメッセージを取得し、ネットワーク装置へ該ＲＲＣ接続確立リクエストメッセージと該遠隔端末装置の装置識別子を含む第二のＭＡＣ  ＰＤＵを送信することにより、ネットワーク装置はＲＲＣ接続確立リクエストメッセージと該遠隔端末装置の装置識別子に基づき、該遠隔端末装置に対してＲＲＣ接続を確立し、該ＲＲＣ接続の関連情報を搬送するためのＲＲＣ接続確立メッセージと該遠隔端末装置の装置識別子を第三のＭＡＣ  ＰＤＵにカプセル化し、該第三のＭＡＣ  ＰＤＵを中継端末装置に送信することができ、それによってネットワーク装置のカバレッジ範囲外にある遠隔端末に対してＲＲＣ接続を確立することができる。
【０３２１】
図８は遠隔端末を視点として説明する本発明の別の実施例における無線リソース制御接続を確立するための方法４００の概略的なフローチャートである。図８に示すように、該方法４００は、Ｓ４１０〜Ｓ４３０を含む。
【０３２２】
Ｓ４１０において、該中継端末装置が該ネットワーク装置への送信を必要とする無線リソース制御（ＲＲＣ）接続確立リクエストメッセージをカプセル化し、第一のアクセス層データパケットを生成し、該第一のアクセス層データパケットに該遠隔端末装置の装置識別子が含まれる。
【０３２３】
Ｓ４２０において、該遠隔端末装置が該第一の通信プロトコルに基づき、該中継端末装置へ該第一のアクセス層データパケットを送信する。
【０３２４】
Ｓ４３０において、該遠隔端末装置が該第一の通信プロトコルに基づいて該中継端末装置から送信された第四のアクセス層データパケットを受信し、該第四のアクセス層データパケットに該遠隔端末装置の装置識別子が含まれる。
【０３２５】
選択可能に、該方法はさらに、
該遠隔端末装置がＬ２層で該遠隔端末装置の装置識別子を該第一のアクセス層データパケットにカプセル化することと、
該遠隔端末装置がＬ２層で該第四のアクセス層データパケットから該遠隔端末装置の装置識別子を取得することとを含む。
【０３２６】
選択可能に、該方法はさらに、
該遠隔端末装置がアダプテーション層で該遠隔端末装置の装置識別子を該第一のアクセス層データパケットにカプセル化することと、
該遠隔端末装置がアダプテーション層で該第四のアクセス層データパケットから該遠隔端末装置の装置識別子を取得することとを含む。
【０３２７】
選択可能に、該方法はさらに、
該遠隔端末装置がＲＲＣ層で該遠隔端末装置の装置識別子を該第一のアクセス層データパケットにカプセル化することと、
該遠隔端末装置がＲＲＣ層で該第四のアクセス層データパケットから該遠隔端末装置の装置識別子を取得することとを含む。
【０３２８】
選択可能に、該ネットワーク装置と該遠隔端末装置の間にアダプテーション層が構成され、該第三のアクセス層データパケットに第六の論理チャネル識別子が含まれ、該第六の論理チャネル識別子が該ネットワーク装置により該遠隔端末装置に割り当てられるものであり、又は該第六の論理チャネル識別子が該遠隔端末装置によって該遠隔端末装置と該ネットワーク装置に記憶された第六のプリセットルール情報に基づいて確定されるものであり、該第六の論理チャネル識別子が該ネットワーク装置によってアダプテーション層で該第三のアクセス層データパケットにカプセル化されるものであり、また
該方法はさらに、
該遠隔端末装置が該第四のアクセス層データパケットに含まれるプリセット論理チャネル識別子に基づき、該アダプテーション層で該第六の論理チャネル識別子を取得し、該プリセット論理チャネル識別子が該中継端末装置によって該第四のアクセス層データパケットにカプセル化されるものであり、該プリセット論理チャネル識別子が該第四のアクセス層データパケットが中継データであることを示すことに用いられることを含む。
【０３２９】
選択可能に、該第一のアクセス層データパケットと該第四のアクセス層データパケットが該第一の通信プロトコルに規定されたＬ１層データパケットであり、該第二のアクセス層データパケットと該第三のアクセス層データパケットが該第二の通信プロトコルに規定されたＬ１層データパケットであり、又は、
該第一のアクセス層データパケットと該第四のアクセス層データパケットが該第一の通信プロトコルに規定されたＬ２層データパケットであり、該第二のアクセス層データパケットと該第三のアクセス層データパケットが該第二の通信プロトコルに規定されたＬ２層データパケットである。
【０３３０】
選択可能に、該方法はさらに、
該遠隔端末装置が該遠隔端末装置の装置識別子と該ＲＲＣ接続確立メッセージに基づき、該ネットワーク装置への送信を必要とするＲＲＣ接続確立完了メッセージを生成することと、
該遠隔端末装置が該ＲＲＣ接続確立完了メッセージをカプセル化して、第五のアクセス層データパケットを生成し、該第五のアクセス層データパケットに該遠隔端末装置の装置識別子が含まれることと、
該遠隔端末装置が該第一の通信プロトコルに基づき、該中継端末装置へ該第五のアクセス層データパケットを送信することとを含む。
【０３３１】
該方法４００における中継端末装置、遠隔端末装置及びネットワーク装置の動作が上記方法２００における中継端末装置、遠隔端末装置及びネットワーク装置の動作と同様であり、ここで、繰り返し説明を避けるために、その詳細な説明を省略する。
【０３３２】
本発明の実施例による無線リソース制御接続を確立するための方法では、ネットワーク装置のカバレッジ範囲外にある遠隔端末装置がネットワーク装置のカバレッジ範囲内にある遠隔端末装置へＲＲＣ接続確立リクエストメッセージと該遠隔端末装置の装置識別子を含むた第一のＭＡＣ  ＰＤＵを送信し、且つ、中継端末装置が該第一のＭＡＣ  ＰＤＵを解析して該ＲＲＣ接続確立リクエストメッセージを取得し、ネットワーク装置へ該ＲＲＣ接続確立リクエストメッセージと該遠隔端末装置の装置識別子を含む第二のＭＡＣ  ＰＤＵを送信することにより、ネットワーク装置はＲＲＣ接続確立リクエストメッセージと該遠隔端末装置の装置識別子に基づき、該遠隔端末装置に対してＲＲＣ接続を確立し、該ＲＲＣ接続の関連情報を搬送するためのＲＲＣ接続確立メッセージと該遠隔端末装置の装置識別子を第三のＭＡＣ  ＰＤＵにカプセル化し、該第三のＭＡＣ  ＰＤＵを中継端末装置に送信することができ、それによってネットワーク装置のカバレッジ範囲外にある遠隔端末に対してＲＲＣ接続を確立することができる。
【０３３３】
図９はネットワーク装置を視点として説明する本発明の別の実施例における無線リソース制御接続を確立するための方法５００の概略的なフローチャートである。図９に示すように、該方法５００は、Ｓ５１０〜Ｓ５４０を含む。
【０３３４】
Ｓ５１０において、該ネットワーク装置が該第二の通信プロトコルに基づき、該中継端末装置から送信された第二のアクセス層データパケットを受信し、該第二のアクセス層データパケットに該遠隔端末装置の装置識別子が含まれ、該第二のアクセス層データパケットが該中継端末装置によって第一のアクセス層データパケットに基づいて生成されるものであり、第一のアクセス層データパケットが該遠隔端末装置によって該ネットワーク装置への送信を必要とするＲＲＣ接続確立リクエストメッセージをカプセル化して生成されるものである。
【０３３５】
Ｓ５２０において、該ネットワーク装置が第二のアクセス層データパケットに含まれる該遠隔端末装置の装置識別子と該ＲＲＣ接続確立リクエストメッセージに基づき、該遠隔端末装置への送信を必要とするＲＲＣ接続確立メッセージを生成する。
【０３３６】
Ｓ５３０において、該ネットワーク装置は該ＲＲＣ接続確立メッセージをカプセル化し、第三のアクセス層データパケットを生成し、該第三のアクセス層データパケットに該遠隔端末装置の装置識別子が含まれる。
【０３３７】
Ｓ５４０において、該ネットワーク装置は該第二の通信プロトコルに基づき、該中継端末装置へ該第三のアクセス層データパケットを送信する。
【０３３８】
選択可能に、該方法はさらに、
該ネットワーク装置がＬ２層で該第二のアクセス層データパケットから該遠隔端末装置の装置識別子を取得することと、
該ネットワーク装置がＬ２層で該遠隔端末装置の装置識別子を該第三のアクセス層データパケットにカプセル化することとを含む。
【０３３９】
選択可能に、該方法はさらに、
該ネットワーク装置がアダプテーション層で該第二のアクセス層データパケットから該遠隔端末装置の装置識別子を取得することと、
該ネットワーク装置がアダプテーション層で該遠隔端末装置の装置識別子を該第三のアクセス層データパケットにカプセル化することとを含む。
【０３４０】
選択可能に、該方法はさらに、
該ネットワーク装置がＲＲＣ層で該第二のアクセス層データパケットから該遠隔端末装置の装置識別子を取得することと、
該ネットワーク装置がＲＲＣ層で該遠隔端末装置の装置識別子を該第三のアクセス層データパケットにカプセル化することとを含む。
【０３４１】
選択可能に、該ネットワーク装置と該遠隔端末装置の間にアダプテーション層が構成され、該第一のアクセス層データパケットに第三の論理チャネル識別子が含まれ、該第三の論理チャネル識別子が該ネットワーク装置により該遠隔端末装置に割り当てられるものであり、又は該第三の論理チャネル識別子が該遠隔端末装置によって該遠隔端末装置と該ネットワーク装置に記憶された第三のプリセットルール情報に基づいて確定されるものであり、該第三の論理チャネル識別子が該遠隔端末装置によって該アダプテーション層で該第一のアクセス層データパケットにカプセル化されるものであり、また
該方法はさらに、
該ネットワーク装置が該第二のアクセス層データパケットに含まれるプリセット論理チャネル識別子に基づき、アダプテーション層で該第三の論理チャネル識別子を取得し、該プリセット論理チャネル識別子が該中継端末装置によって該第二のアクセスデータパケットにカプセル化されるものであり、該プリセット論理チャネル識別子が該第二のアクセス層データパケットが中継データであることを示すことに用いられることを含む。
【０３４２】
選択可能に、該ネットワーク装置が該第二の通信プロトコルに基づき、該中継端末装置から送信された第二のアクセス層データパケットを受信することは、
該ネットワーク装置が第一のマッピング関係情報を取得し、該第一のマッピング関係情報が複数のデータ量区間と複数のアップリンクチャネルとの１対１マッピング関係を示すことに用いられ、各データ量区間が少なくとも一つのデータ量を含むことと、
該ネットワーク装置が該中継端末装置から第一のアップリンクチャネルを介して送信されたリソースリクエストメッセージを受信し、第一のアップリンクチャネルが該第二のアクセス層データパケットのデータ量の属するデータ量区間に対応することと、
該ネットワーク装置が該第一のアップリンクチャネルと該第一のマッピング関係情報に基づき、第一の伝送リソースを確定することと、
該ネットワーク装置が該中継端末装置へ該第一のスケジューリング情報を送信し、該第一のスケジューリング情報が該第一の伝送リソースを示すことに用いられることと、
該ネットワーク装置が該第二の通信プロトコルに基づき、該第一の伝送リソースを介し、該中継端末装置から送信された第二のアクセス層データパケットを受信することとを含む。
【０３４３】
選択可能に、該ネットワーク装置が該第二の通信プロトコルに基づき、該中継端末装置から送信された第二のアクセス層データパケットを受信することは、
該ネットワーク装置が第二のマッピング関係情報を取得し、該第二のマッピング関係情報が複数のデータ量区間と複数のプリアンブルとの１対１マッピング関係を示すことに用いられ、各データ量区間が少なくとも一つのデータ量を含むことと、
該ネットワーク装置が該中継端末装置から第一のプリアンブルを受信し、該第一のプリアンブルが該第二のアクセス層データパケットのデータ量の属するデータ量区間に対応することと、
該ネットワーク装置が該第一のプリアンブルと該第二のマッピング関係情報に基づき、第二の伝送リソースを確定することと、
該ネットワーク装置が該中継端末装置へ該第二のスケジューリング情報を送信し、該第二のスケジューリング情報が該第二の伝送リソースを示すことに用いられることと、
該ネットワーク装置が該第二の通信プロトコルに基づき、該第二の伝送リソースを介し、該中継端末装置から送信された第二のアクセス層データパケットを受信することとを含む。
【０３４４】
選択可能に、該方法はさらに、
該ネットワーク装置が該第二の通信プロトコルに基づき、該中継端末装置から送信された第六のアクセス層データパケットを受信し、該第六のアクセス層データパケットが第五のアクセス層データパケットに基づいて生成されるものであり、前記第五のアクセス層データパケットが該遠隔端末装置によって該ネットワーク装置への送信を必要とするＲＲＣ接続確立完了メッセージをカプセル化して生成されるものであり、該第五のアクセス層データパケットに該遠隔端末装置の装置識別子が含まれ、該第六のアクセス層データパケットに該遠隔端末装置の装置識別子が含まれることを含む。
【０３４５】
選択可能に、該方法はさらに、
該ネットワーク装置が該第三のアクセス層データパケットに特定論理チャネル識別子又は特定無線ネットワーク一時識別子ＲＮＴＩをカプセル化し、該特定論理チャネル識別子が該第三のアクセス層データパケットが中継データであることを示すことに用いられ、該特定ＲＮＴＩが該第三のアクセス層データパケットが中継データであることを示すことに用いられることを含む。
【０３４６】
該方法５００における中継端末装置、遠隔端末装置及びネットワーク装置の動作が上記方法２００における中継端末装置、遠隔端末装置及びネットワーク装置の動作と同様であり、ここで、繰り返し説明を避けるために、その詳細な説明を省略する。
【０３４７】
本発明の実施例による無線リソース制御接続を確立するための方法では、ネットワーク装置のカバレッジ範囲外にある遠隔端末装置がネットワーク装置のカバレッジ範囲内にある遠隔端末装置へＲＲＣ接続確立リクエストメッセージと該遠隔端末装置の装置識別子を含む第一のＭＡＣ  ＰＤＵを送信し、且つ、中継端末装置が該第一のＭＡＣ  ＰＤＵを解析して該ＲＲＣ接続確立リクエストメッセージを取得し、ネットワーク装置へ該ＲＲＣ接続確立リクエストメッセージと該遠隔端末装置の装置識別子を含む第二のＭＡＣ  ＰＤＵを送信することにより、ネットワーク装置はＲＲＣ接続確立リクエストメッセージと該遠隔端末装置の装置識別子に基づき、該遠隔端末装置に対してＲＲＣ接続を確立し、該ＲＲＣ接続の関連情報を搬送するためのＲＲＣ接続確立メッセージと該遠隔端末装置の装置識別子を第三のＭＡＣ  ＰＤＵにカプセル化し、該第三のＭＡＣ  ＰＤＵを中継端末装置に送信することができ、それによってネットワーク装置のカバレッジ範囲外にある遠隔端末に対してＲＲＣ接続を確立することができる。
【０３４８】
以上に図１〜図９を参照して本発明の実施例による無線リソース制御接続を確立するための方法を詳細に説明した。以下に図１０〜図１２を本発明の実施例による無線リソース制御接続を確立するための装置を詳細に説明する。
【０３４９】
図１０は本発明の一実施例における無線リソース制御接続を確立するための装置６００の概略的なブロック図である。図１０に示すように、該装置６００は、
該第一の通信プロトコルに基づき、遠隔端末装置から送信された第一のアクセス層データパケットを受信するように構成され、該第一のアクセス層データパケットが該遠隔端末装置によって該ネットワーク装置への送信を必要とする無線リソース制御（ＲＲＣ）接続確立リクエストメッセージをカプセル化して生成されるものであり、該第一のアクセス層データパケットに該遠隔端末装置の装置識別子が含まれる受信ユニット６１０と、
該第一のアクセス層データパケットに基づき、第二のアクセス層データパケットを生成するように構成され、該第二のアクセス層データパケットに該遠隔端末装置の装置識別子が含まれる処理ユニット６２０と、
該第二の通信プロトコルに基づき、該ネットワーク装置へ該第二のアクセス層データパケットを送信するように構成される送信ユニット６３０とを備える。
【０３５０】
該受信ユニット６１０はさらに該第二の通信プロトコルに基づき、該ネットワーク装置から送信された第三のアクセス層データパケットを受信するように構成され、該第三のアクセス層データパケットが該ネットワーク装置によって該遠隔端末装置への送信を必要とするＲＲＣ接続確立メッセージをカプセル化して生成されるものであり、該ＲＲＣ接続確立メッセージが、該ネットワーク装置によって該遠隔端末装置の装置識別子と該ＲＲＣ接続確立リクエストメッセージに基づいて生成されるものであり、該第三のアクセス層データパケットに該遠隔端末装置の装置識別子が含まれる。
【０３５１】
該処理ユニット６２０はさらに該第三のアクセス層データパケットに基づき、第四のアクセス層データパケットを生成するように構成され、該第四のアクセス層データパケットに該遠隔端末装置の装置識別子が含まれる。
【０３５２】
該送信ユニット６３０はさらに該第一の通信プロトコルに基づき、該遠隔端末装置へ該第四のアクセス層データパケットを送信するように構成される。
【０３５３】
選択可能に、該遠隔端末装置の装置識別子が該遠隔端末装置によってＬ２層で該第一のアクセス層データパケットにカプセル化されるものであり、該遠隔端末装置の装置識別子が該ネットワーク装置によってＬ２層で該第三のアクセス層データパケットにカプセル化されるものであり、また
該処理ユニットはさらにＬ２層で該第一のアクセス層データパケットから該遠隔端末装置の装置識別子を取得するように構成され、
該処理ユニットはさらにＬ２層で該遠隔端末装置の装置識別子を該第二のアクセス層データパケットにカプセル化するように構成され、
該処理ユニットはさらにＬ２層で該第三のアクセス層データパケットから該遠隔端末装置の装置識別子を取得するように構成され、
該処理ユニットはさらにＬ２層で該遠隔端末装置の装置識別子を該第四のアクセス層データパケットにカプセル化するように構成される。
【０３５４】
選択可能に、該遠隔端末装置の装置識別子が該遠隔端末装置によってアダプテーション層で該第一のアクセス層データパケットにカプセル化されるものであり、該遠隔端末装置の装置識別子が該ネットワーク装置によってアダプテーション層で該第三のアクセス層データパケットにカプセル化されるものである。
【０３５５】
選択可能に、該遠隔端末装置の装置識別子が該遠隔端末装置によってアダプテーション層で該第一のアクセス層データパケットにカプセル化されるものであり、該遠隔端末装置の装置識別子が該ネットワーク装置によってＬ層で該第三のアクセス層データパケットにカプセル化されるものであり、また
該処理ユニットはさらにアダプテーション層で該第一のアクセス層データパケットから該遠隔端末装置の装置識別子を取得するように構成され、
該処理ユニットはさらにＬ２層で該遠隔端末装置の装置識別子を該第二のアクセス層データパケットにカプセル化するように構成され、
該処理ユニットはさらにＬ２層で該第三のアクセス層データパケットから該遠隔端末装置の装置識別子を取得するように構成され、
該処理ユニットはさらにアダプテーション層で該遠隔端末装置の装置識別子を該第四のアクセス層データパケットにカプセル化するように構成される。
【０３５６】
選択可能に、該遠隔端末装置の装置識別子が該遠隔端末装置によってＲＲＣ層で該第一のアクセス層データパケットにカプセル化されるものであり、該遠隔端末装置の装置識別子が該ネットワーク装置によってＲＲＣ層で該第三のアクセス層データパケットにカプセル化されるものである。
【０３５７】
選択可能に、該処理ユニットはさらに該第一のアクセス層データパケットから第一の論理チャネル識別子を取得するように構成され、該第一の論理チャネル識別子が遠隔端末装置によって第一のベアラに基づいて確定されるものであり、
該処理ユニットはさらに該第一の論理チャネル識別子に基づき、第二の論理チャネル識別子を確定するように構成され、該ネットワーク装置が該第二の論理チャネル識別子に基づいて該第一のベアラを確定することができ、
該処理ユニットはさらに該第二の論理チャネル識別子を該第二のアクセス層データパケットにカプセル化するように構成される。
【０３５８】
選択可能に、該処理ユニットはさらに、該第一の論理チャネル識別子が該ネットワーク装置により該遠隔端末装置に割り当てられるものである場合、該装置が該第一の論理チャネル識別子を該第二の論理チャネル識別子として確定するように構成され、
該処理ユニットはさらに、該第一の論理チャネル識別子が該遠隔端末装置によって該遠隔端末装置に記憶された第一のプリセットルール情報に基づいて確定されるものであり、ここで、第一のプリセットルールの下で、該第一の論理チャネル識別子が該第一のベアラに対応する場合、該装置が第二のプリセットルールの下での該第一のベアラに対応する論理チャネル識別子を該第二の論理チャネル識別子として確定するように構成され、該第二のプリセットルール情報が該ネットワーク装置に記憶される。
【０３５９】
選択可能に、該ネットワーク装置と該遠隔端末装置の間にアダプテーション層が構成され、該第一のアクセス層データパケットに第三の論理チャネル識別子が含まれ、該第三の論理チャネル識別子が該ネットワーク装置により該遠隔端末装置に割り当てられるものであり、又は該第三の論理チャネル識別子が該遠隔端末装置によって該遠隔端末装置と該ネットワーク装置に記憶された第三のプリセットルール情報に基づいて確定されるものであり、該第三の論理チャネル識別子が該遠隔端末装置によって該アダプテーション層で該第一のアクセス層データパケットにカプセル化されるものであり、また
該処理ユニットは、さらにプリセット論理チャネル識別子を該第二のアクセス層データパケットにカプセル化するように構成され、該ネットワーク装置が該プリセット論理チャネル識別子に基づき、該アダプテーション層で該第三の論理チャネル識別子を取得することができるように、該プリセット論理チャネル識別子が該第二のアクセス層データパケットが中継データであることを示すことに用いられる。
【０３６０】
選択可能に、該処理ユニットはさらに該第三のアクセス層データパケットから第四の論理チャネル識別子を取得するように構成され、該第四の論理チャネル識別子が該ネットワーク装置によって第二のベアラに基づいて確定されるものであり、
該処理ユニットはさらに該第四の論理チャネル識別子に基づき、第五の論理チャネル識別子を確定するように構成され、該遠隔端末装置が該第五の論理チャネル識別子に基づいて該第二のベアラを確定することができ、
該処理ユニットはさらに該第五の論理チャネル識別子を該第四のアクセス層データパケットにカプセル化するように構成される。
【０３６１】
選択可能に、該処理ユニットはさらに該第四の論理チャネル識別子が該ネットワーク装置により該遠隔端末装置に割り当てられるものである場合、該装置が該第四の論理チャネル識別子を該第五の論理チャネル識別子として確定するように構成され、
該処理ユニットはさらに該第四の論理チャネル識別子が該ネットワーク装置によって該ネットワーク装置に記憶された第四のプリセットルール情報に基づいて確定されるものであり、ここで、第四のプリセットルールの下で、該第四の論理チャネル識別子が該第二のベアラに対応する場合、該装置が第五のプリセットルールの下での該第二のベアラに対応する論理チャネル識別子を該第五の論理チャネル識別子として確定するように構成され、該第五のプリセットルール情報が該遠隔端末装置に記憶される。
【０３６２】
選択可能に、該ネットワーク装置と該遠隔端末装置の間にアダプテーション層が構成され、該第三のアクセス層データパケットに第六の論理チャネル識別子が含まれ、該第六の論理チャネル識別子が該ネットワーク装置により該遠隔端末装置に割り当てられるものであり、又は第六の論理チャネル識別子が該遠隔端末装置によって該遠隔端末装置と該ネットワーク装置に記憶された第六のプリセットルールに基づいて確定されるものであり、該第六の論理チャネル識別子が該ネットワーク装置によって該アダプテーション層で該第三のアクセス層データパケットにカプセル化されるものであり、また
該処理ユニットはさらにプリセット論理チャネル識別子を該第四のアクセス層データパケットにカプセル化するように構成され、該遠隔端末装置が該プリセット論理チャネル識別子に基づき、該アダプテーション層で該第六の論理チャネル識別子を取得することができるように、該プリセット論理チャネル識別子が該第四のアクセス層データパケットが中継データであることを示すことに用いられる。
【０３６３】
選択可能に、該処理ユニットはさらに第一のマッピング関係情報を取得するように構成され、該第一のマッピング関係情報が複数のデータ量区間と複数のアップリンクチャネルとの１対１マッピング関係を示すことに用いられ、各データ量区間が少なくとも一つのデータ量を含み、
該処理ユニットはさらに該第二のアクセス層データパケットのデータ量の属するデータ量区間と該第一のマッピング関係情報に基づき、第一のアップリンクチャネルを確定するように構成され、該第一のアップリンクチャネルが該第二のアクセス層データパケットのデータ量の属するデータ量区間に対応し、
該送信ユニットはさらに該第一のアップリンクチャネルを介して該ネットワーク装置へリソースリクエストメッセージを送信するように構成され、
該受信ユニットはさらに該ネットワーク装置から送信された第一のスケジューリング情報を受信するように構成され、該第一のスケジューリング情報が第一の伝送リソースを示すことに用いられ、該第一の伝送リソースの大きさが該ネットワーク装置によって該第一のアップリンクチャネルと該第一のマッピング関係情報に基づいて確定されるものであり、
該送信ユニットはさらに該第二の通信プロトコルに基づき、該第一の伝送リソースを介し、該ネットワーク装置へ該第二のアクセス層データパケットを送信するように構成される。
【０３６４】
選択可能に、該処理ユニットはさらに第二のマッピング関係情報を取得するように構成され、該第二のマッピング関係情報が複数のデータ量区間と複数のプリアンブルとの１対１マッピング関係を示すことに用いられ、各データ量区間が少なくとも一つのデータ量を含み、
該処理ユニットはさらに該第二のアクセス層データパケットのデータ量の属するデータ量区間と該第二のマッピング関係情報に基づき、第一のプリアンブルを確定するように構成され、該第一のプリアンブルが該第二のアクセス層データパケットのデータ量の属するデータ量区間に対応し、
該送信ユニットはさらに該ネットワーク装置へ該第一のプリアンブルを送信するように構成され、
該受信ユニットはさらに該ネットワーク装置から送信された第二のスケジューリング情報を受信するように構成され、該第二のスケジューリング情報が第二の伝送リソースを示すことに用いられ、該第二の伝送リソースの大きさが該ネットワーク装置によって該第一のプリアンブルと該第二のマッピング関係情報に基づいて確定されるものであり、
該送信ユニットはさらに該第二の通信プロトコルに基づき、該第二の伝送リソースを介し、該ネットワーク装置へ該第二のアクセス層データパケットを送信するように構成される。
【０３６５】
選択可能に、該第一のアクセス層データパケットと該第四のアクセス層データパケットが該第一の通信プロトコルに規定されたＬ層データパケットであり、該第二のアクセス層データパケットと該第三のアクセス層データパケットが該第二の通信プロトコルに規定されたＬ１層データパケットである。
【０３６６】
該第一のアクセス層データパケットと該第四のアクセス層データパケットは該第一の通信プロトコルに規定されたＬ２層データパケットであり、該第二のアクセス層データパケットと該第三のアクセス層データパケットは該第二の通信プロトコルに規定されたＬ２層データパケットである。
【０３６７】
選択可能に、該受信ユニットはさらに該第一の通信プロトコルに基づき、該遠隔端末装置から送信された第五のアクセス層データパケットを受信するように構成され、該第五のアクセス層データパケットが該遠隔端末装置によって該ネットワーク装置への送信を必要とするＲＲＣ接続確立完了メッセージをカプセル化して生成されるものであり、該第五のアクセス層データパケットに該遠隔端末装置の装置識別子が含まれ、該ＲＲＣ接続確立完了メッセージが該遠隔端末装置によって該遠隔端末装置の装置識別子と該ＲＲＣ接続確立メッセージに基づいて生成されるものであり、
該処理ユニットはさらに該第五のアクセス層データパケットに基づき、第六のアクセス層データパケットを生成するように構成され、該第六のアクセス層データパケットに該遠隔端末装置の装置識別子が含まれ、
該送信ユニットはさらに第二の通信プロトコルに基づき、該ネットワーク装置へ該第六のアクセス層データパケットを送信するように構成される。
【０３６８】
本発明の実施例による無線リソース制御接続を確立するための装置６００は本発明の実施例の方法における中継端末装置に対応してもよく、且つ、無線リソース制御接続を確立するための装置６００の各ユニット即ちモジュールと上記の他の操作及び／又は機能はそれぞれ図６における方法２００の対応するプロセスを実現することに用いられ、簡潔にするため、ここでは説明を省略する。
【０３６９】
本発明の実施例による無線リソース制御接続を確立するための装置では、ネットワーク装置のカバレッジ範囲外にある遠隔端末装置がネットワーク装置のカバレッジ範囲内にある遠隔端末装置へＲＲＣ接続確立リクエストメッセージと該遠隔端末装置の装置識別子を含む第一のＭＡＣ  ＰＤＵを送信し、且つ、中継端末装置が該第一のＭＡＣ  ＰＤＵを解析して該ＲＲＣ接続確立リクエストメッセージを取得し、ネットワーク装置へ該ＲＲＣ接続確立リクエストメッセージと該遠隔端末装置の装置識別子を含む第二のＭＡＣ  ＰＤＵを送信することにより、ネットワーク装置はＲＲＣ接続確立リクエストメッセージと該遠隔端末装置の装置識別子に基づき、該遠隔端末装置に対してＲＲＣ接続を確立し、該ＲＲＣ接続の関連情報を搬送するためのＲＲＣ接続確立メッセージと該遠隔端末装置の装置識別子を第三のＭＡＣ  ＰＤＵにカプセル化し、該第三のＭＡＣ  ＰＤＵを中継端末装置に送信することができ、それによってネットワーク装置のカバレッジ範囲外にある遠隔端末に対してＲＲＣ接続を確立することができる。
【０３７０】
図１１は本発明の別の実施例における無線リソース制御接続を確立するための装置７００の概略的なブロック図である。図１１に示すように、該装置７００は、
該ネットワーク装置への送信を必要とする無線リソース制御（ＲＲＣ）接続確立リクエストメッセージをカプセル化し、第一のアクセス層データパケットを生成するように構成され、該第一のアクセス層データパケットに該装置の装置識別子が含まれる処理ユニット７１０と、
該第一の通信プロトコルに基づき、該中継端末装置へ該第一のアクセス層データパケットを送信するように構成される送信ユニット７２０と、
該第一の通信プロトコルに基づいて該中継端末装置から送信された第四のアクセス層データパケットを受信するように構成され、該第四のアクセス層データパケットに該装置の装置識別子が含まれる受信ユニット７３０とを備える。
【０３７１】
選択可能に、該処理ユニットはさらに該装置の装置識別子を該第一のアクセス層データパケットにカプセル化するように構成され、
該処理ユニットはさらにＬ２層で該第四のアクセス層データパケットから該装置の装置識別子を取得するように構成される。
【０３７２】
選択可能に、該処理ユニットはさらにアダプテーション層で該装置の装置識別子を該第一のアクセス層データパケットにカプセル化するように構成され、
該処理ユニットはさらにアダプテーション層で該第四のアクセス層データパケットから該装置の装置識別子を取得するように構成される。
【０３７３】
選択可能に、該処理ユニットはさらにＲＲＣ層で該装置の装置識別子を該第一のアクセス層データパケットにカプセル化するように構成され、
該処理ユニットはさらにＲＲＣ層で該第四のアクセス層データパケットから該装置の装置識別子を取得するように構成される。
【０３７４】
選択可能に、該ネットワーク装置と該装置の間にアダプテーション層が構成され、該第三のアクセス層データパケットに第六の論理チャネル識別子が含まれ、該第六の論理チャネル識別子が該ネットワーク装置により該装置に割り当てられるものであり、又は該第六の論理チャネル識別子が該装置によって該装置と該ネットワーク装置に記憶された第六のプリセットルール情報に基づいて確定されるものであり、該第六の論理チャネル識別子が該ネットワーク装置によって該アダプテーション層で該第三のアクセス層データパケットにカプセル化されるものであり、また
該処理ユニットはさらに該第四のアクセス層データパケットに含まれるプリセット論理チャネル識別子に基づき、該アダプテーション層で該第六の論理チャネル識別子を取得するように構成され、該プリセット論理チャネル識別子が該中継端末装置によって該第四のアクセス層データパケットにカプセル化されるものであり、該プリセット論理チャネル識別子が該第四のアクセス層データパケットが中継データであることを示すことに用いられる。
【０３７５】
選択可能に、該第一のアクセス層データパケットと該第四のアクセス層データパケットが該第一の通信プロトコルに規定されたＬ１層データパケットであり、該第二のアクセス層データパケットと該第三のアクセス層データパケットが該第二の通信プロトコルに規定されたＬ１層データパケットであり、又は、
該第一のアクセス層データパケットと該第四のアクセス層データパケットが該第一の通信プロトコルに規定されたＬ２層データパケットであり、該第二のアクセス層データパケットと該第三のアクセス層データパケットが該第二の通信プロトコルに規定されたＬ２層データパケットである。
【０３７６】
選択可能に、該処理ユニットはさらに該装置の装置識別子と該ＲＲＣ接続確立メッセージに基づき、該ネットワーク装置への送信を必要とするＲＲＣ接続確立完了メッセージを生成するように構成され、
該処理ユニットはさらに該ＲＲＣ接続確立完了メッセージをカプセル化して、第五のアクセス層データパケットを生成するように構成され、該第五のアクセス層データパケットに該装置の装置識別子が含まれ、
該送信ユニットはさらに該第一の通信プロトコルに基づき、該中継端末装置へ該第五のアクセス層データパケットを送信するように構成される。
【０３７７】
本発明の実施例による無線リソース制御接続を確立するための装置７００は本発明の実施例の方法における遠隔端末装置に対応してもよく、且つ、無線リソース制御接続を確立するための装置７００の各ユニット即ちモジュールと上記の他の操作及び／又は機能はそれぞれ図８における方法４００の対応するプロセスを実現することに用いられ、簡潔にするため、ここでは説明を省略する。
【０３７８】
本発明の実施例による無線リソース制御接続を確立するための装置では、ネットワーク装置のカバレッジ範囲外にある遠隔端末装置がネットワーク装置のカバレッジ範囲内にある遠隔端末装置へＲＲＣ接続確立リクエストメッセージと該遠隔端末装置の装置識別子を含む第一のＭＡＣ  ＰＤＵを送信し、且つ、中継端末装置が該第一のＭＡＣ  ＰＤＵを解析して該ＲＲＣ接続確立リクエストメッセージを取得し、ネットワーク装置へ該ＲＲＣ接続確立リクエストメッセージと該遠隔端末装置の装置識別子を含む第二のＭＡＣ  ＰＤＵを送信することにより、ネットワーク装置はＲＲＣ接続確立リクエストメッセージと該遠隔端末装置の装置識別子に基づき、該遠隔端末装置に対してＲＲＣ接続を確立し、該ＲＲＣ接続の関連情報を搬送するためのＲＲＣ接続確立メッセージと該遠隔端末装置の装置識別子を第三のＭＡＣ  ＰＤＵにカプセル化し、該第三のＭＡＣ  ＰＤＵを中継端末装置に送信することができ、それによってネットワーク装置のカバレッジ範囲外にある遠隔端末に対してＲＲＣ接続を確立することができる。
【０３７９】
図１２は本発明の別の実施例における無線リソース制御接続を確立するための装置８００の概略的なブロック図である。図１２に示すように、該装置８００は、
該第二の通信プロトコルに基づき、該中継端末装置から送信された第二のアクセス層データパケットを受信するように構成され、第二のアクセス層データパケットに該遠隔端末装置の装置識別子が含まれ、該第二のアクセス層データパケットが該中継端末装置によって第一のアクセス層データパケットに基づいて生成されるものであり、第一のアクセス層データパケットが該遠隔端末装置によって該ネットワーク装置への送信を必要とするＲＲＣ接続確立リクエストメッセージをカプセル化して生成されるものである受信ユニット８１０と、
第二のアクセス層データパケットに含まれる該遠隔端末装置の装置識別子と該ＲＲＣ接続確立リクエストメッセージに基づき、該遠隔端末装置への送信を必要とするＲＲＣ接続確立メッセージを生成するように構成され
さらに該ＲＲＣ接続確立メッセージをカプセル化し、第三のアクセス層データパケットを生成するように構成され、該第三のアクセス層データパケットに該遠隔端末装置の装置識別子が含まれる処理ユニット８２０と、
該第二の通信プロトコルに基づき、該ネットワーク装置へ該第三のアクセス層データパケットを送信するように構成される送信ユニット８３０とを備える。
【０３８０】
選択可能に、該処理ユニットはさらにＬ２層で該第二のアクセス層データパケットから該遠隔端末装置の装置識別子を取得するように構成され、
該処理ユニットはさらにＬ２層で該遠隔端末装置の装置識別子を該第三のアクセス層データパケットにカプセル化するように構成される。
【０３８１】
選択可能に、該処理ユニットはさらにアダプテーション層で該第二のアクセス層データパケットから該遠隔端末装置の装置識別子を取得するように構成され、
該処理ユニットはさらにアダプテーション層で該遠隔端末装置の装置識別子を該第三のアクセス層データパケットにカプセル化するように構成される。
【０３８２】
選択可能に、該処理ユニットはさらにＲＲＣ層で該第二のアクセス層データパケットから該遠隔端末装置の装置識別子を取得するように構成され、
該処理ユニットはさらにＲＲＣ層で該遠隔端末装置の装置識別子を該第三のアクセス層データパケットにカプセル化するように構成される。
【０３８３】
選択可能に、該装置と遠隔端末装置の間にアダプテーション層が構成され、該第一のアクセス層データパケットに第三の論理チャネル識別子が含まれ、該第三の論理チャネル識別子が該装置から該遠隔端末装置に割り当てられるものであり、又は該第三の論理チャネル識別子が該遠隔端末装置によって該遠隔端末装置と該装置に記憶された第三のプリセットルール情報に基づいて確定されるものであり、該第三の論理チャネル識別子が該遠隔端末装置によって該アダプテーション層で該第一のアクセス層データパケットにカプセル化されるものであり、また
該処理ユニットはさらに該第二のアクセス層データパケットに含まれるプリセット論理チャネル識別子に基づき、該アダプテーション層で該第三の論理チャネル識別子を取得するように構成され、該プリセット論理チャネル識別子が該中継端末装置によって該第二のアクセス層データパケットにカプセル化されるものであり、該プリセット論理チャネル識別子が該第二のアクセス層データパケットが中継データであることを示すことに用いられる。
【０３８４】
選択可能に、該処理ユニットはさらに第一のマッピング関係情報を取得するように構成され、該第一のマッピング関係情報が複数のデータ量区間と複数のアップリンクチャネルとの１対１関係を示すことに用いられ、各データ量区間が少なくとも一つのデータ量を含み、
該受信ユニットはさらに該中継端末装置から第一のアップリンクチャネルを介して送信されたリソースリクエストメッセージを受信するように構成され、第一のアップリンクチャネルが該第二のアクセス層データパケットのデータ量の属するデータ量区間に対応し、
該処理ユニットはさらに該第一のアップリンクチャネルと該第一のマッピング関係情報に基づき、第一の伝送リソースを確定するように構成され、
該送信ユニットはさらに該中継端末装置へ該第一のスケジューリング情報を送信するように構成され、該第一のスケジューリング情報が該第一の伝送リソースを示すことに用いられ、
該受信ユニットはさらに該第二の通信プロトコルに基づき、該第一の伝送リソースを介し、該中継端末装置から送信された第二のアクセス層データパケットを受信するように構成される。
【０３８５】
選択可能に、該処理ユニットはさらに第二のマッピング関係情報を取得するように構成され、該第二のマッピング関係情報が複数のデータ量区間と複数のプリアンブルとの１対１マッピング関係を示すことに用いられ、各データ量区間が少なくとも一つのデータ量を含み、
該受信ユニットはさらに該中継端末装置から送信された第一のプリアンブルを受信するように構成され、該第一のプリアンブルが該第二のアクセス層データパケットのデータ量の属するデータ量区間に対応し、
該処理ユニットはさらに該第一のプリアンブルと該第二のマッピング関係情報に基づき、第二の伝送リソースを確定するように構成され、
該送信ユニットはさらに該中継端末装置へ該第二のスケジューリング情報を送信するように構成され、該第二のスケジューリング情報が該第二の伝送リソースを示すことに用いられ、
該受信ユニットはさらに該第二の通信プロトコルに基づき、該第二の伝送リソースを介し、該中継端末装置から送信された第二のアクセス層データパケットを受信するように構成される。
【０３８６】
選択可能に、該受信ユニットはさらに該第二の通信プロトコルに基づき、該中継端末装置から送信された第六のアクセス層データパケットを受信するように構成され、該第六のアクセス層データパケットが第五のアクセス層データパケットに基づいて生成されるものであり、前記第五のアクセス層データパケットが該遠隔端末装置によって該装置への送信を必要とするＲＲＣ接続確立完了メッセージをカプセル化して生成されるものであり、該第五のアクセス層データパケットに該遠隔端末装置の装置識別子が含まれ、該第六のアクセス層データパケットに該遠隔端末装置の装置識別子が含まれる。
【０３８７】
本発明の実施例による無線リソース制御接続を確立するための装置８００は本発明の実施例の方法におけるネットワーク装置に対応してもよく、且つ、無線リソース制御接続を確立するための装置８００の各ユニット即ちモジュールと上記の他の操作及び／又は機能はそれぞれ図９における方法５００の対応するプロセスを実現することに用いられ、簡潔にするため、ここでは説明を省略する。
【０３８８】
本発明の実施例による無線リソース制御接続を確立するための装置では、ネットワーク装置のカバレッジ範囲外にある遠隔端末装置がネットワーク装置のカバレッジ範囲内にある遠隔端末装置へＲＲＣ接続確立リクエストメッセージと該遠隔端末装置の装置識別子を含む第一のＭＡＣ  ＰＤＵを送信し、且つ、中継端末装置が該第一のＭＡＣ  ＰＤＵを解析して該ＲＲＣ接続確立リクエストメッセージを取得し、ネットワーク装置へ該ＲＲＣ接続確立リクエストメッセージと該遠隔端末装置の装置識別子を含む第二のＭＡＣ  ＰＤＵを送信することにより、ネットワーク装置はＲＲＣ接続確立リクエストメッセージと該遠隔端末装置の装置識別子に基づき、該遠隔端末装置に対してＲＲＣ接続を確立し、該ＲＲＣ接続の関連情報を搬送するためのＲＲＣ接続確立メッセージと該遠隔端末装置の装置識別子を第三のＭＡＣ  ＰＤＵにカプセル化し、該第三のＭＡＣ  ＰＤＵを中継端末装置に送信することができ、それによってネットワーク装置のカバレッジ範囲外にある遠隔端末に対してＲＲＣ接続を確立することができる。
【０３８９】
以上に図１〜図９を参照して無線リソース制御接続を確立するための方法を説明した。以下に図１３〜図１５を参照して無線リソース制御接続を確立するための装置を詳細に説明する。
【０３９０】
図１３は本発明の一実施例における無線リソース制御接続を確立するための装置９００の概略的な構造図である。図１３に示すように、該装置９００は、プロセッサ９１０と送受信機９２０を備え、プロセッサ９１０が送受信機９２０に接続され、選択可能に、該装置９００はさらにメモリ９３０をさらに備え、メモリ９３０がプロセッサ９１０に接続され、さらに選択可能に、該装置９００はバスシステム９４０を備える。ここで、プロセッサ９１０、メモリ９３０と送受信機９２０はバスシステム９４０を介して接続されてもよく、該メモリ９３０はコマンドを記憶するように構成されてもよく、該プロセッサ９１０は該メモリ９３０に記憶されたコマンドを実行し、情報又は信号を送信するように送受信機９２０を制御するように構成され、
該プロセッサ９１０は、該第一の通信プロトコルに基づき、遠隔端末装置から送信された第一のアクセス層データパケットを受信するように送受信機９２０を制御するように構成され、該第一のアクセス層データパケットが該遠隔端末装置によって該ネットワーク装置への送信を必要とする無線リソース制御（ＲＲＣ）接続確立リクエストメッセージをカプセル化して生成されるものであり、該第一のアクセス層データパケットに該遠隔端末装置の装置識別子が含まれ、
該処理プロセッサ９１０は該第一のアクセス層データパケットに基づき、第二のアクセス層データパケットを生成するように構成され、該第二のアクセス層データパケットに該遠隔端末装置の装置識別子が含まれ、
該プロセッサ９１０は、第二の通信プロトコルに基づき、該ネットワーク装置へ該第二のアクセス層データパケットを送信するように送受信機９２０を制御するように構成され、
該処理プロセッサ９１０は該第二の通信プロトコルに基づき、該ネットワーク装置から送信された第三のアクセス層データパケットを受信するように送受信機９２０を制御するように構成され、該第三のアクセス層データパケットが該ネットワーク装置によって該遠隔端末装置への送信を必要とするＲＲＣ接続確立メッセージをカプセル化して生成されるものであり、該ＲＲＣ接続確立メッセージが該ネットワーク装置によって該遠隔端末装置の装置識別子と該ＲＲＣ接続確立リクエストメッセージに基づいて生成されるものであり、該第三のアクセス層データパケットに該遠隔端末装置の装置識別子が含まれ、
該プロセッサ９１０は、該第三のアクセス層データパケットに基づき、第四のアクセス層データパケットを生成するように構成され、該第四のアクセス層データパケットに該遠隔端末装置の装置識別子が含まれ、
該プロセッサ９１０は、該第一の通信プロトコルに基づき、該遠隔端末装置へ該第四のアクセス層データパケットを送信するように送受信機９２０を制御するように構成される。
【０３９１】
選択可能に、該遠隔端末装置の装置識別子が該遠隔端末装置によって
Ｌ２層で該第一のアクセス層データパケットにカプセル化されるものであり、該遠隔端末装置の装置識別子が該ネットワーク装置によってＬ２層で該第三のアクセス層データパケットにカプセル化されるものであり、また
該プロセッサ９１０は、Ｌ２層で該第一のアクセス層データパケットから該遠隔端末装置の装置識別子を取得するように構成され、
該プロセッサ９１０は、Ｌ２層で該遠隔端末装置の装置識別子を該第二のアクセス層データパケットにカプセル化するように構成され、
該プロセッサ９１０は、Ｌ２層で該第三のアクセス層データパケットから該遠隔端末装置の装置識別子を取得するように構成され、
該プロセッサ９１０は、Ｌ２層で該遠隔端末装置の装置識別子を該第四のアクセス層データパケットにカプセル化するように構成される。
【０３９２】
選択可能に、該遠隔端末装置の装置識別子は該遠隔端末装置によってアダプテーション層で該第一のアクセス層データパケットにカプセル化されるものであり、該遠隔端末装置の装置識別子は該ネットワーク装置によってアダプテーション層で該第三のアクセス層データパケットにカプセル化されるものである。
【０３９３】
選択可能に、該遠隔端末装置の装置識別子は該遠隔端末装置によってアダプテーション層で該第一のアクセス層データパケットにカプセル化されるものであり、該遠隔端末装置の装置識別子は該ネットワーク装置によってＬ２層で該第三のアクセス層データパケットにカプセル化されるものであり、また
該プロセッサ９１０はアダプテーション層で該第一のアクセス層データパケットから該遠隔端末装置の装置識別子を取得するように構成され、
該プロセッサ９１０はＬ２層で該遠隔端末装置の装置識別子を該第二のアクセス層データパケットにカプセル化するように構成され、
該プロセッサ９１０はＬ２層で該第三のアクセス層データパケットから該遠隔端末装置の装置識別子を取得するように構成され、
該プロセッサ９１０はアダプテーション層で該遠隔端末装置の装置識別子を該第四のアクセス層データパケットにカプセル化するように構成される。
【０３９４】
選択可能に、該遠隔端末装置の装置識別子が該遠隔端末装置によってＲＲＣ層で該第一のアクセス層データパケットにカプセル化されるものであり、該遠隔端末装置の装置識別子が該ネットワーク装置によってＲＲＣ層で該第三のアクセス層データパケットにカプセル化されるものである。
【０３９５】
選択可能に、該プロセッサ９１０は該第一のアクセス層データパケットから第一の論理チャネル識別子を取得するように構成され、該第一の論理チャネル識別子が遠隔端末装置によって第一のベアラに基づいて確定されるものであり、
該プロセッサ９１０は該第一の論理チャネル識別子に基づき、第二の論理チャネル識別子を確定するように構成され、該ネットワーク装置が該第二の論理チャネル識別子に基づいて該第一のベアラを確定することができ、
該プロセッサ９１０は該第二の論理チャネル識別子を該第二のアクセス層データパケットにカプセル化するように構成される。
【０３９６】
選択可能に、該第一の論理チャネル識別子が該ネットワーク装置により該遠隔端末装置に割り当てられるものである場合、該プロセッサ９１０は該第一の論理チャネル識別子を該第二の論理チャネル識別子として確定するように構成され、
該第一の論理チャネル識別子が該遠隔端末装置によって該遠隔端末装置に記憶された第一のプリセットルール情報に基づいて確定されるものであり、ここで、第一のプリセットルールの下で、該第一の論理チャネル識別子が該第一のベアラに対応する場合、該プロセッサ９１０は第二のプリセットルールの下での該第一のベアラに対応する論理チャネル識別子を該第二の論理チャネル識別子として確定するように構成され、該第二のプリセットルール情報が該ネットワーク装置に記憶される。
【０３９７】
選択可能に、該ネットワーク装置と該遠隔端末装置の間にアダプテーション層が構成され、該第一のアクセス層データパケットに第三の論理チャネル識別子が含まれ、該第三の論理チャネル識別子が該ネットワーク装置により該遠隔端末装置に割り当てられるものであり、又は該第三の論理チャネル識別子が該遠隔端末装置によって該遠隔端末装置と該ネットワーク装置に記憶された第三のプリセットルール情報に基づいて確定されるものであり、該第三の論理チャネル識別子が該遠隔端末装置によって該アダプテーション層で該第一のアクセス層データパケットにカプセル化されるものであり、また
該プロセッサ９１０はプリセット論理チャネル識別子を該第二のアクセス層データパケットにカプセル化するように構成され、該ネットワーク装置が該プリセット論理チャネル識別子に基づき、該アダプテーション層で該第三の論理チャネル識別子を取得することができるように、該プリセット論理チャネル識別子が該第二のアクセス層データパケットが中継データであることを示すことに用いられる。
【０３９８】
選択可能に、該プロセッサ９１０は該第三のアクセス層データパケットから第四の論理チャネル識別子を取得するように構成され、該第四の論理チャネル識別子が該ネットワーク装置によって第二のベアラに基づいて確定されるものであり、
該プロセッサ９１０は該第四の論理チャネル識別子に基づき、第五の論理チャネル識別子を確定するように構成され、該遠隔端末装置が該第五の論理チャネル識別子に基づいて該第二のベアラを確定することができ、
該プロセッサ９１０は該第五の論理チャネル識別子を該第四のアクセス層データパケットにカプセル化するように構成される。
【０３９９】
選択可能に、該第四の論理チャネル識別子が該ネットワーク装置により該遠隔端末装置に割り当てられるものである場合、該プロセッサ９１０は該第四の論理チャネル識別子を該第五の論理チャネル識別子として確定するように構成され、
該第四の論理チャネル識別子が該ネットワーク装置によって該ネットワーク装置に記憶された第四のプリセットルール情報に基づいて確定されるものであり、ここで、第四のプリセットルールの下で、該第四の論理チャネル識別子が該第二のベアラに対応する場合、該プロセッサ９１０は第五のプリセットルールの下での該第二のベアラに対応する論理チャネル識別子を該第五の論理チャネル識別子として確定するように構成され、該第五のプリセットルール情報が該遠隔端末装置に記憶される。
【０４００】
選択可能に、該ネットワーク装置と該遠隔端末装置の間にアダプテーション層が構成され、該第三のアクセス層データパケットに第六の論理チャネル識別子が含まれ、該第六の論理チャネル識別子が該ネットワーク装置により該遠隔端末装置に割り当てられるものであり、又は第六の論理チャネル識別子が該遠隔端末装置によって該遠隔端末装置と該ネットワーク装置に記憶された第六のプリセットルールに基づいて確定されるものであり、該第六の論理チャネル識別子が該ネットワーク装置によって該アダプテーション層で該第三のアクセス層データパケットにカプセル化されるものであり、また
該プロセッサ９１０はプリセット論理チャネル識別子を該第四のアクセス層データパケットにカプセル化するように構成され、該遠隔端末装置が該プリセット論理チャネル識別子に基づき、該アダプテーション層で該第六の論理チャネル識別子を取得することができるように、該プリセット論理チャネル識別子が該第四のアクセス層データパケットが中継データであることを示すことに用いられる。
【０４０１】
選択可能に、該プロセッサ９１０は、第一のマッピング関係情報を取得するように構成され、該第一のマッピング関係情報が複数のデータ量区間と複数のアップリンクチャネルとの１対１マッピング関係を示すことに用いられ、各データ量区間が少なくとも一つのデータ量を含み、
該プロセッサ９１０は該第二のアクセス層データパケットのデータ量の属するデータ量区間と該第一のマッピング関係情報に基づき、第一のアップリンクチャネルを確定するように構成され、該第一のアップリンクチャネルが該第二のアクセス層データパケットのデータ量の属するデータ量区間に対応し、
該プロセッサ９１０は該第一のアップリンクチャネルを介して該ネットワーク装置へリソースリクエストメッセージを送信するように送受信機９２０を制御するように構成され、
該プロセッサ９１０は該ネットワーク装置から送信された第一のスケジューリング情報を受信するように送受信機９２０を制御するように構成され、該第一のスケジューリング情報が第一の伝送リソースを示すことに用いられ、該第一の伝送リソースの大きさが該ネットワーク装置によって該第一のアップリンクチャネルと該第一のマッピング関係情報に基づいて確定されるものであり、
該プロセッサ９１０は該第二の通信プロトコルに基づき、該第一の伝送リソースを介し、該ネットワーク装置へ該第二のアクセス層データパケットを送信するように送受信機９２０を制御するように構成される。
【０４０２】
選択可能に、該プロセッサ９１０は第二のマッピング関係情報を取得するように構成され、該第二のマッピング関係情報が複数のデータ量区間と複数のプリアンブルとの１対１マッピング関係を示すことに用いられ、各データ量区間が少なくとも一つのデータ量を含み、
該プロセッサ９１０は該第二のアクセス層データパケットのデータ量の属するデータ量区間と該第二のマッピング関係情報に基づき、第一のプリアンブルを確定するように構成され、該第一のプリアンブルが該第二のアクセス層データパケットのデータ量の属するデータ量区間に対応し、
該プロセッサ９１０は該ネットワーク装置へ該第一のプリアンブルを送信するように送受信機９２０を制御するように構成され、
該プロセッサ９１０は該ネットワーク装置から送信された第二のスケジューリング情報を受信するように送受信機９２０を制御するように構成され、該第二のスケジューリング情報が第二の伝送リソースを示すことに用いられ、該第二の伝送リソースの大きさが該ネットワーク装置によって該第一のプリアンブルと該第二のマッピング関係情報に基づいて確定されるものであり、
該プロセッサ９１０は該第二の通信プロトコルに基づき、該第二の伝送リソースを介し、該ネットワーク装置へ該第二のアクセス層データパケットを送信するように送受信機９２０を制御するように構成される。
【０４０３】
選択可能に、該第一のアクセス層データパケットと該第四のアクセス層データパケットが該第一の通信プロトコルに規定されたＬ１層データパケットであり、該第二のアクセス層データパケットと該第三のアクセス層データパケットが該第二の通信プロトコルに規定されたＬ１層データパケットであり、又は、
該第一のアクセス層データパケットと該第四のアクセス層データパケットが該第一の通信プロトコルに規定されたＬ２層データパケットであり、該第二のアクセス層データパケットと該第三のアクセス層データパケットが該第二の通信プロトコルに規定されたＬ２層データパケットである。
【０４０４】
選択可能に、該プロセッサ９１０は該第一の通信プロトコルに基づき、該遠隔端末装置から送信された第五のアクセス層データパケットを受信するように送受信機９２０を制御するように構成され、該第五のアクセス層データパケットが該遠隔端末装置によって該ネットワーク装置への送信を必要とするＲＲＣ接続確立完了メッセージをカプセル化して生成されるものであり、該第五のアクセス層データパケットに該遠隔端末装置の装置識別子が含まれ、該ＲＲＣ接続確立完了メッセージが該遠隔端末装置によって該遠隔端末装置の装置識別子と該ＲＲＣ接続確立メッセージに基づいて生成されるものであり、
該プロセッサ９１０は該第五のアクセス層データパケットに基づき、第六のアクセス層データパケットを生成するように構成され、該第六のアクセス層データパケットに該遠隔端末装置の装置識別子が含まれ、
該プロセッサ９１０は第二の通信プロトコルに基づき、該ネットワーク装置へ該第六のアクセス層データパケットを送信するように送受信機９２０を制御するように構成される。
【０４０５】
本発明の実施例による無線リソース制御接続を確立するための装置９００は本発明の実施例の方法における中継端末装置に対応してもよく、且つ、無線リソース制御接続を確立するための装置９００の各ユニット即ちモジュールと上記の他の操作及び／又は機能はそれぞれ図６における方法２００の対応するプロセスを実現することに用いられ、簡潔にするため、ここでは説明を省略する。
【０４０６】
本発明の実施例による無線リソース制御接続を確立するための装置では、ネットワーク装置のカバレッジ範囲外にある遠隔端末装置がネットワーク装置のカバレッジ範囲内にある遠隔端末装置へＲＲＣ接続確立リクエストメッセージと該遠隔端末装置の装置識別子を含む第一のＭＡＣ  ＰＤＵを送信し、且つ、中継端末装置が該第一のＭＡＣ  ＰＤＵを解析して該ＲＲＣ接続確立リクエストメッセージを取得し、ネットワーク装置へ該ＲＲＣ接続確立リクエストメッセージと該遠隔端末装置の装置識別子を含む第二のＭＡＣ  ＰＤＵを送信することにより、ネットワーク装置はＲＲＣ接続確立リクエストメッセージと該遠隔端末装置の装置識別子に基づき、該遠隔端末装置に対してＲＲＣ接続を確立し、該ＲＲＣ接続の関連情報を搬送するためのＲＲＣ接続確立メッセージと該遠隔端末装置の装置識別子を第三のＭＡＣ  ＰＤＵにカプセル化し、該第三のＭＡＣ  ＰＤＵを中継端末装置に送信することができ、それによってネットワーク装置のカバレッジ範囲外にある遠隔端末に対してＲＲＣ接続を確立することができる。
【０４０７】
図１４は本発明の別の実施例における無線リソース制御接続を確立するための装置１０００の概略的な構造図である。図１４に示すように、該装置１０００は、プロセッサ１０１０と送受信機１０２０を備え、プロセッサ１０１０が送受信機１０２０に接続され、選択可能に、該装置１０００はさらにメモリ１０３０をさらに備え、メモリ１０３０がプロセッサ１０１０に接続され、さらに選択可能に、該装置１０００はバスシステム１０４０を備える。ここで、プロセッサ１０１０、メモリ１０３０と送受信機１０２０はバスシステム１０４０を介して接続されてもよく、該メモリ１０３０はコマンドを記憶するように構成されてもよく、該プロセッサ１０１０は該メモリ１０３０に記憶されたコマンドを実行し、情報又は信号を送信するように送受信機１０２０を制御するように構成され、
該プロセッサ１０１０は、該ネットワーク装置への送信を必要とする無線リソース制御（ＲＲＣ）接続確立リクエストメッセージをカプセル化し、第一のアクセス層データパケットを生成するように構成され、該第一のアクセス層データパケットに該装置１０００の装置識別子が含まれ、
該プロセッサ１０１０は該第一の通信プロトコルに基づき、該中継端末装置へ該第一のアクセス層データパケットを送信するように送受信機１０２０を制御するように構成され、
該プロセッサ１０１０は該第一の通信プロトコルに基づいて該中継端末装置から送信された第四のアクセス層データパケットを受信するように送受信機１０２０を制御するように構成され、該第四のアクセス層データパケットに該装置１０００の装置識別子が含まれる。
【０４０８】
選択可能に、該プロセッサ１０１０はＬ層で該装置１０００の装置識別子を該第一のアクセス層データパケットにカプセル化するように構成され、
該プロセッサ１０１０はＬ層で該第四のアクセス層データパケットから該装置１０００の装置識別子を取得するように構成される。
【０４０９】
選択可能に、該プロセッサ１０１０はアダプテーション層で該装置１０００の装置識別子を該第一のアクセス層データパケットにカプセル化するように構成され、
該プロセッサ１０１０はアダプテーション層で該第四のアクセス層データパケットから該装置１０００の装置識別子を取得するように構成される。
【０４１０】
選択可能に、該プロセッサ１０１０はＲＲＣ層で該装置１０００の装置識別子を該第一のアクセス層データパケットにカプセル化するように構成され、
該プロセッサ１０１０はＲＲＣ層で該第四のアクセス層データパケットから該装置１０１０の装置識別子を取得するように構成される。
【０４１１】
選択可能に、該ネットワーク装置と装置１０００の間にアダプテーション層が構成され、該第三のアクセス層データパケットに第六の論理チャネル識別子が含まれ、該第六の論理チャネル識別子が該ネットワーク装置により該装置１０００に割り当てられるものであり、又は第六の論理チャネル識別子が該プロセッサ１０１０によって該装置１０００と該ネットワーク装置に記憶された第六のプリセットルールに基づいて確定されるものであり、該第六の論理チャネル識別子が該ネットワーク装置によって該アダプテーション層で該第三のアクセス層データパケットにカプセル化されるものであり、また
該プロセッサ１０１０は、該第四のアクセス層データパケットに含まれるプリセット論理チャネル識別子に基づき、該アダプテーション層で該第六の論理チャネル識別子を取得するように構成され、該プリセット論理チャネル識別子が該中継端末装置によって該第四のアクセス層データパケットにカプセル化されるものであり、該プリセット論理チャネル識別子が該第四のアクセス層データパケットが中継データであることを示すことに用いられる。
【０４１２】
選択可能に、該第一のアクセス層データパケットと該第四のアクセス層データパケットは該第一の通信プロトコルに規定されたＬ１層データパケットであり、該第二のアクセス層データパケットと該第三のアクセス層データパケットは該第二の通信プロトコルに規定されたＬ１層データパケットであり、又は、
該第一のアクセス層データパケットと該第四のアクセス層データパケットは該第一の通信プロトコルに規定されたＬ２層データパケットであり、該第二のアクセス層データパケットと該第三のアクセス層データパケットは該第二の通信プロトコルに規定されたＬ２層データパケットである。
【０４１３】
選択可能に、該プロセッサ１０１０は該装置１０００の装置識別子と該ＲＲＣ接続確立メッセージに基づき、該ネットワーク装置への送信を必要とするＲＲＣ接続確立完了メッセージを生成するように構成され、
該プロセッサ１０１０は該ＲＲＣ接続確立完了メッセージをカプセル化し、第五のアクセス層データパケットを生成するように構成され、該第五のアクセス層データパケットに該装置１０００の装置識別子が含まれ、
該プロセッサ１０１０は該第一の通信プロトコルに基づき、該中継端末装置へ該第五のアクセス層データパケットを送信するように送受信機１０２０を制御するように構成される。
【０４１４】
本発明の実施例による無線リソース制御接続を確立するための装置１０００は本発明の実施例の方法における中継端末装置に対応してもよく、且つ、無線リソース制御接続を確立するための装置１０００の各ユニット即ちモジュールと上記の他の操作及び／又は機能はそれぞれ図８における方法４００の対応するプロセスを実現することに用いられ、簡潔にするため、ここでは説明を省略する。
【０４１５】
本発明の実施例による無線リソース制御接続を確立するための装置では、ネットワーク装置のカバレッジ範囲外にある遠隔端末装置がネットワーク装置のカバレッジ範囲内にある遠隔端末装置へＲＲＣ接続確立リクエストメッセージと該遠隔端末装置の装置識別子を含む第一のＭＡＣ  ＰＤＵを送信し、且つ、中継端末装置が該第一のＭＡＣ  ＰＤＵを解析して該ＲＲＣ接続確立リクエストメッセージを取得し、ネットワーク装置へ該ＲＲＣ接続確立リクエストメッセージと該遠隔端末装置の装置識別子を含む第二のＭＡＣ  ＰＤＵを送信することにより、ネットワーク装置はＲＲＣ接続確立リクエストメッセージと該遠隔端末装置の装置識別子に基づき、該遠隔端末装置に対してＲＲＣ接続を確立し、該ＲＲＣ接続の関連情報を搬送するためのＲＲＣ接続確立メッセージと該遠隔端末装置の装置識別子を第三のＭＡＣ  ＰＤＵにカプセル化し、該第三のＭＡＣ  ＰＤＵを中継端末装置に送信することができ、それによってネットワーク装置のカバレッジ範囲外にある遠隔端末に対してＲＲＣ接続を確立することができる。
【０４１６】
図１５は本発明の別の実施例における無線リソース制御接続を確立するための装置１１０００の概略的なブロック図である。図１５に示すように、該装置１１００は、プロセッサ１１１０と送受信機１１２０を備え、プロセッサ１１１０が送受信機１１２０に接続され、選択可能に、該装置１１００はさらにメモリ１１３０をさらに備え、メモリ１１３０がプロセッサ１１１０に接続され、さらに選択可能に、該装置１１００はバスシステム１１４０を備える。ここで、プロセッサ１１１０、メモリ１１３０と送受信機１１２０はバスシステム１１４０を介して接続されてもよく、該メモリ１１３０はコマンドを記憶するように構成されてもよく、該プロセッサ１１１０は該メモリ１１３０に記憶されたコマンドを実行し、情報又は信号を送信するように送受信機１１２０を制御するように構成され、
該プロセッサ１１１０は、該第二の通信プロトコルに基づき、該中継端末装置から送信された第二のアクセス層データパケットを受信するように送受信機１１２０を制御するように構成され、該第二のアクセス層データパケットに該第二のアクセス層データパケットに該遠隔端末装置の装置識別子が含まれ、該第二のアクセス層データパケットが該中継端末装置によって第一のアクセス層データパケットに基づいて生成されるものであり、第一のアクセス層データパケットが該遠隔端末装置によって該プロセッサ１１１０への送信を必要とするＲＲＣ接続確立リクエストメッセージをカプセル化して生成されるものであり、
該プロセッサ１１１０は第二のアクセス層データパケットに含まれる該遠隔端末装置の装置識別子と該ＲＲＣ接続確立リクエストメッセージに基づき、該遠隔装置への送信を必要とするＲＲＣ接続確立メッセージを生成するように構成され、
該プロセッサ１１１０は該ＲＲＣ接続確立メッセージをカプセル化し、第三のアクセス層データパケットを生成するように構成され、該第三のアクセス層データパケットに該遠隔端末装置の装置識別子が含まれ、
該プロセッサ１１１０は該第二の通信プロトコルに基づき、該中継端末装置へ該第三のアクセス層データパケットを送信するように送受信機１１２０を制御するように構成される。
【０４１７】
選択可能に、該プロセッサ１１１０はＬ２層で該第二のアクセス層データパケットから該遠隔端末装置の装置識別子を取得するように構成され、
該プロセッサ１１１０はＬ２層で該遠隔端末装置の装置識別子を該第三のアクセス層データパケットにカプセル化するように構成される。
【０４１８】
選択可能に、該プロセッサ１１１０はアダプテーション層で該第二のアクセス層データパケットから該遠隔端末装置の装置識別子を取得するように構成され、
該プロセッサ１１１０はアダプテーション層で該遠隔端末装置の装置識別子を該第三のアクセス層データパケットにカプセル化するように構成される。
【０４１９】
選択可能に、該プロセッサ１１１０はＲＲＣ層で該第二のアクセス層データパケットから該遠隔端末装置の装置識別子を取得するように構成され、
該プロセッサ１１１０はＲＲＣ層で該遠隔端末装置の装置識別子を該第三のアクセス層データパケットにカプセル化するように構成される。
【０４２０】
選択可能に、該装置１００と該遠隔端末装置の間にアダプテーション層が構成され、該第一のアクセス層データパケットに第三の論理チャネル識別子が含まれ、該第三の論理チャネル識別子が該装置１１００から該遠隔端末装置に割り当てられるものであり、又は該第三の論理チャネル識別子が該遠隔端末装置によって該遠隔端末装置と該装置１１００に記憶された第三のプリセットルール情報に基づいて確定されるものであり、該第三の論理チャネル識別子が該遠隔端末装置によって該アダプテーション層で該第一のアクセス層データパケットにカプセル化されるものであり、また
該プロセッサ１１１０は該第二のアクセス層データパケットに含まれるプリセット論理チャネル識別子に基づき、該アダプテーション層で該第三の論理チャネル識別子を取得するように構成され、該プリセット論理チャネル識別子が該中継端末装置によって該第二のアクセス層データパケットにカプセル化されるものであり、該プリセット論理チャネル識別子が該第二のアクセス層データパケットが中継データであることを示すことに用いられる。
【０４２１】
選択可能に、該プロセッサ１１１０は第一のマッピング関係情報を取得するように構成され、該第一のマッピング関係情報が複数のデータ量区間と複数のアップリンクチャネルとの１対１マッピング関係を示すことに用いられ、各データ量区間が少なくとも一つのデータ量を含み、
該プロセッサ１１１０は該中継端末装置によって第一のアップリンクチャネルから送信されたリソースリクエストメッセージを受信するように送受信機１１２０を制御するように構成され、第一のアップリンクチャネルが該第二のアクセス層データパケットのデータの属するデータ量区間に対応し、
該プロセッサ１１１０は該第一のアップリンクチャネルと該第一のマッピング関係情報に基づき、第一の伝送リソースを確定するように構成され、
該プロセッサ１１１０は該中継端末装置へ該第一のスケジューリング情報を送信するように送受信機１１２０を制御するように構成され、該第一のスケジューリング情報が該第一の伝送リソースを示すことに用いられ、
該プロセッサ１１１０は該第二の通信プロトコルに基づき、該第一の伝送リソースを介し、該中継端末装置から送信された第二のアクセス層データパケットを受信するように送受信機１１２０を制御するように構成される。
【０４２２】
選択可能に、該プロセッサ１１１０は第二のマッピング関係情報を取得するように構成され、該第二のマッピング関係が複数のデータ量区間と複数のプリアンブルとの１対１マッピング関係を示すことに用いられ、各データ量区間が少なくとも一つのデータ量を含み、
該プロセッサ１１１０は該中継端末装置から送信された第一のプリアンブルを受信するように送受信機１１２０を制御するように構成され、該第一のプリアンブルが該第二のアクセス層データパケットのデータ量の属するデータ量区間に対応し、
該プロセッサ１１１０は該第一のプリアンブルと該第二のマッピング関係情報に基づき、第二の伝送リソースを確定するように構成され、
該プロセッサ１１１０は該中継端末装置へ該第二のスケジューリング情報を送信するように送受信機１１２０を制御するように構成され、該第二のスケジューリング情報が該第二の伝送リソースを示すことに用いられ、
該プロセッサ１１１０は該第二の通信プロトコルに基づき、該第二の伝送リソースを介し、該中継端末装置から送信された第二のアクセス層データパケットを受信するように送受信機１１２０を制御するように構成される。
【０４２３】
選択可能に、該プロセッサ１１１０は該第二の通信プロトコルに基づき、該中継端末装置から送信された第六のアクセス層データパケットを受信するように送受信機１１２０を制御するように構成され、該第六のアクセス層データパケットが第五のアクセス層データパケットに基づいて生成されるものであり、該第五のアクセス層データパケットが該遠隔端末装置によって該プロセッサ１１１０への送信を必要とするＲＲＣ接続確立完了メッセージをカプセル化して生成されるものであり、該第五のアクセス層データパケットに該遠隔端末装置の装置識別子が含まれ、該第六のアクセス層データパケットに該遠隔端末装置の装置識別子が含まれることを含む。
【０４２４】
本発明の実施例による無線リソース制御接続を確立するための装置１１００は本発明の実施例の方法におけるネットワーク装置に対応してもよく、且つ、無線リソース制御接続を確立するための装置１１００の各ユニット即ちモジュールと上記の他の操作及び／又は機能はそれぞれ図９における方法５００の対応するプロセスを実現することに用いられ、簡潔にするため、ここでは説明を省略する。
【０４２５】
本発明の実施例による無線リソース制御接続を確立するための装置では、ネットワーク装置のカバレッジ範囲外にある遠隔端末装置がネットワーク装置のカバレッジ範囲内にある遠隔端末装置へＲＲＣ接続確立リクエストメッセージと該遠隔端末装置の装置識別子を含む第一のＭＡＣ  ＰＤＵを送信し、且つ、中継端末装置が該第一のＭＡＣ  ＰＤＵを解析して該ＲＲＣ接続確立リクエストメッセージを取得し、ネットワーク装置へ該ＲＲＣ接続確立リクエストメッセージと該遠隔端末装置の装置識別子を含む第二のＭＡＣ  ＰＤＵを送信することにより、ネットワーク装置はＲＲＣ接続確立リクエストメッセージと該遠隔端末装置の装置識別子に基づき、該遠隔端末装置に対してＲＲＣ接続を確立し、該ＲＲＣ接続の関連情報を搬送するためのＲＲＣ接続確立メッセージと該遠隔端末装置の装置識別子を第三のＭＡＣ  ＰＤＵにカプセル化し、該第三のＭＡＣ  ＰＤＵを中継端末装置に送信することができ、それによってネットワーク装置のカバレッジ範囲外にある遠隔端末に対してＲＲＣ接続を確立することができる。
【０４２６】
注意すべきものとして、本発明の上記方法の実施例はプロセッサに応用されてもよいし、又はプロセッサによって実現されてもよい。プロセッサは、信号処理機能を備える集積回路チップであってもよい。実現プロセスにおいて、上記方法の実施例における各ステップはプロセッサにおけるハードウェアの集積論理回路又はソフトウェア形態のコマンドにより完了されてもよい。上記プロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブル論理デバイス、ディスクリートゲート又はトランジスタ論理デバイス、ディスクリートハードウェア部材であってもよい。本発明の実施例において開示される各方法、ステップ及び論理ブロック図を実現又は実行することができる。汎用プロセッサはマイクロプロセッサであってもよい又は該プロセッサはいずれかの従来のプロセッサなどであってもよい。本発明の実施例と組み合わせて開示された方法のステップはハードウェア復号プロセッサによって実行されて完了され、又は復号プロセッサにおけるハードウェアモジュール及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒質はメモリに位置し、プロセッサはメモリにおける情報を読み取り、そのハードウェアと組み合わせて上記方法のステップを完了する。
【０４２７】
本発明の実施例におけるメモリは揮発性記憶装置又は不揮発性記憶装置であってもよく、又は揮発性記憶装置及び不揮発性記憶装置両者を含むことができることが理解できる。ここで、不揮発性記憶装置は読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ  ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであってもよい。揮発性記憶装置は外部キャッシュメモリとして機能するランダムアクセスメモリ（ＲＡＭ：Ｒａｎｄｏｍ  Ａｃｃｅｓｓ  Ｍｅｍｏｒｙ）であってもよい。制限的でなく例示的な説明により、多くの形態のＲＡＭは利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（ＳＤＲＡＭ：Ｓｙｎｃｈｒｏｎｏｕｓ  ＤＲＡＭ）、ダブルデータレート同期動的ランダムアクセスメモリ（ＤＤＲＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲ  ＲＡＭ：Ｄｉｒｅｃｔ  Ｒａｍｂｕｓ  ＲＡＭ）である。注意すべきものとして、本明細書に記載のシステムと方法のメモリはこれらといずれかの他の適切なタイプのメモリを含むことを図るがこれらに限定されない。
【０４２８】
理解すべきものとして、以上に列挙されたプロトコル層は例示的な説明だけであり、本発明で特に限定されず、具体的に応用されたネットワーク又はシステムに基づいて例えば名称又は機能を任意に変更することができ、例えばいくつかのプロトコル層の機能を新しいプロトコル層として統合することもでき、且つ、上記の各プロトコル層の機能は例示的な説明だけであるが、本発明はこれに限定されず、従来技術における上記の各プロトコル層の実行可能な各機能がいずれも本発明の保護範囲内に含まれると理解すべきである。
【０４２９】
理解すべきものとして、本発明の各方法の実施例では、前記各プロセスの番号の大きさが実行順序を意味せず、各プロセスの実行順序はその機能と内部ロジックによって確定されるべきであり、本発明の実施例の実施プロセスのいかなる限定を構成すべきではない。
【０４３０】
当業者であれば、本明細書に開示された実施例と組み合わせて説明された各例のユニット及びアルゴリズムステップは、電子ハードウェア、又はコンピュータソフトウェアと電子ハードウェアとの組み合わせで実現されてもよいと理解できる。これらの機能がハードウェア又はソフトウェアで実行されるかどうかは技術的解決策の特定アプリケーションと設計約束条件に依存する。専門技術者は各特定のアプリケーションに対して異なる方法を使用して説明された機能を実現することができるが、このような実現は本発明の範囲を超えていると考えられるべきではない。
【０４３１】
当業者は便利且つ簡潔で説明するために、上述したシステム、装置とユニットの具体的な動作プロセスについて上記方法の実施例における対応するプロセスを参照でき、ここでは説明を省略することを明確に理解することができる。
【０４３２】
本出願が提供するいくつかの実施例では、開示されたシステム、装置および方法は他の方式により実現されてもよいと理解すべきである。例えば、上述した装置の実施例は例示的なものだけであり、例えば、前記ユニットの区分はロジック機能的区分だけであり、実際に実施する時に他の区分方式もあり得て、例えば複数のユニット又は部材は組み合わせられてもよい又は別のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【０４３３】
分離部材として説明された前記ユニットは物理的に分離するものであってもよく又は物理的に分離するものでなくてもよく、ユニットとして表示された部材は物理的ユニットであってもよく又は物理的ユニットでなくてもよく、すなわち一つの箇所に位置してもよく、又は複数のネットワークユニットに分布してもよい。実際のニーズに応じてここでの一部又は全てのユニットを選択して本実施例の解決策の目的を達成することができる。
【０４３４】
また、本発明の各実施例における各機能ユニットは一つの処理ユニットに統合されてもよく、個々のユニットは単独で物理的に存在してもよく、二つ又は二つ以上のユニットは一つのユニットに統合されてもよい。
【０４３５】
前記機能はソフトウェア機能ユニットの形態で実現され且つ独立した製品として販売又は使用される場合、一つのコンピュータ読み取り可能な記憶媒体に格納されてもよい。このような理解に基づき、本発明の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一つのコンピュータ装置（パーソナルコンピュータ、サーバ、又はネットワーク装置などあってもよい）に本発明の各実施例に記載の方法の全部又は一部のステップを実行させるためのいくつかのコマンドを含む記憶媒体に記憶すべきである。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０４３６】
以上は、本発明の最適的な実施例に過ぎず、本発明を制限せず、本分野の当業者に対して、本発明には各種類の変更と変化がある。本発明の主旨精神と原則の範囲内で、いかなる改修、同等の入れ替わり、改良等が、本発明の保護範囲以内に含まれるべきである。
【図１】
2019515517.tif 000005
【図２】
2019515517.tif 000006
【図３】
2019515517.tif 000007
【図４】
2019515517.tif 000008
【図５】
2019515517.tif 000009
【図６】
2019515517.tif 000010
【図７】
2019515517.tif 000011
【図８】
2019515517.tif 000012
【図９】
2019515517.tif 000013
【図１０】
2019515517.tif 000014
【図１１】
2019515517.tif 000015
【図１２】
2019515517.tif 000016
【図１３】
2019515517.tif 000017
【図１４】
2019515517.tif 000018
【図１５】
2019515517.tif 000019
【手続補正書】
【提出日】平成30年10月3日(2018.10.3)
【手続補正１】
【補正対象書類名】特許請求の範囲
【補正対象項目名】全文
【補正方法】変更
【補正の内容】
【特許請求の範囲】
【請求項１】
無線リソース制御接続（ＲＲＣ）を確立するための方法であって、遠隔端末装置、中継端末装置、及びネットワーク装置を備える通信システムで実行され、前記遠隔端末装置と前記中継端末装置が第一の通信プロトコルに基づいて通信し、前記中継端末装置と前記ネットワーク装置が第二の通信プロトコルに基づいて通信し、前記方法は、
前記中継端末装置が前記第一の通信プロトコルに基づき、遠隔端末装置から送信された第一のアクセス層データパケットを受信することと、
前記中継端末装置が前記第一のアクセス層データパケットに基づき、第二のアクセス層データパケットを生成することと、
前記中継端末装置が前記第二の通信プロトコルに基づき、前記ネットワーク装置へ前記第二のアクセス層データパケットを送信することと、
前記中継端末装置が前記第二の通信プロトコルに基づき、前記ネットワーク装置から送信された第三のアクセス層データパケットを受信することと、
前記中継端末装置が前記第三のアクセス層データパケットに基づき、第四のアクセス層データパケットを生成することと、
前記中継端末装置が前記第一の通信プロトコルに基づき、前記遠隔端末装置へ前記第四のアクセス層データパケットを送信することと、を含み、
前記第一のアクセス層データパケットが前記遠隔端末装置によって前記ネットワーク装置への送信を必要とする無線リソース制御接続確立リクエストメッセージをカプセル化して生成されるものであり、前記第一のアクセス層データパケットに前記遠隔端末装置の装置識別子が含まれ、
前記第二のアクセス層データパケットに前記遠隔端末装置の装置識別子が含まれ、
前記第三のアクセス層データパケットが前記ネットワーク装置によって前記遠隔端末装置への送信を必要とするＲＲＣ接続確立メッセージをカプセル化して生成されるものであり、前記ＲＲＣ接続確立メッセージが前記ネットワーク装置によって前記遠隔端末装置の装置識別子と前記ＲＲＣ接続確立リクエストメッセージに基づいて生成されるものであり、前記第三のアクセス層データパケットに前記遠隔端末装置の装置識別子が含まれ、
前記第四のアクセス層データパケットに前記遠隔端末装置の装置識別子が含まれる、
ことを特徴とする方法。
【請求項２】
前記遠隔端末装置の装置識別子が前記遠隔端末装置によってＬ２層で前記第一のアクセス層データパケットにカプセル化されるものであり、前記遠隔端末装置の装置識別子が前記ネットワーク装置によってＬ２層で前記第三のアクセス層データパケットにカプセル化されるものであり、また、
前記方法はさらに、
前記中継端末装置がＬ２層で前記第一のアクセス層データパケットから前記遠隔端末装置の装置識別子を取得することと、
前記中継端末装置がＬ２層で前記遠隔端末装置の装置識別子を前記第二のアクセス層データパケットにカプセル化することと、
前記中継端末装置がＬ２層で前記第三のアクセス層データパケットから前記遠隔端末装置の装置識別子を取得することと、
前記中継端末装置がＬ２層で前記遠隔端末装置の装置識別子を前記第四のアクセス層データパケットにカプセル化することとを含むことを特徴とする
請求項１に記載の方法。
【請求項３】
前記遠隔端末装置の装置識別子が前記遠隔端末装置によってアダプテーション層で前記第一のアクセス層データパケットにカプセル化されるものであり、前記遠隔端末装置の装置識別子が前記ネットワーク装置によってアダプテーション層で前記第三のアクセス層データパケットにカプセル化されるものであり、又は、
前記遠隔端末装置の装置識別子が前記遠隔端末装置によってＲＲＣ層で前記第一のアクセス層データパケットにカプセル化されるものであり、前記遠隔端末装置の装置識別子が前記ネットワーク装置によってＲＲＣ層で前記第三のアクセス層データパケットにカプセル化されるものであることを特徴とする、
請求項１に記載の方法。
【請求項４】
前記遠隔端末装置の装置識別子が前記遠隔端末装置によってアダプテーション層で前記第一のアクセス層データパケットにカプセル化されるものであり、前記遠隔端末装置の装置識別子が前記ネットワーク装置によってＬ２層で前記第三のアクセス層データパケットにカプセル化されるものであり、また、
前記方法はさらに、
前記中継端末装置がアダプテーション層で前記第一のアクセス層データパケットから前記遠隔端末装置の装置識別子を取得することと、
前記中継端末装置がＬ２層で前記遠隔端末装置の装置識別子を前記第二のアクセス層データパケットにカプセル化することと、
前記中継端末装置がＬ２層で前記第三のアクセス層データパケットから前記遠隔端末装置の装置識別子を取得することと、
前記中継端末装置がアダプテーション層で前記遠隔端末装置の装置識別子を前記第四のアクセス層データパケットにカプセル化することとを含むことを特徴とする
請求項１に記載の方法。
【請求項５】
前記方法はさらに、
前記中継端末装置が前記第一のアクセス層データパケットから第一の論理チャネル識別子を取得することと、
前記中継端末装置が前記第一の論理チャネル識別子に基づき、第二の論理チャネル識別子を確定することと、
前記中継端末装置が前記第二の論理チャネル識別子を前記第二のアクセス層データパケットにカプセル化することと、を含み、
前記第一の論理チャネル識別子が前記遠隔端末装置によって第一のベアラに基づいて確定されるものであり、
前記ネットワーク装置が前記第二の論理チャネル識別子に基づいて前記第一のベアラを確定することができることを特徴とする
請求項１乃至４のいずれか一項に記載の方法。
【請求項６】
前記中継端末装置が前記第一の論理チャネル識別子に基づき、第二の論理チャネル識別子を確定することは、
前記第一の論理チャネル識別子が前記ネットワーク装置により前記遠隔端末装置に割り当てられるものである場合、前記中継端末装置が前記第一の論理チャネル識別子を前記第二の論理チャネル識別子として確定することと、
前記第一の論理チャネル識別子が前記遠隔端末装置によって前記遠隔端末装置に記憶された第一のプリセットルール情報に基づいて確定されるものである場合、前記中継端末装置が第二のプリセットルールの下での前記第一のベアラに対応する論理チャネル識別子を前記第二の論理チャネル識別子として確定することと、を含み、
ここで、第一のプリセットルールの下で、前記第一の論理チャネル識別子が前記第一のベアラに対応し、前記第二のプリセットルール情報が前記ネットワーク装置に記憶されることを特徴とする
請求項５に記載の方法。
【請求項７】
前記ネットワーク装置と前記遠隔端末装置の間にアダプテーション層が構成され、前記第一のアクセス層データパケットに第三の論理チャネル識別子が含まれ、前記第三の論理チャネル識別子が前記ネットワーク装置により前記遠隔端末装置に割り当てられるものであり、又は前記第三の論理チャネル識別子が前記遠隔端末装置によって前記遠隔端末装置と前記ネットワーク装置に記憶された第三のプリセットルール情報に基づいて確定されるものであり、前記第三の論理チャネル識別子が前記遠隔端末装置によって前記アダプテーション層で前記第一のアクセス層データパケットにカプセル化されるものであり、また、
前記方法はさらに、
前記中継端末装置がプリセット論理チャネル識別子を前記第二のアクセス層データパケットにカプセル化することを含み、ここで、前記ネットワーク装置が前記プリセット論理チャネル識別子に基づき、前記アダプテーション層で前記第三の論理チャネル識別子を取得することができるように、前記プリセット論理チャネル識別子が前記第二のアクセス層データパケットが中継データであることを示すことに用いられることを特徴とする
請求項１乃至４のいずれか一項に記載の方法。
【請求項８】
前記方法はさらに、
前記中継端末装置が前記第三のアクセス層データパケットから第四の論理チャネル識別子を取得することと、
前記中継端末装置が前記第四の論理チャネル識別子に基づき、第五の論理チャネル識別子を確定することと、
前記中継端末装置が前記第五の論理チャネル識別子を前記第四のアクセス層データパケットにカプセル化することと、を含み、
前記第四の論理チャネル識別子が前記ネットワーク装置によって第二のベアラに基づいて確定されるものであり、
ここで、前記遠隔端末装置が前記第五の論理チャネル識別子に基づいて前記第二のベアラを確定することができることを特徴とする
請求項１乃至７のいずれか一項に記載の方法。
【請求項９】
前記中継端末装置が前記第四の論理チャネル識別子に基づき、第五の論理チャネル識別子を確定することは、
前記第四の論理チャネル識別子が前記ネットワーク装置により前記遠隔端末装置に割り当てられるものである場合、前記中継端末装置が前記第四の論理チャネル識別子を前記第五の論理チャネル識別子として確定することと、
前記第四の論理チャネル識別子が前記ネットワーク装置によって前記ネットワーク装置に記憶された第四のプリセットルール情報に基づいて確定されるものである場合、前記中継端末装置が第五のプリセットルールの下での前記第二のベアラに対応する論理チャネル識別子を前記第五の論理チャネル識別子として確定することと、を含み、
ここで、第四のプリセットルールの下で、前記第四の論理チャネル識別子が前記第二のベアラに対応し、前記第五のプリセットルール情報が前記遠隔端末装置に記憶されることを特徴とする
請求項８に記載の方法。
【請求項１０】
前記ネットワーク装置と前記遠隔端末装置の間にアダプテーション層が構成され、前記第三のアクセス層データパケットに第六の論理チャネル識別子が含まれ、前記第六の論理チャネル識別子が前記ネットワーク装置により前記遠隔端末装置に割り当てられるものであり、又は第六の論理チャネル識別子が前記遠隔端末装置によって前記遠隔端末装置と前記ネットワーク装置に記憶された第六のプリセットルールに基づいて確定されるものであり、前記第六の論理チャネル識別子が前記ネットワーク装置によって前記アダプテーション層で前記第三のアクセス層データパケットにカプセル化されるものであり、また、
前記方法はさらに、
前記中継端末装置がプリセット論理チャネル識別子を前記第四のアクセス層データパケットにカプセル化することを含み、ここで、前記遠隔端末装置が前記プリセット論理チャネル識別子に基づき、前記アダプテーション層で前記第六の論理チャネル識別子を取得することができるように、前記プリセット論理チャネル識別子が前記第四のアクセス層データパケットが中継データであることを示すことに用いられることを特徴とする
請求項１乃至７のいずれか一項に記載の方法。
【請求項１１】
前記中継端末装置が前記第二の通信プロトコルに基づき、前記ネットワーク装置へ前記第二のアクセス層データパケットを送信することは、
前記中継端末装置が第一のマッピング関係情報を取得することと、
前記中継端末装置が前記第二のアクセス層データパケットのデータ量の属するデータ量区間と前記第一のマッピング関係情報に基づき、第一のアップリンクチャネルを確定することと、
前記中継端末装置が前記第一のアップリンクチャネルを介して前記ネットワーク装置へリソースリクエストメッセージを送信することと、
前記中継端末装置が前記ネットワーク装置から送信された第一のスケジューリング情報を受信することと、
前記中継端末装置が前記第二の通信プロトコルに基づき、前記第一の伝送リソースを介し、前記ネットワーク装置へ前記第二のアクセス層データパケットを送信することと、を含み、
前記第一のマッピング関係情報が複数のデータ量区間と複数のアップリンクチャネルとの１対１マッピング関係を示すことに用いられ、各データ量区間が少なくとも一つのデータ量を含み、
前記第一のアップリンクチャネルが前記第二のアクセス層データパケットのデータ量の属するデータ量区間に対応し、
前記第一のスケジューリング情報が第一の伝送リソースを示すことに用いられ、前記第一の伝送リソースの大きさが前記ネットワーク装置によって前記第一のアップリンクチャネルと前記第一のマッピング関係情報に基づいて確定されるものであることを特徴とする
請求項１乃至１０のいずれか一項に記載の方法。
【請求項１２】
前記中継端末装置が前記第二の通信プロトコルに基づき、前記ネットワーク装置へ前記第二のアクセス層データパケットを送信することは、
前記中継端末装置が第二のマッピング関係情報を取得することと、
前記中継端末装置が前記第二のアクセス層データパケットのデータ量の属するデータ量区間と前記第二のマッピング関係情報に基づき、第一のプリアンブルを確定することと、  前記中継端末装置が前記ネットワーク装置へ前記第一のプリアンブルを送信することと、
前記中継端末装置が前記ネットワーク装置から送信された第二のスケジューリング情報を受信することと、
前記中継端末装置が前記第二の通信プロトコルに基づき、前記第二の伝送リソースを介し、前記ネットワーク装置へ前記第二のアクセス層データパケットを送信することと、を含み、
前記第二のマッピング関係情報が複数のデータ量区間と複数のプリアンブルとの１対１マッピング関係を示すことに用いられ、各データ量区間が少なくとも一つのデータ量を含み、
前記第一のプリアンブルが前記第二のアクセス層データパケットのデータ量の属するデータ量区間に対応し、
前記第二のスケジューリング情報が第二の伝送リソースを示すことに用いられ、前記第二の伝送リソースの大きさが前記ネットワーク装置によって前記第一のプリアンブルと前記第二のマッピング関係情報に基づいて確定されるものであることを特徴とする
請求項１乃至１０のいずれか一項に記載の方法。
【請求項１３】
前記第一のアクセス層データパケットと前記第四のアクセス層データパケットは前記第一の通信プロトコルに規定されたデータパケットであり、前記第二のアクセス層データパケットと前記第三のアクセス層データパケットは前記第二の通信プロトコルに規定されたデータパケットであることを特徴とする
請求項１乃至１２のいずれか一項に記載の方法。
【請求項１４】
無線リソース制御接続（ＲＲＣ）を確立するための方法であって、遠隔端末装置、中継端末装置、及びネットワーク装置を備える通信システムで実行され、前記遠隔端末装置と前記中継端末装置が第一の通信プロトコルに基づいて通信し、前記中継端末装置と前記ネットワーク装置が第二の通信プロトコルに基づいて通信し、前記方法は、
前記遠隔端末装置が前記ネットワーク装置への送信を必要とする無線リソース制御接続確立リクエストメッセージをカプセル化し、第一のアクセス層データパケットを生成することと、
前記遠隔端末装置が前記第一の通信プロトコルに基づき、前記中継端末装置へ前記第一のアクセス層データパケットを送信することと、
前記遠隔端末装置が前記第一の通信プロトコルに基づいて前記中継端末装置から送信された前記第四のアクセス層データパケットを受信することと、を含み、
前記第一のアクセス層データパケットに前記遠隔端末装置の装置識別子が含まれ、
前記第四のアクセス層データパケットに前記遠隔端末装置の装置識別子が含まれる、
ことを特徴とする方法。
【請求項１５】
無線リソース制御接続（ＲＲＣ）を確立するための中継端末装置であって、遠隔端末装置、前記装置、及びネットワーク装置を備える通信システムで実行され、前記遠隔端末装置と前記中継端末装置が第一の通信プロトコルに基づいて通信し、前記装置と前記ネットワーク装置が第二の通信プロトコルに基づいて通信し、前記装置は、請求項１乃至１３のいずれか１項に記載の方法を実施するよう構成されるプロセッサを含む、
ことを特徴とする方法。
【国際調査報告】
2019515517.tif 000020
2019515517.tif 000021
2019515517.tif 000022
2019515517.tif 000023